(57)【要約】      （修正有）【課題】中国語（漢字）をコード化する直接的手段を提供する。【解決手段】小四角形に漢字語形排列図位置する語形は、 Fig.1-147の排列位置図を組み合わせることができ、小四角形に位置する語形は連続数字より、349コの語形を47組に分けられて、キーボードでは英数・符号・平仮名／片仮名より、漢字語形のプログラム言語を代表し、コンピュータに漢字をキーインする時、キーキャップにある及び漢字語形代表をキーインし、語形の符号は各漢字の語形に従って、その漢字語形排列図の連続数字の順序を決める。 漢字がエンコーディングされ或いは保存する電子信号に変換できることは、連続的なキーパッド符号をコンピュータにキーインすることより、各漢字の語形を代表する。各連続的なキーパッド符号は、各漢字のコンピュータとの通信交換コードを代表し、各漢字の文構造句形も文構造の漢字語形の排列位置より、文構造句形の漢字プログラム・コードを編集できる。【選択図】図１
2007272452.tif 000002
【特許請求の範囲】
【請求項１】
キーボードのイメージは図151にしめされており、無線通信とコンピューターシステムにはキーボードがあり、このキーボードのキーパッド上は３４９コの使える漢字の語形が標記され、キーパッドにはそれぞれ別個の記号が標記されており、各キーパッドには、３４９の使用できる漢字語形図の内の1つ以上の別のグループが標記されており、この３４９の語形図はキーパッドの数と同数の複数グループに分けられ、それと違ったグループの漢字語形がキーボードに標記されているキーボード。
【請求項２】
請求項1の方法に従って、キーボードに標記されている漢字筆形によって、図25の筆形位置と同じのような漢字を選択し、あらかじめ指定される小さい四角いにある漢字筆形を選択し、この漢字の連続筆形位置の配列図25の順番に漢字の筆形入力して、
ステップ1.  該当する漢字にあたる配合の漢字の筆形位置の配列図25の第一位置に漢字筆形の選択はキーボード図151のキーパッド上各グループかの筆形になり、該当する漢字にあたる配合の漢字の筆形位置の配列図25の第一位置にこの漢字の右上角の筆形をキーインする。
ステップ2.  該当する漢字にあたる配合の漢字の筆形位置の配列図25の第二位置に漢字筆形の選択はキーボード図151のキーパッド上の各グループかの筆形になり、該当する漢字にあたる配合の漢字の筆形位置の配列図25の第二位置にこの漢字の左のシングル側の筆形から計算し、第二直列の底部の筆形をキーインする。
ステップ3.  該当する漢字にあたる配合の漢字の筆形位置の配列図25の第三位置に 漢字筆形の選択はキーボード図151のキーパッド上の各グループかの筆形 になり、該当する漢字にあたる配合の漢字の筆形位置の配列図25の第三位置にこの漢字の左のシングル側の筆形をキーインする。
ステップ4.  該当する漢字にあたる配合の漢字の筆形位置の配列図25の第四位置に漢字筆形の選択はキーボード図151のキーパッド上の各グループかの筆形になり、該当する漢字にあたる配合の漢字の筆形位置の配列図25の第四位置にこの漢字の左のシングル側の筆形から計算し、第二直列の頂点小方形位置の筆形をキーインする。 
ステップ5.  該当する漢字にあたる配合の漢字の筆形位置の配列図25の第五位置に漢字筆形の選択はキーボード図151のキーパッド上の各グループかの筆形になり、該当する漢字にあたる配合の漢字の筆形位置の配列図25の第五位置にこの漢字の右下角の筆形をキーインする。
上記のステップで漢字のコードを生成し、この漢字のコンピューターと通信コードを代表することを含む方法。
【請求項３】
請求項1の方法に従って、キーボードに標記されている漢字筆形によって、図47 の筆形位置と同じのような漢字を選択し、あらかじめ指定される小さい四角いにある漢字筆形を選択し、この漢字の連続筆形位置の配列図47 順番に漢字の筆形入力して、 
ステップ1.  該当する漢字にあたる配合の漢字の筆形位置の配列図47 の第一小方形位置に漢字筆形の選択はキーボード図151のキーパッド上各グループかの筆形になり、該当する漢字にあたる配合の漢字の筆形位置の配列図47の第一小方形位置にこの漢字の右上角の筆形をキーインする。
ステップ2.  該当する漢字にあたる配合の漢字の筆形位置の配列図47 の第二小方形位置に漢字筆形の選択はキーボード図151のキーパッド上の各グループかの筆形になり、該当する漢字にあたる配合の漢字の筆形位置の配列図47 の第二小方形位置にこの漢字の左のシングル側の筆形をキーインする。
ステップ3.  該当する漢字にあたる配合の漢字の筆形位置の配列図47 の第三小方形位置に 漢字筆形の選択はキーボード図151のキーパッド上の各グループかの筆形 になり、該当する漢字にあたる配合の漢字の筆形位置の配列図47 の第三小方形位置にこの漢字の左のシングル側の筆形から計算し、第二直列の底部の筆形をキーインする。
ステップ4.  該当する漢字にあたる配合の漢字の筆形位置の配列図47 の第四小方形位置に漢字筆形の選択はキーボード図151のキーパッド上の各グループかの筆形になり、該当する漢字にあたる配合の漢字の筆形位置の配列図47 の第四小方形位置にこの漢字の左のシングル側の筆形から計算し、第二直列の底部小方形の筆形その筆形から上にいって第二小方形位置の筆形をキーインする。 
ステップ5.  該当する漢字にあたる配合の漢字の筆形位置の配列図47の第五小方形位置に漢字筆形の選択はキーボード図151のキーパッド上の各グループかの筆形になり、該当する漢字にあたる配合の漢字の筆形位置の配列図47 の第五小方形位置にこの漢字の左のシングル側の筆形から計算し、第二直列の底部小方形の筆形その筆形から上にいって第三小方形位置の筆形をキーインする。
上記のステップで漢字のコードを生成し、この漢字のコンピューターと通信コードを代表することを含む方法。
【請求項４】
請求項1の方法に従って、キーボードに標記されている漢字筆形によって.図26 の筆形位置と同じのような漢字を選択し、あらかじめ指定される小さい四角いにある漢字筆形を選択し、この漢字の連続筆形位置の配列図26 順番に漢字の筆形入力して、 
ステップ1.  該当する漢字にあたる配合の漢字の筆形位置の配列図26 の第一小方形位置に漢字筆形の選択はキーボード図151のキーパッド上各グループかの筆形になり、該当する漢字にあたる配合の漢字の筆形位置の配列図26 の第一小方形位置にこの漢字の右上角の筆形をキーインする。
ステップ2.  該当する漢字にあたる配合の漢字の筆形位置の配列図26 の第二小方形位置に漢字筆形の選択はキーボード図151のキーパッド上の各グループかの筆形になり、該当する漢字にあたる配合の漢字の筆形位置の配列図26 の第二小方形位置にこの漢字の左のシングル側の筆形をキーインする。
ステップ3.  該当する漢字にあたる配合の漢字の筆形位置の配列図26 の第三小方形位置に 漢字筆形の選択はキーボード図151のキーパッド上の各グループかの筆形 になり、該当する漢字にあたる配合の漢字の筆形位置の配列図26 の第三小方形位置にこの漢字の左のシングル側の筆形から計算し、第二直列の底部の筆形をキーインする。
ステップ4.  該当する漢字にあたる配合の漢字の筆形位置の配列図26 の第四小方形位置に漢字筆形の選択はキーボード図151のキーパッド上の各グループかの筆形になり、該当する漢字にあたる配合の漢字の筆形位置の配列図26 の第四小方形位置にこの漢字の右下角の筆形をキーインする。 
ステップ5.  該当する漢字にあたる配合の漢字の筆形位置の配列図26 の第五小方形位置に漢字筆形の選択はキーボード図151のキーパッド上の各グループかの筆形になり、該当する漢字にあたる配合の漢字の筆形位置の配列図26 の第五小方形位置にこの漢字の右の直列の右下角小方形の筆形から上にいって第二位置の筆形をキーインする。
上記のステップで漢字のコードを生成し、この漢字のコンピューターと通信コードを代表することを含む方法。
【請求項５】
請求項1の方法に従って、キーボードに標記されている漢字筆形によって.図37 の筆形位置と同じのような漢字を選択し、あらかじめ指定される小さい四角いにある漢字筆形を選択し,この漢字の連続筆形位置の配列図37 順番に漢字の筆形入力して、 
ステップ1.  該当する漢字にあたる配合の漢字の筆形位置の配列図37の第一小方形位置に漢字筆形の選択はキーボード図151のキーパッド上各グループかの筆形になり、該当する漢字にあたる配合の漢字の筆形位置の配列図37 の第一小方形位置にこの漢字の右側のシングル筆形をキーインする。
ステップ2.  該当する漢字にあたる配合の漢字の筆形位置の配列図37 の第二小方形位置に漢字筆形の選択はキーボード図151のキーパッド上の各グループかの筆形になり、該当する漢字にあたる配合の漢字の筆形位置の配列図37 の第二小方形位置にこの漢字の右のシングル側の筆形から計算し、第二直列の頂点小方形の筆形をキーインする。
ステップ3.  該当する漢字にあたる配合の漢字の筆形位置の配列図37 の第三小方形位置に 漢字筆形の選択はキーボード図151のキーパッド上の各グループかの筆形 になり、該当する漢字にあたる配合の漢字の筆形位置の配列図37の第三小方形位置にこの漢字の左下角の小方形位置の筆形をキーインする。
ステップ4.  該当する漢字にあたる配合の漢字の筆形位置の配列図37 の第四小方形位置に漢字筆形の選択はキーボード図151のキーパッド上の各グループかの筆形になり、該当する漢字にあたる配合の漢字の筆形位置の配列図37 の第四小方形位置にこの漢字の右のシングル側の筆形から計算し、第二直列の底部小方形位置の筆形をキーインする 
ステップ5.  該当する漢字にあたる配合の漢字の筆形位置の配列図37 の第五小方形位置に漢字筆形の選択はキーボード図151のキーパッド上の各グループかの筆形になり、該当する漢字にあたる配合の漢字の筆形位置の配列図37 の第五小方形位置にこの漢字の左上角の小方形位置の筆形をキーインする。
上記のステップで漢字のコードを生成し、この漢字のコンピューターと通信コードを代表することを含む方法。
【請求項６】
請求項1の方法に従って、キーボードに標記されている漢字筆形によって.図33 の筆形位置と同じのような漢字を選択し、あらかじめ指定される小さい四角いにある漢字筆形を選択し,この漢字の連続筆形位置の配列図33 順番に漢字の筆形入力して、 
ステップ1.  該当する漢字にあたる配合の漢字の筆形位置の配列図33 の第一小方形位置に漢字筆形の選択はキーボード図151のキーパッド上各グループかの筆形になり、該当する漢字にあたる配合の漢字の筆形位置の配列図33 の第一小方形位置にこの漢字の右側のシングル筆形をキーインする。
ステップ2.  該当する漢字にあたる配合の漢字の筆形位置の配列図33 の第二小方形位置に漢字筆形の選択はキーボード図151のキーパッド上の各グループかの筆形になり、該当する漢字にあたる配合の漢字の筆形位置の配列図33 の第二小方形位置にこの漢字の右のシングル側の筆形から計算し、第二直列の頂点小方形の筆形をキーインする。
ステップ3.  該当する漢字にあたる配合の漢字の筆形位置の配列図33 の第三小方形位置に 漢字筆形の選択はキーボード図151のキーパッド上の各グループかの筆形 になり、該当する漢字にあたる配合の漢字の筆形位置の配列図33 の第三小方形位置にこの漢字の左下角の小方形位置の筆形をキーインする。
ステップ4.  該当する漢字にあたる配合の漢字の筆形位置の配列図33 の第四小方形位置に漢字筆形の選択はキーボード図151のキーパッド上の各グループかの筆形になり、該当する漢字にあたる配合の漢字の筆形位置の配列図33 の第四小方形位置にこの漢字の右のシングル側の筆形から計算し、第二直列の底部小方形位置の筆形をキーインする 
ステップ5.  該当する漢字にあたる配合の漢字の筆形位置の配列図33 の第五小方形位置に漢字筆形の選択はキーボード図151のキーパッド上の各グループかの筆形になり、該当する漢字にあたる配合の漢字の筆形位置の配列図33 の第五小方形位置にこの漢字の右のシングル側の筆形から計算し、第三直列の左下角の筆形から上にいって第二小方形位置の筆形をキーインする。
上記のステップで漢字のコードを生成し、この漢字のコンピューターと通信コードを代表することを含む方法。
【請求項７】
請求項1の方法に従って、キーボードに標記されている漢字筆形によって.図34 の筆形位置と同じのような漢字を選択し、あらかじめ指定される小さい四角いにある漢字筆形を選択し,この漢字の連続筆形位置の配列図34 順番に漢字の筆形入力して、 
ステップ1.該当する漢字にあたる配合の漢字の筆形位置の配列図34 の第一小方形位置に漢字筆形の選択はキーボード図151のキーパッド上各グループかの筆形になり、該当する漢字にあたる配合の漢字の筆形位置の配列図34 の第一小方形位置にこの漢字の右側のシングル筆形をキーインする。
ステップ2.該当する漢字にあたる配合の漢字の筆形位置の配列図34 の第二小方形位置に漢字筆形の選択はキーボード図151のキーパッド上の各グループかの筆形になり、該当する漢字にあたる配合の漢字の筆形位置の配列図34 の第二小方形位置にこの漢字の右のシングル側の筆形から計算し、第二直列の頂点小方形の筆形をキーインする。
ステップ3.該当する漢字にあたる配合の漢字の筆形位置の配列図34 の第三小方形位置に 漢字筆形の選択はキーボード図151のキーパッド上の各グループかの筆形 になり、該当する漢字にあたる配合の漢字の筆形位置の配列図34 の第三小方形位置にこの漢字の左下角の小方形位置の筆形をキーインする。
ステップ4.該当する漢字にあたる配合の漢字の筆形位置の配列図34 の第四小方形位置に漢字筆形の選択はキーボード図151のキーパッド上の各グループかの筆形になり、該当する漢字にあたる配合の漢字の筆形位置の配列図34 の第四小方形位置にこの漢字の左上角の小方形位置の筆形をキーインする 
ステップ5.該当する漢字にあたる配合の漢字の筆形位置の配列図34 の第五小方形位置に漢字筆形の選択はキーボード図151のキーパッド上の各グループかの筆形になり、該当する漢字にあたる配合の漢字の筆形位置の配列図34 の第五小方形位置にこの漢字の左の直列の左上角の筆形から下にいって第二位置の筆形をキーインする。
上記のステップで漢字のコードを生成し、この漢字のコンピューターと通信コードを代表することを含む方法。
【請求項８】
請求項1の方法に従って、キーボードに標記されている漢字筆形によって.図84 の筆形位置と同じのような漢字を選択し、あらかじめ指定される小さい四角いにある漢字筆形を選択し,この漢字の連続筆形位置の配列図84 順番に漢字の筆形入力して、 
ステップ1.該当する漢字にあたる配合の漢字の筆形位置の配列図84 の第一小方形位置に漢字筆形の選択はキーボード図151のキーパッド上各グループかの筆形になり、該当する漢字にあたる配合の漢字の筆形位置の配列図84 の第一小方形位置にこの漢字の右上角の筆形をキーインする。
ステップ2.該当する漢字にあたる配合の漢字の筆形位置の配列図84 の第二小方形位置に漢字筆形の選択はキーボード図151のキーパッド上の各グループかの筆形になり、該当する漢字にあたる配合の漢字の筆形位置の配列図84 の第二小方形位置にこの漢字の底部のシングル側の筆形をキーインする。
ステップ3.該当する漢字にあたる配合の漢字の筆形位置の配列図84 の第三小方形位置に 漢字筆形の選択はキーボード図151のキーパッド上の各グループかの筆形 になり、該当する漢字にあたる配合の漢字の筆形位置の配列図84 の第三小方形位置にこの漢字の右の直列から計算し、第二直列の頂部四角形の位置の筆形をキーインする。
ステップ4.該当する漢字にあたる配合の漢字の筆形位置の配列図84 の第四小方形位置に漢字筆形の選択はキーボード図151のキーパッド上の各グループかの筆形になり、該当する漢字にあたる配合の漢字の筆形位置の配列図84 の第四小方形位置にこの漢字の右の直列から計算し、第三直列の頂部四角形の位置の筆形をキーインする 
ステップ5.該当する漢字にあたる配合の漢字の筆形位置の配列図84 の第五小方形位置に漢字筆形の選択はキーボード図151のキーパッド上の各グループかの筆形になり、該当する漢字にあたる配合の漢字の筆形位置の配列図84 の第五小方形位置にこの漢字の右下角の筆形をキーインする。
上記のステップで漢字のコードを生成し、この漢字のコンピューターと通信コードを代表することを含む方法。
【請求項９】
請求項1の方法に従って、キーボードに標記されている漢字筆形によって.図53 の筆形位置と同じのような漢字を選択し、あらかじめ指定される小さい四角いにある漢字筆形を選択し,この漢字の連続筆形位置の配列図53 順番に漢字の筆形入力して、 
ステップ1.該当する漢字にあたる配合の漢字の筆形位置の配列図53の第一小方形位置に漢字筆形の選択はキーボード図151のキーパッド上各グループかの筆形になり、該当する漢字にあたる配合の漢字の筆形位置の配列図53 の第一小方形位置にこの漢字の右上角の筆形をキーインする。
ステップ2.該当する漢字にあたる配合の漢字の筆形位置の配列図53 の第二小方形位置に漢字筆形の選択はキーボード図151のキーパッド上の各グループかの筆形になり、該当する漢字にあたる配合の漢字の筆形位置の配列図53 の第二小方形位置にこの漢字の左上の筆形をキーインする。
ステップ3.該当する漢字にあたる配合の漢字の筆形位置の配列図53 の第三小方形位置に 漢字筆形の選択はキーボード図151のキーパッド上の各グループかの筆形 になり、該当する漢字にあたる配合の漢字の筆形位置の配列図53 の第三小方形位置にこの漢字の底部のシングル側の筆形をキーインする。
ステップ4.該当する漢字にあたる配合の漢字の筆形位置の配列図53 の第四小方形位置に漢字筆形の選択はキーボード図151のキーパッド上の各グループかの筆形になり、該当する漢字にあたる配合の漢字の筆形位置の配列図53 の第四小方形位置にこの漢字の右直列の底部のシングル側の筆形から上にいって第二小方形位置の筆形をキーインする 
ステップ5.該当する漢字にあたる配合の漢字の筆形位置の配列図53 の第五小方形位置に漢字筆形の選択はキーボード図151のキーパッド上の各グループかの筆形になり、該当する漢字にあたる配合の漢字の筆形位置の配列図53の第五小方形位置にこの漢字の右直列の底部のシングル側の筆形から上にいって第三小方形位置の筆形をキーインする。
上記のステップで漢字のコードを生成し、この漢字のコンピューターと通信コードを代表することを含む方法。
【請求項１０】
請求項1の方法に従って、キーボードに標記されている漢字筆形によって.図55 の筆形位置と同じのような漢字を選択し、あらかじめ指定される小さい四角いにある漢字筆形を選択し,この漢字の連続筆形位置の配列図55 順番に漢字の筆形入力して、 
ステップ1.該当する漢字にあたる配合の漢字の筆形位置の配列図55 の第一小方形位置に漢字筆形の選択はキーボード図151のキーパッド上各グループかの筆形になり、該当する漢字にあたる配合の漢字の筆形位置の配列図55 の第一小方形位置にこの漢字の右上角の筆形をキーインする。
ステップ2.該当する漢字にあたる配合の漢字の筆形位置の配列図55 の第二小方形位置に漢字筆形の選択はキーボード図151のキーパッド上の各グループかの筆形になり、該当する漢字にあたる配合の漢字の筆形位置の配列図55 の第二小方形位置にこの漢字の右直列の右上角の筆形から下にいって第二位置の筆形をキーインする。
ステップ3.該当する漢字にあたる配合の漢字の筆形位置の配列図55 の第三小方形位置に 漢字筆形の選択はキーボード図151のキーパッド上の各グループかの筆形 になり、該当する漢字にあたる配合の漢字の筆形位置の配列図55 の第三小方形位置にこの漢字の底部のシングル側の筆形をキーインする。
ステップ4.該当する漢字にあたる配合の漢字の筆形位置の配列図55 の第四小方形位置に漢字筆形の選択はキーボード図151のキーパッド上の各グループかの筆形になり、該当する漢字にあたる配合の漢字の筆形位置の配列図55 の第四小方形位置にこの漢字の左直列の左上角の筆形をキーインする 
ステップ5.該当する漢字にあたる配合の漢字の筆形位置の配列図55 の第五小方形位置に漢字筆形の選択はキーボード図151のキーパッド上の各グループかの筆形になり、該当する漢字にあたる配合の漢字の筆形位置の配列図55の第五小方形位置にこの漢字の左直列の左上角の筆形から下にいって第二位置の筆形をキーインする。
上記のステップで漢字のコードを生成し、この漢字のコンピューターと通信コードを代表することを含む方法。
【請求項１１】
請求項1の方法に従って、キーボードに標記されている漢字筆形によって.図73 の筆形位置と同じのような漢字を選択し、あらかじめ指定される小さい四角いにある漢字筆形を選択し,この漢字の連続筆形位置の配列図73 順番に漢字の筆形入力して、 
ステップ1.該当する漢字にあたる配合の漢字の筆形位置の配列図73 の第一小方形位置に漢字筆形の選択はキーボード図151のキーパッド上各グループかの筆形になり、該当する漢字にあたる配合の漢字の筆形位置の配列図73 の第一小方形位置にこの漢字の右上角の筆形をキーインする。
ステップ2.該当する漢字にあたる配合の漢字の筆形位置の配列図73 の第二小方形位置に漢字筆形の選択はキーボード図151のキーパッド上の各グループかの筆形になり、該当する漢字にあたる配合の漢字の筆形位置の配列図73 の第二小方形位置にこの漢字の左直列の左上角の筆形をキーインする。
ステップ3.該当する漢字にあたる配合の漢字の筆形位置の配列図73 の第三小方形位置に 漢字筆形の選択はキーボード図151のキーパッド上の各グループかの筆形 になり、該当する漢字にあたる配合の漢字の筆形位置の配列図73 の第三小方形位置にこの漢字の左下角の小方形位置の筆形をキーインする。
ステップ4.該当する漢字にあたる配合の漢字の筆形位置の配列図73 の第四小方形位置に漢字筆形の選択はキーボード図151のキーパッド上の各グループかの筆形になり、該当する漢字にあたる配合の漢字の筆形位置の配列図73 の第四小方形位置にこの漢字の右下角の筆形をキーインする 
ステップ5.該当する漢字にあたる配合の漢字の筆形位置の配列図73 の第五小方形位置に漢字筆形の選択はキーボード図151のキーパッド上の各グループかの筆形になり、該当する漢字にあたる配合の漢字の筆形位置の配列図73 の第五小方形位置にこの漢字の右の直列の右下角小方形の位置の筆形から上にいって第二位置の筆形をキーインする。
上記のステップで漢字のコードを生成し、この漢字のコンピューターと通信コードを代表することを含む方法。
【請求項１２】
請求項1の方法に従って、キーボードに標記されている漢字筆形によって.図21 の筆形位置と同じのような漢字を選択し、あらかじめ指定される小さい四角いにある漢字筆形を選択し,この漢字の連続筆形位置の配列図21 順番に漢字の筆形入力して、 
ステップ1.該当する漢字にあたる配合の漢字の筆形位置の配列図21 の第一小方形位置に漢字筆形の選択はキーボード図151のキーパッド上各グループかの筆形になり、該当する漢字にあたる配合の漢字の筆形位置の配列図21 の第一小方形位置にこの漢字の頂部のシングル側の筆形をキーインする。
ステップ2.該当する漢字にあたる配合の漢字の筆形位置の配列図21 の第二小方形位置に漢字筆形の選択はキーボード図151のキーパッド上の各グループかの筆形になり、該当する漢字にあたる配合の漢字の筆形位置の配列図21 の第二小方形位置にこの漢字の左下角の小方形位置の筆形をキーインする。
ステップ3.該当する漢字にあたる配合の漢字の筆形位置の配列図21 の第三小方形位置に 漢字筆形の選択はキーボード図151のキーパッド上の各グループかの筆形 になり、該当する漢字にあたる配合の漢字の筆形位置の配列図21 の第三小方形位置にこの漢字の右下角の筆形をキーインする。
ステップ4.該当する漢字にあたる配合の漢字の筆形位置の配列図21 の第四小方形位置に漢字筆形の選択はキーボード図151のキーパッド上の各グループかの筆形になり、該当する漢字にあたる配合の漢字の筆形位置の配列図21 の第四小方形位置にこの漢字の右の直列の右下角小方形位置の筆形から上にいって第二位置の筆形をキーインする 
ステップ5.該当する漢字にあたる配合の漢字の筆形位置の配列図21 の第五小方形位置に漢字筆形の選択はキーボード図151のキーパッド上の各グループかの筆形になり、該当する漢字にあたる配合の漢字の筆形位置の配列図21 の第五小方形位置にこの漢字の左の直列の頂部のシングル筆形から下にいって第二位置の筆形をキーインする。
上記のステップで漢字のコードを生成し、この漢字のコンピューターと通信コードを代表することを含む方法。
【請求項１３】
請求項1の方法に従って、キーボードに標記されている漢字筆形によって.図66 の筆形位置と同じのような漢字を選択し.あらかじめ指定される小さい四角いにある漢字筆形を選択し,この漢字の連続筆形位置の配列図66 順番に漢字の筆形入力して、 
ステップ1.該当する漢字にあたる配合の漢字の筆形位置の配列図66 の第一小方形位置に漢字筆形の選択はキーボード図151のキーパッド上各グループかの筆形になり、該当する漢字にあたる配合の漢字の筆形位置の配列図66 の第一小方形位置にこの漢字の頂部のシングル側の筆形をキーインする。
ステップ2.該当する漢字にあたる配合の漢字の筆形位置の配列図66 の第二小方形位置に漢字筆形の選択はキーボード図151のキーパッド上の各グループかの筆形になり、該当する漢字にあたる配合の漢字の筆形位置の配列図66 の第二小方形位置にこの漢字の底部のシングル側の筆形をキーインする。
ステップ3.該当する漢字にあたる配合の漢字の筆形位置の配列図66 の第三小方形位置に 漢字筆形の選択はキーボード図151のキーパッド上の各グループかの筆形 になり、該当する漢字にあたる配合の漢字の筆形位置の配列図66 の第三小方形位置にこの漢字の右直列の底部のシングル側の筆形から上にいって第二小方形位置の筆形をキーインする。
ステップ4.該当する漢字にあたる配合の漢字の筆形位置の配列図66 の第四小方形位置に漢字筆形の選択はキーボード図151のキーパッド上の各グループかの筆形になり、該当する漢字にあたる配合の漢字の筆形位置の配列図66 の第四小方形位置にこの漢字の右直列の底部のシングル側の筆形から上にいって第三小方形位置の筆形をキーインする 
ステップ5.該当する漢字にあたる配合の漢字の筆形位置の配列図66 の第五小方形位置に漢字筆形の選択はキーボード図151のキーパッド上の各グループかの筆形になり、該当する漢字にあたる配合の漢字の筆形位置の配列図66 の第五小方形位置にこの漢字の左の直列の頂部のシングル筆形から下にいって第二位置の筆形をキーインする。
ステップ6.該当する漢字にあたる配合の漢字の筆形位置の配列図 66の第六小方形位置に漢字筆形の選択はキーボード図151のキーパッド上の各グループかの筆形になり、該当する漢字にあたる配合の漢字の筆形位置の配列図66 の第六小方形位置にこの漢字の左の直列の頂部のシングル筆形から下にいって第三位置の筆形をキーインする。
上記のステップで漢字のコードを生成し、この漢字のコンピューターと通信コードを代表することを含む方法。
【請求項１４】
請求項1の方法に従って、キーボードに標記されている漢字筆形によって.図63 の筆形位置と同じのような漢字を選択し、あらかじめ指定される小さい四角いにある漢字筆形を選択し,この漢字の連続筆形位置の配列図63 順番に漢字の筆形入力して、 
ステップ1.該当する漢字にあたる配合の漢字の筆形位置の配列図63 の第一小方形位置に漢字筆形の選択はキーボード図151のキーパッド上各グループかの筆形になり、該当する漢字にあたる配合の漢字の筆形位置の配列図63 の第一小方形位置にこの漢字の頂部のシングル側の筆形をキーインする。
ステップ2.該当する漢字にあたる配合の漢字の筆形位置の配列図63 の第二小方形位置に漢字筆形の選択はキーボード図151のキーパッド上の各グループかの筆形になり、該当する漢字にあたる配合の漢字の筆形位置の配列図63 の第二小方形位置にこの漢字の左下角の小方形位置の筆形をキーインする。
ステップ3.該当する漢字にあたる配合の漢字の筆形位置の配列図63 の第三小方形位置に 漢字筆形の選択はキーボード図151のキーパッド上の各グループかの筆形 になり、該当する漢字にあたる配合の漢字の筆形位置の配列図63 の第三小方形位置にこの漢字の左の直列から計算し、第二直列の底部小方形の筆形をキーインする。
ステップ4.該当する漢字にあたる配合の漢字の筆形位置の配列図63 の第四小方形位置に漢字筆形の選択はキーボード図151のキーパッド上の各グループかの筆形になり、該当する漢字にあたる配合の漢字の筆形位置の配列図63 の第四小方形位置にこの漢字の右下角の筆形をキーインする 
ステップ5.該当する漢字にあたる配合の漢字の筆形位置の配列図63 の第五小方形位置に漢字筆形の選択はキーボード図151のキーパッド上の各グループかの筆形になり、該当する漢字にあたる配合の漢字の筆形位置の配列図63 の第五小方形位置にこの漢字の左直列から計算し、第二直列の頂部のシングル側筆形から下にいって第二小方形位置の筆形をキーインする。
上記のステップで漢字のコードを生成し、この漢字のコンピューターと通信コードを代表することを含む方法。
【請求項１５】
請求項1の方法に従って、キーボードに標記されている漢字筆形によって.図31 の筆形位置と同じのような漢字を選択し、あらかじめ指定される小さい四角いにある漢字筆形を選択し,この漢字の連続筆形位置の配列図31 順番に漢字の筆形入力して、 
ステップ1.該当する漢字にあたる配合の漢字の筆形位置の配列図31 の第一小方形位置に漢字筆形の選択はキーボード図151のキーパッド上各グループかの筆形になり、該当する漢字にあたる配合の漢字の筆形位置の配列図31 の第一小方形位置にこの漢字の右側のシングル筆形をキーインする。
ステップ2.該当する漢字にあたる配合の漢字の筆形位置の配列図31 の第二小方形位置に漢字筆形の選択はキーボード図151のキーパッド上の各グループかの筆形になり、該当する漢字にあたる配合の漢字の筆形位置の配列図31 の第二小方形位置にこの漢字の右のシングル側の筆形から計算し、第二直列の頂点小方形の筆形をキーインする。
ステップ3.該当する漢字にあたる配合の漢字の筆形位置の配列図31 の第三小方形位置に 漢字筆形の選択はキーボード図151のキーパッド上の各グループかの筆形 になり、該当する漢字にあたる配合の漢字の筆形位置の配列図31 の第三小方形位置にこの漢字の左のシングル側の筆形をキーインする。
ステップ4.該当する漢字にあたる配合の漢字の筆形位置の配列図31 の第四小方形位置に漢字筆形の選択はキーボード図151のキーパッド上の各グループかの筆形になり、該当する漢字にあたる配合の漢字の筆形位置の配列図31 の第四小方形位置にこの漢字の左のシングル側の筆形から計算し、第二直列の底部小方形位置の筆形をキーインする 
ステップ5.該当する漢字にあたる配合の漢字の筆形位置の配列図31 の第五小方形位置に漢字筆形の選択はキーボード図151のキーパッド上の各グループかの筆形になり、該当する漢字にあたる配合の漢字の筆形位置の配列図31 の第五小方形位置にこの漢字の左のシングル側の筆形から計算し、第二直列の底部小方形の筆形から上にいって第二小方形位置の筆形をキーインする。
上記のステップで漢字のコードを生成し、この漢字のコンピューターと通信コードを代表することを含む方法。
【請求項１６】
請求項1の方法に従って、キーボードに標記されている漢字筆形によって.図87 の筆形位置と同じのような漢字を選択し、あらかじめ指定される小さい四角いにある漢字筆形を選択し,この漢字の連続筆形位置の配列図87 順番に漢字の筆形入力して、 
ステップ1.該当する漢字にあたる配合の漢字の筆形位置の配列図87 の第一小方形位置に漢字筆形の選択はキーボード図151のキーパッド上各グループかの筆形になり、該当する漢字にあたる配合の漢字の筆形位置の配列図87 の第一小方形位置にこの漢字の大きな四角い筆形をキーインする。
ステップ2.該当する漢字にあたる配合の漢字の筆形位置の配列図87 の第二小方形位置に漢字筆形の選択はキーボード図151のキーパッド上の各グループかの筆形になり、該当する漢字にあたる配合の漢字の筆形位置の配列図87 の第二小方形位置にこの漢字の大きな四角い筆形の内側の右上角の筆形をキーインする。
ステップ3.該当する漢字にあたる配合の漢字の筆形位置の配列図87 の第三小方形位置に 漢字筆形の選択はキーボード図151のキーパッド上の各グループかの筆形 になり、該当する漢字にあたる配合の漢字の筆形位置の配列図87 の第三小方形位置にこの漢字の大きな四角い筆形の内側の左下角の筆形をキーインする。
ステップ4.該当する漢字にあたる配合の漢字の筆形位置の配列図87 の第四小方形位置に漢字筆形の選択はキーボード図151のキーパッド上の各グループかの筆形になり、該当する漢字にあたる配合の漢字の筆形位置の配列図87 の第四小方形位置にこの漢字の大きな四角い筆形の内側の右下角の筆形をキーインする 
ステップ5.該当する漢字にあたる配合の漢字の筆形位置の配列図87 の第五小方形位置に漢字筆形の選択はキーボード図151のキーパッド上の各グループかの筆形になり、該当する漢字にあたる配合の漢字の筆形位置の配列図87 の第五小方形位置にこの漢字の大きな四角い筆形の内側の真ん中の筆形をキーインする。
上記のステップで漢字のコードを生成し、この漢字のコンピューターと通信コードを代表することを含む方法。
【請求項１７】
請求項1の方法に従って、キーボードに標記されている漢字筆形によって.図85 の筆形位置と同じのような漢字を選択し、あらかじめ指定される小さい四角いにある漢字筆形を選択し,この漢字の連続筆形位置の配列図85 順番に漢字の筆形入力して、 
ステップ1.該当する漢字にあたる配合の漢字の筆形位置の配列図85 の第一小方形位置に漢字筆形の選択はキーボード図151のキーパッド上各グループかの筆形になり、該当する漢字にあたる配合の漢字の筆形位置の配列図85 の第一小方形位置にこの漢字の右側のシングル筆形をキーインする。
ステップ2.該当する漢字にあたる配合の漢字の筆形位置の配列図85 の第二小方形位置に漢字筆形の選択はキーボード図151のキーパッド上の各グループかの筆形になり、該当する漢字にあたる配合の漢字の筆形位置の配列図85 の第二小方形位置にこの漢字の左のシングル側の筆形をキーインする。
ステップ3.該当する漢字にあたる配合の漢字の筆形位置の配列図85 の第三小方形位置に 漢字筆形の選択はキーボード図151のキーパッド上の各グループかの筆形 になり、該当する漢字にあたる配合の漢字の筆形位置の配列図85 の第三小方形位置にこの漢字の右下角の筆形をキーインする。
上記のステップで漢字のコードを生成し、この漢字のコンピューターと通信コードを代表することを含む方法。
【請求項１８】
請求項1の方法に従って、キーボードに標記されている漢字筆形によって.図86 の筆形位置と同じのような漢字を選択し、あらかじめ指定される小さい四角いにある漢字筆形を選択し,この漢字の連続筆形位置の配列図86 順番に漢字の筆形入力して、 
ステップ1.該当する漢字にあたる配合の漢字の筆形位置の配列図86 の第一小方形位置に漢字筆形の選択はキーボード図151のキーパッド上各グループかの筆形になり、該当する漢字にあたる配合の漢字の筆形位置の配列図86 の第一小方形位置にこの漢字の頂部のシングル側の筆形をキーインする。
ステップ2.該当する漢字にあたる配合の漢字の筆形位置の配列図86 の第二小方形位置に漢字筆形の選択はキーボード図151のキーパッド上の各グループかの筆形になり、該当する漢字にあたる配合の漢字の筆形位置の配列図86 の第二小方形位置にこの漢字の底部のシングル側の筆形をキーインする。
ステップ3.該当する漢字にあたる配合の漢字の筆形位置の配列図86 の第三小方形位置に 漢字筆形の選択はキーボード図151のキーパッド上の各グループかの筆形 になり、該当する漢字にあたる配合の漢字の筆形位置の配列図86 の第三小方形位置にこの漢字の右下角の筆形をキーインする。
上記のステップで漢字のコードを生成し、この漢字のコンピューターと通信コードを代表することを含む方法。
【請求項１９】
請求項1に記載の、漢字のコンピュータおよび通信用のコード作成方法において、一連のコード内の記号信号の数は2 ~ 5 つの信号である漢字のコンピュータ及び通信用のコード作成方法。
【請求項２０】
請求項1に記載の、コンピュータおよび通信用のコードを作る方法は、さらに、コード化された複数の漢字の文構造をコード化する方法を含んでおり、その手順は、
複数の漢字から成るある情報文の漢字がそれぞれコード化さたものの中で明確に指定された複数の小さい長方形部分を選び、選択した複数部分を順に番号をつけて、その順を表し、そして、1つの文構造コードを作り上げ、このコードは、一連の記号信号で構成され、指定された小さい長方形部分の数字順で語形図を識別する。
さらに、複数以上の構造された漢字の文構造コードのステップを編集するため、語形図位置の筆形を選びは前もって指定された四角いエリアにあるコード、一つの文章を構成するコードにはひとつの連続した象徴しるし、その定義としては漢字筆形と図形78-83はこの連続した順番ながれが指定する小さな四角いエリアになり、あらかじめ指定される小さな四角いエリアにある漢字しるしは右上角の小方形位置の筆形である。1つの文構造コードは漢字の右上角と左下角の筆形を編集するため、漢字の筆形は連続キーインによって漢字筆形のしるしが前もって指定されるひとつの情報文章の複数の漢字を選び、1つの文構造コードの漢字のコンピュータおよび通信用コードを作成できることを含む方法。
【請求項２１】
請求項20の方法に従って、二つの漢字から句形となる図78のようなの句形の構造にコード化され、連続キーインによって図151のキーボードのキーパッド上の各グループかの語形になり、漢字2文字の文のための文構造の語コードは語毎に右上角の語形コードと語毎に左下角の語形コードを使って、図78Aの2つの長方形の右上角と左下角の語形順に見られるように、番号順にコード化され、2文字で構成されている文のために４つ記号のコードを作り上げる。
【請求項２２】
請求項20の方法に従って、三つの漢字から句形となる図79のようなの句形の構造にコード化され、連続キーインによって図151のキーボードのキーパッド上の各グループかの語形になり、漢字三文字の文を識別するための文構造の語コードは3つの文字の語毎に右上角の語形コードを順番に、そして第3番目の文字の左下角の語形コードを使ってコード化され、図79Aの正方形の右上角と左下角の語形順に見られるように、3つ漢字の4つ記号のコードを作り上げる。
【請求項２３】
請求項20の方法に従って、四つの漢字から句形となる図80のようなの句形の構造にコード化され、連続キーインによって図151のキーボードのキーパッド上の各グループかの語形になり、漢字四文字の文を識別するための文構造の語コードは4つの漢字語毎に右上角の語形コードを順番にそして第四番目の文字の左下角の語形コードを使ってコード化され、図80Aの正方形の右上角と左下角の語形順に見られるように、4つ漢字の5つ記号のコードを作り上げる。
【請求項２４】
請求項20の方法に従って、五つの漢字から句形となる図81のようなの句形の構造にコード化され、連続キーインによって図151のキーボードのキーパッド上の各グループかの語形になり、漢字五文字の文を識別するための文構造の語コードは五つの漢字語毎に右上角の語形コードを順番にそして第五番目の文字の左下角の語形コードを使ってコード化され、図81Aの正方形の右上角と左下角の語形順に見られるように、五つ漢字の6つ記号のコードを作り上げる。
【請求項２５】
請求項20の方法に従って、六つの漢字を超えるから句形となる図82のようなの句形の構造にコード化され、連続キーインによって図151のキーボードのキーパッド上の各グループかの語形になり、六つの漢字を超えるの文を識別するための文構造の語コードは六つの漢字を超えるの漢字語毎に右上角の語形コードを使ってコード化され、図82Aの正方形の右上角の語形順に見られるように、六つの漢字を超えるのNつ記号のコードを作り上げる。
【請求項２６】
請求項20の方法に従って、13つの漢字を超えるから句形となる図83のようなの句形の構造にコード化され、連続キーインによって図151のキーボードのキーパッド上の各グループかの語形になり、13つの漢字を超えるの文を識別するための文構造の語コードは六つの漢字をまえほうの漢字語毎に右上角の語形コードを使ってコード化されと六つの漢字をうしろほうの漢字語毎に右上角の語形コードを使ってコード化され、図83Aの正方形の右上角の語形順に見られるように、13つの漢字を超えるの12つ記号のコードを作り上げる。
【請求項２７】
請求項1の方法に従って、キーボードに標記されている漢字筆形によって.図74 の筆形位置と同じのような漢字を選択し、あらかじめ指定される小さい四角いにある漢字筆形を選択し、この漢字の連続筆形位置の配列図 順番に漢字の筆形入力して、 
ステップ1.該当する漢字にあたる配合の漢字の筆形位置の配列図74の第一小方形位置に漢字筆形の選択はキーボード図153のキーパッド上各グループかの筆形になり、該当する漢字にあたる配合の漢字の筆形位置の配列図74 の第一小方形位置にこの漢字の右上角の筆形をキーインする。
ステップ2.該当する漢字にあたる配合の漢字の筆形位置の配列図74 の第二小方形位置に漢字筆形の選択はキーボード図153のキーパッド上の各グループかの筆形になり、該当する漢字にあたる配合の漢字の筆形位置の配列図74 の第二小方形位置にこの漢字の左側のシングル筆形をキーインする。
ステップ3.該当する漢字にあたる配合の漢字の筆形位置の配列図74 の第三小方形位置に 漢字筆形の選択はキーボード図153のキーパッド上の各グループかの筆形 になり、該当する漢字にあたる配合の漢字の筆形位置の配列図74 の第三小方形位置にこの漢字の左のシングル側の筆形から計算し、第二直列の底部の筆形をキーインする。
ステップ4.該当する漢字にあたる配合の漢字の筆形位置の配列図74 の第四小方形位置に漢字筆形の選択はキーボード図153のキーパッド上の各グループかの筆形になり、該当する漢字にあたる配合の漢字の筆形位置の配列図74 の第四小方形位置にこの漢字の右下角の筆形をキーインする 
ステップ5.該当する漢字にあたる配合の漢字の筆形位置の配列図74 の第五小方形位置に漢字筆形の選択はキーボード図153のキーパッド上の各グループかの筆形になり、該当する漢字にあたる配合の漢字の筆形位置の配列図74 の第五小方形位置にこの漢字の左側のシングル筆形から計算して第二直列の頂点筆形をキーインする。
上記のステップで漢字のコードを生成し、この漢字のコンピューターと通信コードを代表することを含む方法。
【請求項２８】
請求項1の方法に従って、キーボードに標記されている漢字筆形によって.図75 の筆形位置と同じのような漢字を選択し、あらかじめ指定される小さい四角いにある漢字筆形を選択し,この漢字の連続筆形位置の配列図75 順番に漢字の筆形入力して、 
ステップ1.該当する漢字にあたる配合の漢字の筆形位置の配列図75 の第一小方形位置に漢字筆形の選択はキーボード図153のキーパッド上各グループかの筆形になり、該当する漢字にあたる配合の漢字の筆形位置の配列図75 の第一小方形位置にこの漢字の左側のシングル筆形をキーインする。
ステップ2.該当する漢字にあたる配合の漢字の筆形位置の配列図75 の第二小方形位置に漢字筆形の選択はキーボード図153のキーパッド上の各グループかの筆形になり、該当する漢字にあたる配合の漢字の筆形位置の配列図75 の第二小方形位置にこの漢字の左側のシングル筆形から計算して第二直列の頂点筆形をキーインする。
ステップ3.該当する漢字にあたる配合の漢字の筆形位置の配列図75 の第三小方形位置に 漢字筆形の選択はキーボード図153のキーパッド上の各グループかの筆形 になり、該当する漢字にあたる配合の漢字の筆形位置の配列図75 の第三小方形位置にこの漢字の右下角の筆形をキーインする。
ステップ4.該当する漢字にあたる配合の漢字の筆形位置の配列図75 の第四小方形位置に漢字筆形の選択はキーボード図153のキーパッド上の各グループかの筆形になり、該当する漢字にあたる配合の漢字の筆形位置の配列図75 の第四小方形位置にこの漢字の左のシングル側の筆形から計算し、第二直列の底部小方形の筆形から上にいって第二小方形位置の筆形をキーインする 
ステップ5.該当する漢字にあたる配合の漢字の筆形位置の配列図75 の第五小方形位置に漢字筆形の選択はキーボード図153のキーパッド上の各グループかの筆形になり、該当する漢字にあたる配合の漢字の筆形位置の配列図75 の第五小方形位置にこの漢字の左のシングル側の筆形から計算し、第二直列の底部小方形の筆形から上にいって第三小方形位置の筆形をキーインする。
ステップ6.該当する漢字にあたる配合の漢字の筆形位置の配列図75 の第六小方形位置に漢字筆形の選択はキーボード図153のキーパッド上の各グループかの筆形になり、該当する漢字にあたる配合の漢字の筆形位置の配列図75 の第六小方形位置にこの漢字の第左のシングル側の筆形から計算し、二直列の底部小方形の筆形から上にいって第四小方形位置の筆形をキーインする。
上記のステップで漢字のコードを生成し、この漢字のコンピューターと通信コードを代表することを含む方法。
【請求項２９】
請求項1の方法に従って、キーボードに標記されている漢字筆形によって.図76 の筆形位置と同じのような漢字を選択し、あらかじめ指定される小さい四角いにある漢字筆形を選択し,この漢字の連続筆形位置の配列図76 順番に漢字の筆形入力して、 
ステップ1.該当する漢字にあたる配合の漢字の筆形位置の配列図76 の第一小方形位置に漢字筆形の選択はキーボード図153のキーパッド上各グループかの筆形になり、該当する漢字にあたる配合の漢字の筆形位置の配列図76 の第一小方形位置にこの漢字の左側のシングル筆形をキーインする。
ステップ2.該当する漢字にあたる配合の漢字の筆形位置の配列図76 の第二小方形位置に漢字筆形の選択はキーボード図153のキーパッド上の各グループかの筆形になり、該当する漢字にあたる配合の漢字の筆形位置の配列図76 の第二小方形位置にこの漢字の左側のシングル筆形から計算し.第二直列の頂点筆形をキーインする。
ステップ3.該当する漢字にあたる配合の漢字の筆形位置の配列図76 の第三小方形位置に 漢字筆形の選択はキーボード図153のキーパッド上の各グループかの筆形 になり、該当する漢字にあたる配合の漢字の筆形位置の配列図76 の第三小方形位置にこの漢字の右下角の筆形をキーインする。
ステップ4.該当する漢字にあたる配合の漢字の筆形位置の配列図76 の第四小方形位置に漢字筆形の選択はキーボード図153のキーパッド上の各グループかの筆形になり、該当する漢字にあたる配合の漢字の筆形位置の配列図76 の第四小方形位置にこの漢字の左のシングル側の筆形から計算し、第二直列の底部の筆形をキーインする 
ステップ5.該当する漢字にあたる配合の漢字の筆形位置の配列図76 の第五小方形位置に漢字筆形の選択はキーボード図153のキーパッド上の各グループかの筆形になり、該当する漢字にあたる配合の漢字の筆形位置の配列図76 の第五小方形位置にこの漢字の右上角の筆形をキーインする。
ステップ6.該当する漢字にあたる配合の漢字の筆形位置の配列図76 の第六小方形位置に漢字筆形の選択はキーボード図153のキーパッド上の各グループかの筆形になり、該当する漢字にあたる配合の漢字の筆形位置の配列図76 の第六小方形位置にこの漢字の右直列の右上角の筆形から下にいって第二位置の筆形をキーインする。
上記のステップで漢字のコードを生成し、この漢字のコンピューターと通信コードを代表することを含む方法。
【請求項３０】
請求項1の方法に従って、キーボードに標記されている漢字筆形によって.図45 の筆形位置と同じのような漢字を選択し、あらかじめ指定される小さい四角いにある漢字筆形を選択し,この漢字の連続筆形位置の配列図45 順番に漢字の筆形入力して、 
ステップ1.該当する漢字にあたる配合の漢字の筆形位置の配列図45 の第一小方形位置に漢字筆形の選択はキーボード図153のキーパッド上各グループかの筆形になり、該当する漢字にあたる配合の漢字の筆形位置の配列図45 の第一小方形位置にこの漢字の左上角の筆形をキーインする。
ステップ2.該当する漢字にあたる配合の漢字の筆形位置の配列図45 の第二小方形位置に漢字筆形の選択はキーボード図153のキーパッド上の各グループかの筆形になり、該当する漢字にあたる配合の漢字の筆形位置の配列図45 の第二小方形位置にこの漢字の右側のシングル筆形をキーインする。
ステップ3.該当する漢字にあたる配合の漢字の筆形位置の配列図45 の第三小方形位置に 漢字筆形の選択はキーボード図153のキーパッド上の各グループかの筆形 になり、該当する漢字にあたる配合の漢字の筆形位置の配列図45 の第三小方形位置にこの漢字の右のシングル側の筆形から計算し、第二直列の底部小方形の筆形をキーインする。
ステップ4.該当する漢字にあたる配合の漢字の筆形位置の配列図45 の第四小方形位置に漢字筆形の選択はキーボード図153のキーパッド上の各グループかの筆形になり、該当する漢字にあたる配合の漢字の筆形位置の配列図45 の第四小方形位置にこの漢字の左下角の小方形位置の筆形をキーインする 
ステップ5.該当する漢字にあたる配合の漢字の筆形位置の配列図45 の第五小方形位置に漢字筆形の選択はキーボード図153のキーパッド上の各グループかの筆形になり、該当する漢字にあたる配合の漢字の筆形位置の配列図45 の第五小方形位置にこの漢字の右のシングル側の筆形から計算し、第二直列の頂点小方形の筆形をキーインする。
上記のステップで漢字のコードを生成し、この漢字のコンピューターと通信コードを代表することを含む方法。
【請求項３１】
請求項1の方法に従って、キーボードに標記されている漢字筆形によって.図43 の筆形位置と同じのような漢字を選択し、あらかじめ指定される小さい四角いにある漢字筆形を選択し,この漢字の連続筆形位置の配列図43 順番に漢字の筆形入力して、 
ステップ1.該当する漢字にあたる配合の漢字の筆形位置の配列図43 の第一小方形位置に漢字筆形の選択はキーボード図153のキーパッド上各グループかの筆形になり、該当する漢字にあたる配合の漢字の筆形位置の配列図43 の第一小方形位置にこの漢字の左側のシングル筆形をキーインする。
ステップ2.該当する漢字にあたる配合の漢字の筆形位置の配列図43 の第二小方形位置に漢字筆形の選択はキーボード図153のキーパッド上の各グループかの筆形になり、該当する漢字にあたる配合の漢字の筆形位置の配列図43 の第二小方形位置にこの漢字の左側のシングル筆形から計算して第二直列の頂点筆形をキーインする。
ステップ3.該当する漢字にあたる配合の漢字の筆形位置の配列図43 の第三小方形位置に 漢字筆形の選択はキーボード図153のキーパッド上の各グループかの筆形 になり、該当する漢字にあたる配合の漢字の筆形位置の配列図43 の第三小方形位置にこの漢字の右下角の筆形をキーインする。
ステップ4.該当する漢字にあたる配合の漢字の筆形位置の配列図43 の第四小方形位置に漢字筆形の選択はキーボード図153のキーパッド上の各グループかの筆形になり、該当する漢字にあたる配合の漢字の筆形位置の配列図43 の第四小方形位置にこの漢字の左のシングル側の筆形から計算し、第二直列の底部小方形の筆形をキーインする 
ステップ5.該当する漢字にあたる配合の漢字の筆形位置の配列図43 の第五小方形位置に漢字筆形の選択はキーボード図153のキーパッド上の各グループかの筆形になり、該当する漢字にあたる配合の漢字の筆形位置の配列図43 の第五小方形位置にこの漢字の右上角の筆形をキーインする。
上記のステップで漢字のコードを生成し、この漢字のコンピューターと通信コードを代表することを含む方法。
【請求項３２】
請求項1の方法に従って、キーボードに標記されている漢字筆形によって.図90 の筆形位置と同じのような漢字を選択し、あらかじめ指定される小さい四角いにある漢字筆形を選択し,この漢字の連続筆形位置の配列図90 順番に漢字の筆形入力して、 
ステップ1.該当する漢字にあたる配合の漢字の筆形位置の配列図90 の第一小方形位置に漢字筆形の選択はキーボード図153のキーパッド上各グループかの筆形になり、該当する漢字にあたる配合の漢字の筆形位置の配列図90 の第一小方形位置にこの漢字の左上角の筆形をキーインする。
ステップ2.該当する漢字にあたる配合の漢字の筆形位置の配列図90 の第二小方形位置に漢字筆形の選択はキーボード図153のキーパッド上の各グループかの筆形になり、該当する漢字にあたる配合の漢字の筆形位置の配列図90 の第二小方形位置にこの漢字の右のシングル側の筆形から計算し、第二直列の頂点小方形の筆形をキーインする。
ステップ3.該当する漢字にあたる配合の漢字の筆形位置の配列図90 の第三小方形位置に 漢字筆形の選択はキーボード図153のキーパッド上の各グループかの筆形 になり、該当する漢字にあたる配合の漢字の筆形位置の配列図90 の第三小方形位置にこの漢字の右側のシングル筆形をキーインする。
ステップ4.該当する漢字にあたる配合の漢字の筆形位置の配列図90 の第四小方形位置に漢字筆形の選択はキーボード図153のキーパッド上の各グループかの筆形になり、該当する漢字にあたる配合の漢字の筆形位置の配列図90 の第四小方形位置にこの漢字の右のシングル側の筆形から計算し、第二直列の底部小方形の筆形をキーインする 
ステップ5.該当する漢字にあたる配合の漢字の筆形位置の配列図90 の第五小方形位置に漢字筆形の選択はキーボード図53のキーパッド上の各グループかの筆形になり、該当する漢字にあたる配合の漢字の筆形位置の配列図90 の第五小方形位置にこの漢字の左下角の小方形位置の筆形をキーインする。
上記のステップで漢字のコードを生成し、この漢字のコンピューターと通信コードを代表することを含む方法。
【請求項３３】
請求項1の方法に従って、キーボードに標記されている漢字筆形によって.図91 の筆形位置と同じのような漢字を選択し、あらかじめ指定される小さい四角いにある漢字筆形を選択し,この漢字の連続筆形位置の配列図91 順番に漢字の筆形入力して、 
ステップ1.該当する漢字にあたる配合の漢字の筆形位置の配列図91 の第一小方形位置に漢字筆形の選択はキーボード図153のキーパッド上各グループかの筆形になり、該当する漢字にあたる配合の漢字の筆形位置の配列図91 の第一小方形位置にこの漢字の左上角の筆形をキーインする。
ステップ2.該当する漢字にあたる配合の漢字の筆形位置の配列図91 の第二小方形位置に漢字筆形の選択はキーボード図153のキーパッド上の各グループかの筆形になり、該当する漢字にあたる配合の漢字の筆形位置の配列図91 の第二小方形位置にこの漢字の右側のシングル筆形をキーインする。
ステップ3.該当する漢字にあたる配合の漢字の筆形位置の配列図91 の第三小方形位置に 漢字筆形の選択はキーボード図153のキーパッド上の各グループかの筆形 になり、該当する漢字にあたる配合の漢字の筆形位置の配列図91 の第三小方形位置にこの漢字の右のシングル側の筆形から計算し、第二直列の底部小方形の筆形をキーインする。
ステップ4.該当する漢字にあたる配合の漢字の筆形位置の配列図91 の第四小方形位置に漢字筆形の選択はキーボード図153のキーパッド上の各グループかの筆形になり、該当する漢字にあたる配合の漢字の筆形位置の配列図91 の第四小方形位置にこの漢字の右のシングル側の筆形から計算し、第二直列の底部左下角の筆形から上にいって第二小方形位置の筆形をキーインする 
ステップ5.該当する漢字にあたる配合の漢字の筆形位置の配列図91 の第五小方形位置に漢字筆形の選択はキーボード図153のキーパッド上の各グループかの筆形になり、該当する漢字にあたる配合の漢字の筆形位置の配列図91 の第五小方形位置にこの漢字の右のシングル側の筆形から計算し、第二直列の底部左下角の筆形から上にいって第三小方形位置の筆形をキーインする。
上記のステップで漢字のコードを生成し、この漢字のコンピューターと通信コードを代表することを含む方法。
【請求項３４】
請求項1の方法に従って、キーボードに標記されている漢字筆形によって.図92 の筆形位置と同じのような漢字を選択し、あらかじめ指定される小さい四角いにある漢字筆形を選択し,この漢字の連続筆形位置の配列図92 順番に漢字の筆形入力して、 
ステップ1.該当する漢字にあたる配合の漢字の筆形位置の配列図92 の第一小方形位置に漢字筆形の選択はキーボード図153のキーパッド上各グループかの筆形になり、該当する漢字にあたる配合の漢字の筆形位置の配列図92 の第一小方形位置にこの漢字の左上角の小方形位置の筆形をキーインする。
ステップ2.該当する漢字にあたる配合の漢字の筆形位置の配列図92 の第二小方形位置に漢字筆形の選択はキーボード図153のキーパッド上の各グループかの筆形になり、該当する漢字にあたる配合の漢字の筆形位置の配列図92 の第二小方形位置にこの漢字の右のシングル側の筆形から計算し、第二直列の頂点小方形位置の筆形をキーインする。
ステップ3.該当する漢字にあたる配合の漢字の筆形位置の配列図92 の第三小方形位置に 漢字筆形の選択はキーボード図153のキーパッド上の各グループかの筆形 になり、該当する漢字にあたる配合の漢字の筆形位置の配列図92 の第三小方形位置にこの漢字の右のシングル側の筆形をキーインする。
ステップ4.該当する漢字にあたる配合の漢字の筆形位置の配列図92 の第四小方形位置に漢字筆形の選択はキーボード図153のキーパッド上の各グループかの筆形になり、該当する漢字にあたる配合の漢字の筆形位置の配列図92 の第四小方形位置にこの漢字の右のシングル側の筆形から計算し、第二直列の底部左下角小方形位置の筆形をキーインする 
ステップ5.該当する漢字にあたる配合の漢字の筆形位置の配列図92 の第五小方形位置に漢字筆形の選択はキーボード図153のキーパッド上の各グループかの筆形になり、該当する漢字にあたる配合の漢字の筆形位置の配列図92 の第五小方形位置にこの漢字の左上角の小方形位置の筆形から下にいって第二位置の筆形をキーインする。
上記のステップで漢字のコードを生成し、この漢字のコンピューターと通信コードを代表することを含む方法。
【請求項３５】
請求項1の方法に従って、キーボードに標記されている漢字筆形によって.図93 の筆形位置と同じのような漢字を選択し、あらかじめ指定される小さい四角いにある漢字筆形を選択し,この漢字の連続筆形位置の配列図93 順番に漢字の筆形入力して、 
ステップ1.該当する漢字にあたる配合の漢字の筆形位置の配列図93 の第一小方形位置に漢字筆形の選択はキーボード図153のキーパッド上各グループかの筆形になり、該当する漢字にあたる配合の漢字の筆形位置の配列図93 の第一小方形位置にこの漢字の左上角の筆形をキーインする。
ステップ2.該当する漢字にあたる配合の漢字の筆形位置の配列図93 の第二小方形位置に漢字筆形の選択はキーボード図153のキーパッド上の各グループかの筆形になり、該当する漢字にあたる配合の漢字の筆形位置の配列図93 の第二小方形位置にこの漢字の左の直列から計算し、第二直列の頂部小方形の位置の筆形をキーインする。
ステップ3.該当する漢字にあたる配合の漢字の筆形位置の配列図93 の第三小方形位置に 漢字筆形の選択はキーボード図153のキーパッド上の各グループかの筆形 になり、該当する漢字にあたる配合の漢字の筆形位置の配列図93 の第三小方形位置にこの漢字の底部のシングル側の筆形をキーインする。
ステップ4.該当する漢字にあたる配合の漢字の筆形位置の配列図93 の第四小方形位置に漢字筆形の選択はキーボード図153のキーパッド上の各グループかの筆形になり、該当する漢字にあたる配合の漢字の筆形位置の配列図93 の第四小方形位置にこの漢字の左の直列から計算し.第三直列の頂部四角形の位置の筆形をキーインする 
上記のステップで漢字のコードを生成し、この漢字のコンピューターと通信コードを代表することを含む方法。
【請求項３６】
請求項1の方法に従って、キーボードに標記されている漢字筆形によって.図94 の筆形位置と同じのような漢字を選択し、あらかじめ指定される小さい四角いにある漢字筆形を選択し,この漢字の連続筆形位置の配列図94 順番に漢字の筆形入力して、 
ステップ1.該当する漢字にあたる配合の漢字の筆形位置の配列図94 の第一小方形位置に漢字筆形の選択はキーボード図153のキーパッド上各グループかの筆形になり、該当する漢字にあたる配合の漢字の筆形位置の配列図94 の第一小方形位置にこの漢字の左上の筆形をキーインする。
ステップ2.該当する漢字にあたる配合の漢字の筆形位置の配列図94 の第二小方形位置に漢字筆形の選択はキーボード図153のキーパッド上の各グループかの筆形になり、該当する漢字にあたる配合の漢字の筆形位置の配列図94 の第二小方形位置にこの漢字の右上角の筆形をキーインする。
ステップ3.該当する漢字にあたる配合の漢字の筆形位置の配列図94 の第三小方形位置に 漢字筆形の選択はキーボード図153のキーパッド上の各グループかの筆形 になり、該当する漢字にあたる配合の漢字の筆形位置の配列図94 の第三小方形位置にこの漢字の底部のシングル側の筆形をキーインする。
ステップ4.該当する漢字にあたる配合の漢字の筆形位置の配列図94 の第四小方形位置に漢字筆形の選択はキーボード図153のキーパッド上の各グループかの筆形になり、該当する漢字にあたる配合の漢字の筆形位置の配列図94 の第四小方形位置にこの漢字の右直列の底部のシングル側の筆形から上にいって第二小方形位置の筆形をキーインする 
ステップ5.該当する漢字にあたる配合の漢字の筆形位置の配列図94の第五小方形位置に漢字筆形の選択はキーボード図153のキーパッド上の各グループかの筆形になり、該当する漢字にあたる配合の漢字の筆形位置の配列図94 の第五小方形位置にこの漢字の右直列の底部のシングル側の筆形から上にいって第三小方形位置の筆形をキーインする。
上記のステップで漢字のコードを生成し、この漢字のコンピューターと通信コードを代表することを含む方法。
【請求項３７】
請求項1の方法に従って、キーボードに標記されている漢字筆形によって.図95 の筆形位置と同じのような漢字を選択し、あらかじめ指定される小さい四角いにある漢字筆形を選択し,この漢字の連続筆形位置の配列図95 順番に漢字の筆形入力して、 
ステップ1.該当する漢字にあたる配合の漢字の筆形位置の配列図95 の第一小方形位置に漢字筆形の選択はキーボード図153のキーパッド上各グループかの筆形になり、該当する漢字にあたる配合の漢字の筆形位置の配列図95 の第一小方形位置にこの漢字の左直列の左上角の筆形をキーインする。
ステップ2.該当する漢字にあたる配合の漢字の筆形位置の配列図95 の第二小方形位置に漢字筆形の選択はキーボード図153のキーパッド上の各グループかの筆形になり、該当する漢字にあたる配合の漢字の筆形位置の配列図95 の第二小方形位置にこの漢字の右上角の筆形をキーインする。
ステップ3.該当する漢字にあたる配合の漢字の筆形位置の配列図95 の第三小方形位置に 漢字筆形の選択はキーボード図153のキーパッド上の各グループかの筆形 になり、該当する漢字にあたる配合の漢字の筆形位置の配列図95 の第三小方形位置にこの漢字の底部のシングル側の筆形をキーインする。
ステップ4.該当する漢字にあたる配合の漢字の筆形位置の配列図95 の第四小方形位置に漢字筆形の選択はキーボード図153のキーパッド上の各グループかの筆形になり、該当する漢字にあたる配合の漢字の筆形位置の配列図95 の第四小方形位置にこの漢字の左直列の底部のシングル側の筆形から上にいって第二小方形位置の筆形をキーインする 
ステップ5.該当する漢字にあたる配合の漢字の筆形位置の配列図95 の第五小方形位置に漢字筆形の選択はキーボード図153のキーパッド上の各グループかの筆形になり、該当する漢字にあたる配合の漢字の筆形位置の配列図95 の第五小方形位置にこの漢字の左直列の底部のシングル側の筆形から上にいって第三小方形位置の筆形をキーインする。
上記のステップで漢字のコードを生成し、この漢字のコンピューターと通信コードを代表することを含む方法。
【請求項３８】
請求項1の方法に従って、キーボードに標記されている漢字筆形によって.図96 の筆形位置と同じのような漢字を選択し、あらかじめ指定される小さい四角いにある漢字筆形を選択し,この漢字の連続筆形位置の配列図96 順番に漢字の筆形入力して、 
ステップ1.該当する漢字にあたる配合の漢字の筆形位置の配列図96 の第一小方形位置に漢字筆形の選択はキーボード図153のキーパッド上各グループかの筆形になり、該当する漢字にあたる配合の漢字の筆形位置の配列図96 の第一小方形位置にこの漢字の頂部のシングル側の筆形をキーインする。
ステップ2.該当する漢字にあたる配合の漢字の筆形位置の配列図96 の第二小方形位置に漢字筆形の選択はキーボード図153のキーパッド上の各グループかの筆形になり、該当する漢字にあたる配合の漢字の筆形位置の配列図96 の第二小方形位置にこの漢字の右下角小方形の位置の筆形をキーインする。
ステップ3.該当する漢字にあたる配合の漢字の筆形位置の配列図96 の第三小方形位置に 漢字筆形の選択はキーボード図153のキーパッド上の各グループかの筆形 になり、該当する漢字にあたる配合の漢字の筆形位置の配列図96 の第三小方形位置にこの漢字の左下角の小方形位置の筆形をキーインする。
ステップ4.該当する漢字にあたる配合の漢字の筆形位置の配列図96 の第四小方形位置に漢字筆形の選択はキーボード図153のキーパッド上の各グループかの筆形になり、該当する漢字にあたる配合の漢字の筆形位置の配列図96 の第四小方形位置にこの漢字の左の直列の頂部のシングル筆形から下にいって第二位置の筆形をキーインする 
ステップ5.該当する漢字にあたる配合の漢字の筆形位置の配列図96 の第五小方形位置に漢字筆形の選択はキーボード図153のキーパッド上の各グループかの筆形になり、該当する漢字にあたる配合の漢字の筆形位置の配列図96 の第五小方形位置にこの漢字の右の直列の右下角小方形の位置の筆形から上にいって第二位置の筆形をキーインする。
上記のステップで漢字のコードを生成し、この漢字のコンピューターと通信コードを代表することを含む方法。
【請求項３９】
請求項1の方法に従って、キーボードに標記されている漢字筆形によって.図97 の筆形位置と同じのような漢字を選択し、あらかじめ指定される小さい四角いにある漢字筆形を選択し,この漢字の連続筆形位置の配列図97 順番に漢字の筆形入力して、 
ステップ1.該当する漢字にあたる配合の漢字の筆形位置の配列図97 の第一小方形位置に漢字筆形の選択はキーボード図153のキーパッド上各グループかの筆形になり、該当する漢字にあたる配合の漢字の筆形位置の配列図97 の第一小方形位置にこの漢字の頂部のシングル側の筆形をキーインする。
ステップ2.該当する漢字にあたる配合の漢字の筆形位置の配列図97 の第二小方形位置に漢字筆形の選択はキーボード図153のキーパッド上の各グループかの筆形になり、該当する漢字にあたる配合の漢字の筆形位置の配列図97 の第二小方形位置にこの漢字の底部のシングル側の筆形をキーインする。
ステップ3.該当する漢字にあたる配合の漢字の筆形位置の配列図97 の第三小方形位置に 漢字筆形の選択はキーボード図153のキーパッド上の各グループかの筆形 になり、該当する漢字にあたる配合の漢字の筆形位置の配列図97 の第三小方形位置にこの漢字の左直列の底部のシングル側の筆形から上にいって第二小方形位置の筆形をキーインする。
ステップ4.該当する漢字にあたる配合の漢字の筆形位置の配列図97 の第四小方形位置に漢字筆形の選択はキーボード図153のキーパッド上の各グループかの筆形になり、該当する漢字にあたる配合の漢字の筆形位置の配列図97 の第四小方形位置にこの漢字の左の直列の頂部のシングル筆形から下にいって第二位置の筆形をキーインする 
ステップ5.該当する漢字にあたる配合の漢字の筆形位置の配列図97 の第五小方形位置に漢字筆形の選択はキーボード図153のキーパッド上の各グループかの筆形になり、該当する漢字にあたる配合の漢字の筆形位置の配列図97 の第五小方形位置にこの漢字の右の直列の頂部のシングル筆形から下にいって第二位置の筆形をキーインする。
ステップ6.該当する漢字にあたる配合の漢字の筆形位置の配列図97 の第六小方形位置に漢字筆形の選択はキーボード図153のキーパッド上の各グループかの筆形になり、該当する漢字にあたる配合の漢字の筆形位置の配列図97 の第六小方形位置にこの漢字の右の直列の頂部のシングル筆形から下にいって第三位置の筆形をキーインする。
上記のステップで漢字のコードを生成し、この漢字のコンピューターと通信コードを代表することを含む方法。
【請求項４０】
請求項1の方法に従って、キーボードに標記されている漢字筆形によって.図98 の筆形位置と同じのような漢字を選択し、あらかじめ指定される小さい四角いにある漢字筆形を選択し,この漢字の連続筆形位置の配列図98 順番に漢字の筆形入力して、 
ステップ1.該当する漢字にあたる配合の漢字の筆形位置の配列図98 の第一小方形位置に漢字筆形の選択はキーボード図153のキーパッド上各グループかの筆形になり、該当する漢字にあたる配合の漢字の筆形位置の配列図98 の第一小方形位置にこの漢字の左直列の左上角の筆形をキーインする。
ステップ2.該当する漢字にあたる配合の漢字の筆形位置の配列図98 の第二小方形位置に漢字筆形の選択はキーボード図153のキーパッド上の各グループかの筆形になり、該当する漢字にあたる配合の漢字の筆形位置の配列図98 の第二小方形位置にこの漢字の右上角の筆形をキーインする。
ステップ3.該当する漢字にあたる配合の漢字の筆形位置の配列図98 の第三小方形位置に 漢字筆形の選択はキーボード図153のキーパッド上の各グループかの筆形 になり、該当する漢字にあたる配合の漢字の筆形位置の配列図98 の第三小方形位置にこの漢字の右下角の筆形をキーインする。
ステップ4.該当する漢字にあたる配合の漢字の筆形位置の配列図98 の第四小方形位置に漢字筆形の選択はキーボード図153のキーパッド上の各グループかの筆形になり、該当する漢字にあたる配合の漢字の筆形位置の配列図98 の第四小方形位置にこの漢字の左下角の小方形位置の筆形をキーインする 
ステップ5.該当する漢字にあたる配合の漢字の筆形位置の配列図98 の第五小方形位置に漢字筆形の選択はキーボード図153のキーパッド上の各グループかの筆形になり、該当する漢字にあたる配合の漢字の筆形位置の配列図98 の第五小方形位置にこの漢字の左の直列の左下角小方形の位置の筆形から上にいって第二位置の筆形をキーインする。
上記のステップで漢字のコードを生成し、この漢字のコンピューターと通信コードを代表することを含む方法。
【請求項４１】
請求項1の方法に従って、キーボードに標記されている漢字筆形によって.図99 の筆形位置と同じのような漢字を選択し、あらかじめ指定される小さい四角いにある漢字筆形を選択し,この漢字の連続筆形位置の配列図99順番に漢字の筆形入力して、 
ステップ1.該当する漢字にあたる配合の漢字の筆形位置の配列図99 の第一小方形位置に漢字筆形の選択はキーボード図153のキーパッド上各グループかの筆形になり、該当する漢字にあたる配合の漢字の筆形位置の配列図99 の第一小方形位置にこの漢字の左のシングル側の筆形をキーインする。
ステップ2.該当する漢字にあたる配合の漢字の筆形位置の配列図99 の第二小方形位置に漢字筆形の選択はキーボード図153のキーパッド上の各グループかの筆形になり、該当する漢字にあたる配合の漢字の筆形位置の配列図99 の第二小方形位置にこの漢字の左のシングル側の筆形から計算し、第二直列の頂点小方形の筆形をキーインする。
ステップ3.該当する漢字にあたる配合の漢字の筆形位置の配列図99 の第三小方形位置に 漢字筆形の選択はキーボード図153のキーパッド上の各グループかの筆形 になり、該当する漢字にあたる配合の漢字の筆形位置の配列図99 の第三小方形位置にこの漢字の右側のシングル筆形をキーインする。
ステップ4.該当する漢字にあたる配合の漢字の筆形位置の配列図99 の第四小方形位置に漢字筆形の選択はキーボード図153のキーパッド上の各グループかの筆形になり、該当する漢字にあたる配合の漢字の筆形位置の配列図99 の第四小方形位置にこの漢字の右のシングル側の筆形から計算し、第二直列の底部小方形位置の筆形をキーインする 
ステップ5.該当する漢字にあたる配合の漢字の筆形位置の配列図99 の第五小方形位置に漢字筆形の選択はキーボード図153のキーパッド上の各グループかの筆形になり、該当する漢字にあたる配合の漢字の筆形位置の配列図99 の第五小方形位置にこの漢字の右のシングル側の筆形から計算し、第二直列の底部小方形の筆形から上にいって第二小方形位置の筆形をキーインする。
上記のステップで漢字のコードを生成し、この漢字のコンピューターと通信コードを代表することを含む方法。
【請求項４２】
請求項1の方法に従って、キーボードに標記されている漢字筆形によって.図100 の筆形位置と同じのような漢字を選択し.あらかじめ指定される小さい四角いにある漢字筆形を選択し,この漢字の連続筆形位置の配列図100 順番に漢字の筆形入力して、 
ステップ1.該当する漢字にあたる配合の漢字の筆形位置の配列図100 の第一小方形位置に漢字筆形の選択はキーボード図153のキーパッド上各グループかの筆形になり、該当する漢字にあたる配合の漢字の筆形位置の配列図100 の第一小方形位置にこの漢字の大きな四角い筆形をキーインする。
ステップ2.該当する漢字にあたる配合の漢字の筆形位置の配列図100 の第二小方形位置に漢字筆形の選択はキーボード図153のキーパッド上の各グループかの筆形になり、該当する漢字にあたる配合の漢字の筆形位置の配列図100 の第二小方形位置にこの漢字の大きな四角い筆形の内側の左上角の筆形をキーインする。
ステップ3.該当する漢字にあたる配合の漢字の筆形位置の配列図100 の第三小方形位置に 漢字筆形の選択はキーボード図153のキーパッド上の各グループかの筆形 になり、該当する漢字にあたる配合の漢字の筆形位置の配列図100 の第三小方形位置にこの漢字の大きな四角い筆形の内側の右下角の筆形をキーインする。
ステップ4.該当する漢字にあたる配合の漢字の筆形位置の配列図100 の第四小方形位置に漢字筆形の選択はキーボード図153のキーパッド上の各グループかの筆形になり、該当する漢字にあたる配合の漢字の筆形位置の配列図100 の第四小方形位置にこの漢字の大きな四角い筆形の内側の左下角の筆形をキーインする 
ステップ5.該当する漢字にあたる配合の漢字の筆形位置の配列図100 の第五小方形位置に漢字筆形の選択はキーボード図153のキーパッド上の各グループかの筆形になり、該当する漢字にあたる配合の漢字の筆形位置の配列図100 の第五小方形位置にこの漢字の大きな四角い筆形の内側の真ん中の筆形をキーインする。
上記のステップで漢字のコードを生成し、この漢字のコンピューターと通信コードを代表することを含む方法。
【請求項４３】
請求項1の方法に従って、キーボードに標記されている漢字筆形によって.図102 の筆形位置と同じのような漢字を選択し、あらかじめ指定される小さい四角いにある漢字筆形を選択し,この漢字の連続筆形位置の配列図102 順番に漢字の筆形入力して、 
ステップ1.該当する漢字にあたる配合の漢字の筆形位置の配列図102 の第一小方形位置に漢字筆形の選択はキーボード図151のキーパッド上各グループかの筆形になり、該当する漢字にあたる配合の漢字の筆形位置の配列図102 の第一小方形位置にこの漢字の右上角の筆形をキーインする。
ステップ2.該当する漢字にあたる配合の漢字の筆形位置の配列図102 の第二小方形位置に漢字筆形の選択はキーボード図151のキーパッド上の各グループかの筆形になり、該当する漢字にあたる配合の漢字の筆形位置の配列図102 の第二小方形位置にこの漢字の左側のシングル筆形から計算して第二直列の頂点筆形をキーインする。
ステップ3.該当する漢字にあたる配合の漢字の筆形位置の配列図102 の第三小方形位置に 漢字筆形の選択はキーボード図151のキーパッド上の各グループかの筆形 になり、該当する漢字にあたる配合の漢字の筆形位置の配列図102 の第三小方形位置にこの漢字の左側のシングル筆形をキーインする。
ステップ4.該当する漢字にあたる配合の漢字の筆形位置の配列図102 の第四小方形位置に漢字筆形の選択はキーボード図151のキーパッド上の各グループかの筆形になり、該当する漢字にあたる配合の漢字の筆形位置の配列図102 の第四小方形位置にこの漢字の左のシングル側の筆形から計算し、第二直列の底部の筆形をキーインする 
ステップ5.該当する漢字にあたる配合の漢字の筆形位置の配列図102 の第五小方形位置に漢字筆形の選択はキーボード図151のキーパッド上の各グループかの筆形になり、該当する漢字にあたる配合の漢字の筆形位置の配列図102 の第五小方形位置にこの漢字の右下角の筆形をキーインする。
上記のステップで漢字のコードを生成し、この漢字のコンピューターと通信コードを代表することを含む方法。
【請求項４４】
請求項1の方法に従って、キーボードに標記されている漢字筆形によって.図103 の筆形位置と同じのような漢字を選択し、あらかじめ指定される小さい四角いにある漢字筆形を選択し,この漢字の連続筆形位置の配列図103 順番に漢字の筆形入力して、 
ステップ1.該当する漢字にあたる配合の漢字の筆形位置の配列図103 の第一小方形位置に漢字筆形の選択はキーボード図151のキーパッド上各グループかの筆形になり、該当する漢字にあたる配合の漢字の筆形位置の配列図103 の第一小方形位置にこの漢字の右上角の筆形をキーインする。
ステップ2.該当する漢字にあたる配合の漢字の筆形位置の配列図103 の第二小方形位置に漢字筆形の選択はキーボード図151のキーパッド上の各グループかの筆形になり、該当する漢字にあたる配合の漢字の筆形位置の配列図103 の第二小方形位置にこの漢字の左側のシングル筆形から計算して第二直列の頂点筆形をキーインする。
ステップ3.該当する漢字にあたる配合の漢字の筆形位置の配列図103 の第三小方形位置に 漢字筆形の選択はキーボード図151のキーパッド上の各グループかの筆形 になり、該当する漢字にあたる配合の漢字の筆形位置の配列図103 の第三小方形位置にこの漢字の左側のシングル筆形をキーインする。
ステップ4.該当する漢字にあたる配合の漢字の筆形位置の配列図103 の第四小方形位置に漢字筆形の選択はキーボード図151のキーパッド上の各グループかの筆形になり、該当する漢字にあたる配合の漢字の筆形位置の配列図103 の第四小方形位置にこの漢字の左のシングル側の筆形から計算し、第二直列の底部の筆形をキーインする 
ステップ5.該当する漢字にあたる配合の漢字の筆形位置の配列図103 の第五小方形位置に漢字筆形の選択はキーボード図151のキーパッド上の各グループかの筆形になり、該当する漢字にあたる配合の漢字の筆形位置の配列図103 の第五小方形位置にこの漢字の右下角の筆形をキーインする。
ステップ6.該当する漢字にあたる配合の漢字の筆形位置の配列図103 の第五小方形位置に漢字筆形の選択はキーボード図151のキーパッド上の各グループかの筆形になり、該当する漢字にあたる配合の漢字の筆形位置の配列図103 の第五小方形位置にこの漢字の右下角の筆形から上にいって第二小方形位置の筆形をキーインする。
上記のステップで漢字のコードを生成し、この漢字のコンピューターと通信コードを代表することを含む方法。
【請求項４５】
請求項1の方法に従って、キーボードに標記されている漢字筆形によって.図104 の筆形位置と同じのような漢字を選択し、あらかじめ指定される小さい四角いにある漢字筆形を選択し,この漢字の連続筆形位置の配列図104 順番に漢字の筆形入力して、 
ステップ1.該当する漢字にあたる配合の漢字の筆形位置の配列図104 の第一小方形位置に漢字筆形の選択はキーボード図151のキーパッド上各グループかの筆形になり、該当する漢字にあたる配合の漢字の筆形位置の配列図104 の第一小方形位置にこの漢字の右上角の筆形をキーインする。
ステップ2.該当する漢字にあたる配合の漢字の筆形位置の配列図104 の第二小方形位置に漢字筆形の選択はキーボード図151のキーパッド上の各グループかの筆形になり、該当する漢字にあたる配合の漢字の筆形位置の配列図104 の第二小方形位置にこの漢字の右の直列から計算し、第二直列の頂部小方形の位置の筆形をキーインする。
ステップ3.該当する漢字にあたる配合の漢字の筆形位置の配列図104 の第三小方形位置に 漢字筆形の選択はキーボード図151のキーパッド上の各グループかの筆形 になり、該当する漢字にあたる配合の漢字の筆形位置の配列図104 の第三小方形位置にこの漢字の底部のシングル側の筆形をキーインする。
ステップ4.該当する漢字にあたる配合の漢字の筆形位置の配列図104 の第四小方形位置に漢字筆形の選択はキーボード図151のキーパッド上の各グループかの筆形になり、該当する漢字にあたる配合の漢字の筆形位置の配列図104 の第四小方形位置にこの漢字の左上角の筆形をキーインする 
上記のステップで漢字のコードを生成し、この漢字のコンピューターと通信コードを代表することを含む方法。
【請求項４６】
請求項1の方法に従って、キーボードに標記されている漢字筆形によって.図106 の筆形位置と同じのような漢字を選択し、あらかじめ指定される小さい四角いにある漢字筆形を選択し,この漢字の連続筆形位置の配列図106 順番に漢字の筆形入力して、 
ステップ1.該当する漢字にあたる配合の漢字の筆形位置の配列図106 の第一小方形位置に漢字筆形の選択はキーボード図151のキーパッド上各グループかの筆形になり、該当する漢字にあたる配合の漢字の筆形位置の配列図106 の第一小方形位置にこの漢字の右上角の筆形をキーインする。
ステップ2.該当する漢字にあたる配合の漢字の筆形位置の配列図106 の第二小方形位置に漢字筆形の選択はキーボード図151のキーパッド上の各グループかの筆形になり、該当する漢字にあたる配合の漢字の筆形位置の配列図106 の第二小方形位置にこの漢字の左上角の筆形をキーインする。
ステップ3.該当する漢字にあたる配合の漢字の筆形位置の配列図106 の第三小方形位置に 漢字筆形の選択はキーボード図151のキーパッド上の各グループかの筆形 になり、該当する漢字にあたる配合の漢字の筆形位置の配列図106 の第三小方形位置にこの漢字の底部のシングル側の筆形をキーインする。
ステップ4.該当する漢字にあたる配合の漢字の筆形位置の配列図106 の第四小方形位置に漢字筆形の選択はキーボード図151のキーパッド上の各グループかの筆形になり、該当する漢字にあたる配合の漢字の筆形位置の配列図106 の第四小方形位置にこの漢字の右直列の底部のシングル側の筆形から上にいって第二小方形位置の筆形をキーインする 
ステップ5.該当する漢字にあたる配合の漢字の筆形位置の配列図106 の第五小方形位置に漢字筆形の選択はキーボード図151のキーパッド上の各グループかの筆形になり、該当する漢字にあたる配合の漢字の筆形位置の配列図106 の第五小方形位置にこの漢字の右直列の底部のシングル側の筆形から上にいって第三小方形位置の筆形をキーインする。
上記のステップで漢字のコードを生成し、この漢字のコンピューターと通信コードを代表することを含む方法。
【請求項４７】
請求項1に記載の、漢字のコンピュータおよび通信用のコードを作る方法において、標記手順は大体図151で示されるように記号キーパッドに関連して語形図を配置することで行われる漢字のコンピュータおよび通信用のコード作成装置。キーボード装置には45コのキーがあり、キーボードは図151の通りであり、キーボードに３４９語形図をそれぞれ表しているキーパッドの実施例を示す図であり、キーボードは図154の通りである方法。
【請求項４８】
請求項1に記載の、漢字のコンピュータおよび通信用のコードを作る方法において、標記手順は大体図152で示されるように記号キーパッドに関連して語形図を配置することで行われる漢字のコンピュータおよび通信用のコード作成装置であり、キーボード装置には４７コのキーがあり、キーボードは図152の通りである。
【請求項４９】
請求項1に記載の、漢字のコンピュータおよび通信用のコードを作る方法において、標記手順は大体図153で示されるように記号キーパッドに関連して語形図を配置することで行われる漢字のコンピュータおよび通信用のコード作成装置であり、キーボード装置には４７コのキーがあり、キーボードは図153の通りである。
【発明の詳細な説明】
【技術分野】
【０００１】
本発明は、漢字のコンピュータおよび通信用コード作成方法およびその方法を実施することができる漢字のコンピュータおよび通信用コード作成装置に関する。
【背景技術】
【０００２】
中国語（漢字）の書き言葉や活字体は、何千もの絵文字（象形もじ）で構成されており、それぞれが概念を持っている。各漢字は、正方形や長方形の内部に語形を様々に図案化することによって表現される。その方形の内部にも、正方形や長方形が入ることもある。このような内部の長方形部分の可能な配列法の多くは、可能な語形図の配列法にすべて合う必要がある。語形図数（以下、時には「語形」と称す, 語形図、語形と筆形は同じです,）は、数千の絵文字よりもぞっと少なくなっている。
【０００３】
中国語など様々な言語で情報を印刷したり通信したりする目的のために、それらの言語の文字を保存したり引出したりする方法がたくさん開発されてきたが、伝統的漢字は特に困難な問題を抱えてきた。というのも、文字数が多すぎるので、これまで標準ワープロや通信の機器と方法で使われる、コンピュータが識別できる印やコードと各漢字との間に単一の直接的関係を提供出来る方法がなかったからである。以前の方法では、電子的に保管、処理、通信するための、伝統的漢字をそれぞれコード化する直接的手段がなかった。
【発明の開示】
【発明が解決しようとする課題】
【０００４】
前記目的を達成するために本発明による漢字のコンピュータおよび通信コードを作成する方法は、
漢字のコンピュータ及び通信用コード作成装置において、
電子信号を生成するために複数のキーパッドがあり、電子信号は電子的保存や転送用に英語o数字と句讀点記号を表す電子キーボードと、
前記キーパッドにはそれぞれ前記特定の記号が１つずつ標記されており、
各キーパッドにはまた、使用可能な多数の漢字の語形図のうちの1つ以上が標記されており、前記キーパッドには前述の語形図をすべて含み、語形図は複数のグループに分けられ、グループ数はキーパッドの数と同じであり、上記語形図のグループのうちの別のグループが各キーパッドに標記されており、
キーパッドを操作して標記記号の電子信号をコードの一要素として生成し、キーパッドに記された語形図グループの語形を表し、一連の符合要素は、1つの漢字を構成するいくつかの語形が記された複数のキーパッドを順次打ち込んでいくことで得られ、この符号要素により、漢字のコンピュータおよび通信用の単一符号を生成し、この符合はその漢字を表す記号の信号で構成され、符号は、キー入力の数と同数の一連の信号で構成され、符号を生成するために順に使われるように構成されている。
前記漢字のコンピュータおよび通信用コード作成装置において、
前記キーパッドにはそれぞれ特定の記号が１つずつ標記されており、
前記使用可能な多数の漢字の語形図は３４９の漢字とすることができる。
前記漢字のコンピュータおよび通信用コード作成装置において、前記コード生成器は、そのキーボードに記号が標記された４５のキーパッドを含んで構成されている。
前記通信用コード生成器において、
１つのキーパッド上の各グループの語形図の標記は上から下の欄へ、そして左から右の欄へと順番に配列されており、こうすることで、語形標記はそれぞれキーパッド上に特定の数的位置を順に持つようにすることができる。
前記コード生成器において、
標記された語形図は、後述の図５０に示された順序で記号のキーパッドに配列することができる。
漢字のコンピュータおよび通信用のコードの作成方法において、
コンピュータや通信システムの電子キーボードには複数のキーパッドがあり、英数字や句讀点記号を表す電子信号を生成し、
キーパッドにはそれぞれ別個の記号が標記されており、
各キーパッドには、３４９の使用できる漢字語系図の内の1つ以上の別のグループが標記されており、
この３４９の語形図はキーパッドの数と同数の複数グループに分けられ、
大きい方形の領域内での小さい長方形の配列法は、漢字１文字内での語形図の位置の可能な配列法に合わせて、複数確立されており、
これらの配列をとる小さい長方形部分は、大きい領域内でのそれぞれの位置に関連してそれぞれ順に番号がつけられており、
1文字の漢字は複数ある配列法の１つでコード化するように合わせられ、
配列は、語形図用に複数の長方形の部分があり、大体、１文字の漢字の各語形図と同じ位置の配列をとって、その漢字内で語形図に代わって数字での順番を作るようにしており、
キーパッドには、小さい長方形の番号順に合わせて、数字順に語形図が標記されており、この順番でコンピュータおよび通信用のコードを生成し、
前記コードは、キーパッド数と同数の一連の記号信号で構成されている。
【０００５】
前記目的を達成するために、本発明による漢字のコンピュータおよび通信用コード作成方法は、
漢字のコンピュータおよび通信用のコードの作成方法において、
コンピュータや通信システムの電子キーボードには複数のキーパッドがあり、英数字や句讀点を表す電子信号を生成し、
キーパッドにはそれぞれ別個の記号が標記されており、
各キーパッドには、３４９の使用できる漢字語形図の内の１つ以上の別のグループが標記されており、
この３４９の語形図はキーパッドの数と同数の複数グループに分けられ、
大きい方形の領域内での小さい長方形の配列法は、漢字1文字内での語形図の位置の可能な配列法に合わせて、複数確立されており、
これらの配列をとる小さい長方形部分は、大きい領域内でのそれぞれの位置に関連してそれぞれ順に番号がつけられており、
1文字の漢字は複数ある配列法の１つでコード化するように合わせられ、
配列は、語形図用に複数の長方形の部分があり、大体、1文字の漢字の各語形図と同じ位置の配列をとって、その漢字内で語形図に代って数字での順番を作るようにしており、
キーパッドには、小さい長方形の番号順に合わせて、数字順に語形図が標記されており、この順番でコンピュータおよび通信用のコードを生成し、
コードは、キーパッド数と同数の一連の記号信号で構成されている。
前記漢字のコンピュータおよび通信用のコード作成方法において、一連のコード内の記号信号の数は２〜５つの信号とすることができる。
前記漢字のコンピュータおよび通信用のコードの作成方法において、標記手順は大体ず151で示されるように記号キーパッドに関連して語形図を配置することができる。
前記漢字のコンピュータおよび通信用のコードを作る方法において、標記手順は大体図153で示されるように記号キーパッドに関連して語形図を配置することができる。
前記漢字のコンピュータおよび通信用のコードを作る方法は、されに、コード化された複数の漢字の文構造をコード化する方法を含んでおり、その手順は、
複数の漢字から成るある情報文の漢字がそれぞれコード化されたものの中で明確に指定された複数の小さい長方形部分を選び、
選択した複数部分を順に番号をつけて、その順を表し、そして、
１つの文構造コードを作り上げ、このコードは、一連の記号信号で構成され、指定された小さい長方形部分の数字順で語形図を識別するように構成されている。
【課題を解決するための手段】
【０００６】
この発明では、漢字の活字体をコード化するのに、コンピュータの標準キーボードを用いる。各漢字は、一般に正方形や長方形の部分に複数の構成要素、つまり語形の図案で成り立っている。
これらの構成要素には、３４９の異なる標準的な語形図があり、それぞれ通常、漢字の長（正）方形の領域内の小さめの長方形部分に表されることもある。小さめの長方形は、１つの文字内の種々の語形配列に合わせるために、別の様々な方法で配列されることもある。語形を含んでいる長方形の部分は順番に番号がつけられる。
【０００７】
この発明のために、３４９の語形は45のグループに分けられ、それぞれ複数の語形を含み、各語形グループは、電子キーボード・デバイスの50のキーパッドにそれぞれ割り当てられ記されている。このデバイスは英数字と句讀点記号を表す信号を入力するためのものである。漢字をコンピュータに入力する、つまり漢字を電子的処理や転送用にコード化するためには、特定の各語形を表すキーボードのキーパッドを順番に連続してタイプするのであるが、その入力順序は、語形の長方形部分がそれぞれ、１つの漢字内に順番に番号がつけられるようになっている。これにより、コンピュータおよび通信用の"コード語"を作り出すのである。その中にはキーパッドの記号を表す電子信号が含まれている。こうして、数千の伝統的漢字の活字体をそれぞれ明確にコード化することができる。
【０００８】
これまで、長方形内で長方形と番号のついて小さい部分だけを使って、各漢字用にコンピュータおよび通信用の特定交換コードを機能的に書き出すシステムはなかった。このシステムでの長方形内の長方形と番号のついた小さい部分はそれぞれ伝統的漢字を構造的に表すが、機能的には化学公式や数学方程式などと同じ方法をとっている。このような構造を表るコードにより、標準キーボードの記号で漢字を書き出す手段が与えられるので、漢字は電子的に伝達されたり、コンピュータのメモリ（R O M）に保存されてプログラムで処理、組立、編集が可能になる。
今明らかにしたように、コード化法によって各漢字は正確に表示される。アナログ形式か、ディジタル形式で保存したり発信したりすることもできる。漢字の情報文字は１つの形式から別の形式へと簡単に変換することができ、コンピュータ処理にはディジタル形式、公共伝達にはアナログ形式、といったことが可能になる。
【発明を実施するための最良の形態】
【０００９】
以下、図面等を参照して本発明による装置の実施の形態を説明する。
図1A-147Aと図1〜図147は、大きい長方形内で小さい長方形を配列する例をいくつか示しているにすぎないが、これらの配列で特定の伝統的漢字に一致させることができる。示されている各例には少なくとも5つの語形が含まれている。
漢字においてはこれが一般的であるが、１つしかないときや、８つ（以上）の語形を含むこともある。この発明である通信用交換コードを作るために使われるキーパッド記号は４5あり、455の異なるコードを作ることができる。つまり、合計184,528,125のコードが可能なので、５つ以上の文字のキーパッドを使って何千もの伝統的漢字をすべてコード化する必要はない。
【００１０】
それゆえ、この発明の目的のためには、５文字コードが各漢字用の単一コンピュータおよび通信用交換コードを提供するのに十分であると考えられる。６つ以上の語形を持つ漢字は５つの文字キーパッドだけでコード化される。図26と図42はそれぞれ６つの語形を含んでいることに注意されたい。
図26の文字は語形１〜５でコード化されるが、図42の文字は語形１，２，３，５，６でコード化され、各コードはその漢字のより重要な語形（つまり、より多くの字画を含んでいる語形）を使っている。同様の方法が６つ以上の語形で構成される漢字に使われる。
【００１１】
語形図の特定のグループ分けと、個々の語形がキーボード上に表される特定順序はともにこの発明であるコンピュータおよび通信用交換コードを作るための装置と方法において重要な要素である。
ここに表示説明されている例は、何千もある漢字の中のほんの少しの例でしかない。この明細書の発明の詳細な説明の末尾に添付された付録Ｂ表及び図面の付録Ｂには、漢字用に本発明による方法で作られたコンピュータおよび通信用コードが示されている。
【００１２】
図78から図83は、一連の漢字で表現される情報の文構造をコード化する方法を示している。コード化された漢字はそれぞれ、漢字の語形を代表する小さい長方形部分の配列にすでに一致しているので、コードかされた語形用のコードの記号をつかって、図78から図151に示されている方法で文を形成している、一連の関連した漢字を識別することができる。漢字２文字の文のための文構造の語コードは、語毎に右上角の語形コードと左下角の語形コードを使って、図78の２つの長方形に見られるように、番号順にコード化され、２文字で構成されている文のために４つの記号のコードを作り上げる。３文字の文を識別するための文構造の語コードは、３つの文字の右上角の語形コードを順番に、そして第3番目の文字の左下角の語形コードを使ってコード化され、図79の正方形順に見られるように、４つの記号のコードを作り上げる。
これに対応して、4文字の文と5文字の文は、図80と図81でしめされているように、５つの要素のコードで示される。６( n)文字以上の文は、６つの要素のコードで表される。この場合、第６要素は図82,83で示されているように、第n番目の文字用のコード記号である。略長方形の外郭と内部の区分け等の約束については発明の詳細を参照されたい。
【００１３】
図１Aに示すように、伝統的な漢字は一般に長方形の形をとる。この文字には5つの個々の語形が含まれている。このような語形は３４９個使用できる。これたの個々の語形は、図１Ｂのように、１文字の長方形の範囲内で、大きい長方形内に１〜５の番号をつけられた長方形で表される部分に位置づけられる。
図151に４５キーパッドのキーボードの例を示す。それぞれのキーは、標準コンピュータのキーボードに見られるように、数字や文字や句讀点や他の記号で表されている。キーパッドの記号の位置は、キーボードによって異なるものである。４５の記号のキーパッドには、それぞれキーパッドの記号に割り当てられた個々の語形が示されている。図１Aのような漢字を符合化するには、個々の語形（図1５1）が標記されたキーパッドを図１のような語形の番号順に操作する。
図1〜147は大きい長方形内での小さい長方形の配列法の別の例で、他の伝統的漢字に適合している。
今明らかたしたように、コード化によって各漢字は正確に表示される。明確の文構造図fig. 78-83に指定された複数の小さい方形部分を選び、指定された小さい方形部分の数字順で語形図を識別する。一つ文構造の語形コードを生成し、
図151のキーボードは、各グループの語形図および、英語での入力用記号のキーパッドと語形図との関係を示すための、キーパッド配列のほんの一例にすぎない。ギリシャ語やキリール文字やアラビア語やヘブライ語など、他の英数字記号を採用している言語が普及している所のユーザーが使う場合には、キーパッドは別の記号を追加したり取り替えたりして標記されてもかまわない。
【００１４】
無線通信とコンピューターシステムにはキーボードがあり、このキーボードのキーパッド上は３４９コ使える漢字の語形が標記され、キーパッドにはそれぞれ別個の記号が標記されており、各キーパッドには、３４９の使用できる漢字語形図の内の1つ以上の別のグループが標記されており、この３４９の語形図はキーパッドの数と同数の複数グループに分けられ。それと違ったグループの漢字語形がキーボードに標記されています.  
たとえば平仮名/カタカナの文字、英数字と記し番号はq,w,e,r,t,y,u,i,o,p,,s,d,f,g,h,j,k,l,z,x,c,v,b,n.m,"," ,',;,[,],/,=,-,`,1, 2, 3, 4, 5, 6, 7, 8, 9, 0,その位置にある漢字筆形ののプログラムコードを決めます
その位置にある漢字筆形の平仮名/カタカナの文字、英数字と記し番号はプログラムコードを決めます。その唯一正しい連続位置の漢字語形を使用し、正しい漢字を描くことを象徴します。キーボードの装置には４５コのキーがあり、グループの漢字語形もあります。大矢面貝羊は " Y "キーのところで "Y "キーで代表します、ほかのキーも同じであり、キーごとにひとつもしくはグループかの漢字の語形が標記されています。キーボードのイメージは図151の通りになります。
コンピュータや通信システムの電子キーボードには複数のキーパッドがあり、英数字や句読点記号を表す電子信号を生成し、
大きい方形の領域内での小さい長方形の配列法は、漢字1文字内での語形図の位置の可能な配列法に合わせて、複数確立されており、これらの配列をとる小さい長方形部分は、大きい領域内でのそれぞれの位置に関連してそれぞれ順に番号がつけられており、1文字の漢字は複数ある配列法の１つでコード化するように合わせられ、
配列は、語形図用に複数の長方形の部分があり,大体、1文字の漢字の各語形図と同じ位置の配列をとって、その漢字内で語形図に代わって数字での順番を作るようにしており、キーパッドには、小さい長方形の番号順に合わせて、数字順に語形図が標記されており、この順番でコンピュータおよび通信用コードを生成し、コードは、キーパッド数と同数の一連の記号信号で構成されている.漢字のコンピュータおよび通信用コードを作成できるです。
前記漢字のコンピュータおよび通信用のコードを作る方法に従って、平仮名/カタカナ、ローマ字、アルファベット記しを使用し、キーボードに標記されている漢字筆形によってプログラムコードを編集して.この漢字のコードを作成できるです。図25の筆形位置と同じのような漢字を選択し、あらかじめ指定される小さい四角いにある漢字筆形を選択し,この漢字の連続筆形位置の配列図25順番に漢字の筆形入力して、このプログラムコードが読み取りたい漢字の筆形のしるしを決めるのです。
ステップ1.該当する漢字にあたる配合の漢字の筆形位置の配列図25の第一位置にある小さい方形から読み取られる漢字筆形を選択はキーボード図151のキーパッド上の各グループかの筆形の中のひとつになります。この漢字の第一小方形その位置を代表する筆形しるしは, 該当する漢字にあたる配合の漢字の筆形位置の配列図25の第一位置にこの漢字の右上角の筆形をキーインします。
ステップ2.該当する漢字にあたる配合の漢字の筆形位置の配列図25の第二位置にある小さい方形から読み取られる漢字筆形を選択はキーボード図151のキーパッド上の各グループかの筆形の中のひとつになります。この漢字の第二小方形位置を代表する筆形しるしは, 該当する漢字にあたる配合の漢字の筆形位置の配列図25の第二位置にこの漢字の左のシングル側の筆形から計算し、第二直列の底部の筆形をキーインします。
ステップ3.該当する漢字にあたる配合の漢字の筆形位置の配列図25の第三位置にある小さい方形から読み取られる漢字筆形を選択はキーボード図151のキーパッド上の各グループかの筆形の中のひとつになります。この漢字の第三小方形位置を代表する筆形しるしは, 該当する漢字にあたる配合の漢字の筆形位置の配列図25の第三位置にこの漢字の左のシングル側の筆形をキーインします。
ステップ4.該当する漢字にあたる配合の漢字の筆形位置の配列図25の第四位置にある小さい方形から読み取られる漢字筆形を選択はキーボード図151のキーパッド上の各グループかの筆形の中のひとつになります。この漢字の第四小方形その位置を代表する筆形しるしは, 該当する漢字にあたる配合の漢字の筆形位置の配列図25の第四位置にこの漢字の左のシングル側の筆形から計算し、第二直列の頂点小方形位置の筆形をキーインします 
ステップ5.該当する漢字にあたる配合の漢字の筆形位置の配列図25の第五位置にある小さい方形から読み取られる漢字筆形を選択はキーボード図151のキーパッド上の各グループかの筆形の中のひとつになります。この漢字の第五小方形位置を代表する筆形しるしは, 該当する漢字にあたる配合の漢字の筆形位置の配列図25の第五位置にこの漢字の右下角の筆形をキーインします。
プログラムコードのしるしはこの漢字のコンピューターと通信コードを代表します。
【００１５】
図面の詳細な説明
１つの大きい方形内の小さめの方形が特定の漢字内で特定の語形配列法に合うような配列（以下FIG..1〜FIG..147の配列）を表している図である。"漢字"は図1〜図147に適合している。漢字の1例であるを示す図1A〜図147Aである。図1〜図147と図1A〜図147Aに対応の文字はその詳細な説明の末尾に添付された付録A図面には
数千通りの可能性のある伝統的漢字の1例である " 韆 " を示す図である。
（図１）
漢字の1例である " 韆 " を示す図1Aである。そこでは図1Aに
ステップ1.この漢字の図1Aに第一小方形その位置を代表する筆形しるしは右上角の筆形をキーインします。
ステップ2. この漢字の図1Aに第二小方形その位置を代表する筆形しるしは左のシングル側の筆形をキーインします。
ステップ3. この漢字の図1Aに第三小方形その位置を代表する筆形しるしは左のシングル側の筆形から計算し、第二直列の筆形をキーインします。
ステップ4.この漢字の図1Aに第四小方形その位置を代表する筆形しるしは左のシングル側の筆形から計算し、第三直列の底部の筆形は右下角の筆形をキーインします。
ステップ5.この漢字の図1Aに第五小方形その位置を代表する筆形しるしは左のシングル側の筆形から計算し、第三直列の底部右下角の筆形から上にいって第二小方形その位置の筆形をキーインします
（図２）
漢字の1例である "嗇" を示す図2Aである。そこでは図2Aに
ステップ1.この漢字の図2Aに第一小方形その位置を代表する筆形しるし右上角の筆形をキーインします。
ステップ2. この漢字の図2Aに第二小方形その位置を代表する筆形しるしは左上角の筆形をキーインします。
ステップ3. この漢字の図2Aに第三小方形その位置を代表する筆形しるしは左下角の小方形その位置の筆形をキーインします。
ステップ4.この漢字の図2Aに第四小方形その位置を代表する筆形しるしは右下角の筆形をキーインします。
ステップ5.この漢字の図2Aに第五小方形その位置を代表する筆形しるしは右の直列から計算し、第二直列の頂点小方形の筆形をキーインします。
（図３）
漢字の1例である "図3Aに示す記号" を示す図. 3Aである。そこでは図3Aに
ステップ1.この漢字の図3Aに第一小方形その位置を代表する筆形しるしは頂部のシングル側の筆形をキーインします。
ステップ2. この漢字の図3Aに第二小方形その位置を代表する筆形しるしは大きな四角い筆形をキーインします。
ステップ3. この漢字の図3Aに第三小方形その位置を代表する筆形しるしは大きな四角い筆形の内側の左下角の筆形をキーインします。
ステップ4.この漢字の図3Aに第四小方形その位置を代表する筆形しるしは大きな四角い筆形の内側の右側の筆形をキーインします。
ステップ5.この漢字の図3Aに第五小方形その位置を代表する筆形しるしは大きな四角い筆形の内側の真ん中の筆形をキーインします。
（図4）
漢字の1例である "爍" を示す図 4Aである。そこでは図4Aに
ステップ1.この漢字の図4Aに第一小方形その位置を代表する筆形しるしは右上角の筆形をキーインします。
ステップ2. この漢字の図4Aに第二小方形その位置を代表する筆形しるしは左のシングル側の筆形から計算し、第二直列の底部の筆形をキーインします。
ステップ3. この漢字の図4Aに第三小方形その位置を代表する筆形しるしは左のシングル側の筆形をキーインします。
ステップ4.この漢字の図4Aに第四小方形その位置を代表する筆形しるしは左のシングル側の筆形から計算し、第二直列の頂点小方形位置の筆形をキーインします。
ステップ5.この漢字の図4Aに第五小方形その位置を代表する筆形しるしは左のシングル側の筆形から計算し、第三直列の頂点小方形位置の筆形をキーインします。
（図5）
漢字の1例である "図.5Aに示す記号" を示す図 5Aである。そこでは図5Aに
ステップ1.この漢字の図5Aに第一小方形その位置を代表する筆形しるしは右上角の筆形をキーインします。
ステップ2. この漢字の図5Aに第二小方形その位置を代表する筆形しるしは左のシングル側の筆形から計算し、第二直列の筆形をキーインします。
ステップ3. この漢字の図5Aに第三小方形その位置を代表する筆形しるしは左のシングル側の筆形をキーインします。
ステップ4.この漢字の図5Aに第四小方形その位置を代表する筆形しるしは左のシングル側の筆形から計算し、第二直列の頂点小方形位置の筆形をキーインします。
ステップ5.この漢字の図5Aに第五小方形その位置を代表する筆形しるしは右下角の筆形をキーインします。
（図6）
漢字の1例である "匿" を示す図 6Aである。そこでは図6Aに
ステップ1.この漢字の図6Aに第一小方形その位置を代表する筆形しるしは筆形 "匚"をキーインします。
ステップ2. この漢字の図6Aに第二小方形その位置を代表する筆形しるしは筆形 "匚" 内側の底部の筆形をキーインします。
ステップ3. この漢字の図6Aに第三小方形その位置を代表する筆形しるしは筆形 "匚"内側の底部の筆形から上にいって第二小方形位置の筆形をキーインします。
ステップ4.この漢字の図6Aに第四小方形その位置を代表する筆形しるしは筆形 "匚" 内側の底部の筆形から上にいって第三小方形位置の筆形をキーインします。
（図7）
漢字の1例である "協" を示す図 7Aである。そこでは図7Aに
ステップ1.この漢字の図7Aに第一小方形その位置を代表する筆形しるしは右上角の筆形をキーインします。
ステップ2. この漢字の図7Aに第二小方形その位置を代表する筆形しるしは左のシングル側の筆形から計算し、第二直列の底部の筆形をキーインします。
ステップ3. この漢字の図7Aに第三小方形その位置を代表する筆形しるしは左のシングル側の筆形をキーインします。
ステップ4.この漢字の図7Aに第四小方形その位置を代表する筆形しるしは左のシングル側の筆形から計算し、第三直列の底部の筆形をキーインします。
（図8）
漢字の1例である "個" を示す図 8Aである。そこでは図8Aに
ステップ1.この漢字の図8A に第一小方形その位置を代表する筆形しるしは大きな四角い筆形をキーインします。
ステップ2. この漢字の図8A に第二小方形その位置を代表する筆形しるしは大きな四角い筆形の内側の真ん中の筆形をキーインします。
ステップ3. この漢字の図8A に第三小方形その位置を代表する筆形しるしは左のシングル側の筆形をキーインします。
（図9）
漢字の1例である "嗾" を示す図 9Aである。そこでは図9Aに
ステップ1.この漢字の図9A に第一小方形その位置を代表する筆形しるしは右上角の筆形をキーインします。
ステップ2. この漢字の図9A に第二小方形その位置を代表する筆形しるしは左のシングル側の筆形から計算し、第二直列の筆形をキーインします。
ステップ3. この漢字の図9A に第三小方形その位置を代表する筆形しるしは左のシングル側の筆形をキーインします。
ステップ4.この漢字の図9A に第四小方形その位置を代表する筆形しるしは右下角の筆形をキーインします。
（図10）
漢字の1例である "図10Aに示す記号" を示す図 10Aである。そこでは図10Aに
ステップ1.この漢字の図10A に第一小方形その位置を代表する筆形しるしは右上角の筆形をキーインします。
ステップ2. この漢字の図10A に第二小方形その位置を代表する筆形しるしは左のシングル側の筆形から計算し、第二直列の底部の筆形をキーインします。
ステップ3. この漢字の図10A に第三小方形その位置を代表する筆形しるしは左のシングル側の筆形をキーインします。
ステップ4.この漢字の図10A に第四小方形その位置を代表する筆形しるしは左のシングル側の筆形から計算し、第二直列の頂点小方形位置の筆形をキーインします。
（図11）
漢字の1例である "図11Aに示す記号" を示す図 11Aである.そこでは図11Aに
ステップ1.この漢字の図11Aに第一小方形その位置を代表する筆形しるしは筆形"匚"をキーインします。
ステップ2. この漢字の図11Aに第二小方形その位置を代表する筆形しるしは筆形"匚"内側の底部の筆形をキーインします。
ステップ3. この漢字の図11Aに第三小方形その位置を代表する筆形しるしは左のシングル側の筆形をキーインします。
ステップ4.この漢字の図11Aに第四小方形その位置を代表する筆形しるしは筆形 "匚" 内側から右上第一小方形位置の筆形をキーインします。
ステップ5.この漢字の図11Aに第五小方形その位置を代表する筆形しるしは筆形 "匚" 内側右上第一小方形位置から下にいって第二小方形位置の筆形をキーインします。
（図12）
漢字の1例である "繞" を示す図12Aである。そこでは図12Aに
ステップ1.この漢字の図12Aに第一小方形その位置を代表する筆形しるしは右上角の筆形をキーインします。
ステップ2. この漢字の図12Aに第二小方形その位置を代表する筆形しるしは左のシングル側の筆形をキーインします。
ステップ3. この漢字の図12Aに第三小方形その位置を代表する筆形しるしは左のシングル側の筆形から計算し、第二直列の底部の筆形をキーインします。
ステップ4.この漢字の図12Aに第四小方形その位置を代表する筆形しるしは左のシングル側の筆形から計算し、第三直列の底部小方形の右下角の筆形から上にいって第二小方形位置の筆形をキーインします。
ステップ5.この漢字の図12Aに第五小方形その位置を代表する筆形しるしは左のシングル側の筆形から計算し、第二直列の底部小方形の右下角の筆形から上にいって第二小方形位置の筆形をキーインします。
（図13）
漢字の1例である "図.13Aに示す記号" を示す図,13Aである。そこでは図13Aに
ステップ1.この漢字の図13Aに第一小方形その位置を代表する筆形しるしは右上角の筆形をキーインします。
ステップ2. この漢字の図13Aに第二小方形その位置を代表する筆形しるしは左のシングル側の筆形をキーインします。
ステップ3. この漢字の図13Aに第三小方形その位置を代表する筆形しるしは左のシングル側の筆形から計算し、第二直列の底部の筆形をキーインします。
ステップ4.この漢字の図13Aに第四小方形その位置を代表する筆形しるしは左のシングル側の筆形から計算し、第三直列の底部小方形の右下角の筆形から上にいって第二小方形位置の筆形をキーインします。
ステップ5.この漢字の図13Aに第五小方形その位置を代表する筆形しるしは左のシングル側の筆形から計算し、第二直列の頂点小方形位置の筆形をキーインします。
（図14）
漢字の1例である "嚼" を示す図 14Aである。そこでは図14Aに
ステップ1.この漢字の図14Aに第一小方形その位置を代表する筆形しるしは右上角の筆形をキーインします。
ステップ2. この漢字の図14Aに第二小方形その位置を代表する筆形しるしは左のシングル側の筆形をキーインします。
ステップ3. この漢字の図14Aに第三小方形その位置を代表する筆形しるしは左のシングル側の筆形から計算し、第二直列の底部の筆形をキーインします。
ステップ4.この漢字の図14Aに第四小方形その位置を代表する筆形しるしは左のシングル側の筆形から計算し、第三直列の底部小方形の右下角の筆形をキーインします。
ステップ5.この漢字の図14Aに第五小方形その位置を代表する筆形しるしは左のシングル側の筆形から計算し、第三直列の底部小方形の右下角の筆形から上にいって第二小方形位置の筆形をキーインします。
（図15）
漢字の1例である "讖" を示す図 15Aである。そこでは図15Aに
ステップ1.この漢字の図15Aに第一小方形その位置を代表する筆形しるしは右上角の筆形をキーインします。
ステップ2. この漢字の図15Aに第二小方形その位置を代表する筆形しるしは左のシングル側の筆形をキーインします。
ステップ3. この漢字の図15Aに第三小方形その位置を代表する筆形しるしは左のシングル側の筆形から計算し、第二直列の底部の筆形をキーインします。
ステップ4.この漢字の図15Aに第四小方形その位置を代表する筆形しるしは左のシングル側の筆形から計算し、第二直列の底部小方形の筆形から上にいって第二小方形位置の筆形をキーインします。
ステップ5.この漢字の図15Aに第五小方形その位置を代表する筆形しるしは左のシングル側の筆形から計算し、第二直列の頂点小方形位置の筆形をキーインします。
（図16）
漢字の1例である "図.16Aに示す記号" を示す図 16Aである.そこでは図16Aに
ステップ1.この漢字の図16A に第一小方形その位置を代表する筆形しるしは大きな四角い筆形をキーインします。
ステップ2. この漢字の図16A に第二小方形その位置を代表する筆形しるしは左のシングル側の筆形をキーインします。
ステップ3. この漢字の図16A に第三小方形その位置を代表する筆形しるしは大きな四角い筆形の内側の左下角の筆形をキーインします。
ステップ4.この漢字の図16A に第四小方形その位置を代表する筆形しるしは大きな四角い筆形の内側の右側の筆形をキーインします。
ステップ5.この漢字の図16A に第五小方形その位置を代表する筆形しるしは大きな四角い筆形の内側の真ん中の筆形をキーインします。
（図17）
漢字の1例である "燦" を示す図17Aである。そこでは図17Aに
ステップ1.この漢字の図17Aに第一小方形その位置を代表する筆形しるしは右上角の筆形をキーインします。
ステップ2. この漢字の図17Aに第二小方形その位置を代表する筆形しるしは左のシングル側の筆形をキーインします。
ステップ3. この漢字の図17Aに第三小方形その位置を代表する筆形しるしは左のシングル側の筆形から計算し、第二直列の底部の右下角の筆形をキーインします。
ステップ4.この漢字の図17Aに第四小方形その位置を代表する筆形しるしは左のシングル側の筆形から計算し、第二直列の頂点小方形位置の筆形をキーインします。
ステップ5.この漢字の図17Aに第五小方形その位置を代表する筆形しるしは左のシングル側の筆形から計算し、第二直列の頂点小方形位置の筆形から下にいって第二小方形位置の筆形をキーインします。
（図18）
漢字の1例である "図.18Aに示す記号" を示す図 18Aである.そこでは図18Aに
ステップ1.この漢字の図18Aに第一小方形その位置を代表する筆形しるしは右上角の筆形をキーインします。
ステップ2. この漢字の図18Aに第二小方形その位置を代表する筆形しるしは左のシングル側の筆形をキーインします。
ステップ3. この漢字の図18Aに第三小方形その位置を代表する筆形しるしは左のシングル側の筆形から計算し、第二直列の底部の右下角の筆形をキーインします。
ステップ4.この漢字の図18Aに第四小方形その位置を代表する筆形しるしは左のシングル側の筆形から計算し、第二直列の底部の右下角の筆形から上にいって第二小方形位置の筆形をキーインします。
ステップ5.この漢字の図18Aに第五小方形その位置を代表する筆形しるしは左のシングル側の筆形から計算し、第二直列の頂点小方形位置の筆形をキーインします。
（図19）
漢字の1例である "濮" を示す図 19Aである。そこでは図19Aに
ステップ1.この漢字の図19Aに第一小方形その位置を代表する筆形しるしは右上角の筆形をキーインします。
ステップ2. この漢字の図19Aに第二小方形その位置を代表する筆形しるしは左のシングル側の筆形をキーインします。
ステップ3. この漢字の図19Aに第三小方形その位置を代表する筆形しるしは左のシングル側の筆形から計算し、第二直列の筆形をキーインします。
ステップ4.この漢字の図19Aに第四小方形その位置を代表する筆形しるしは右下角の筆形をキーインします。
ステップ5.この漢字の図19Aに第五小方形その位置を代表する筆形しるしは左のシングル側の筆形から計算し、第三直列の右下角の筆形から上にいって第二小方形位置の筆形をキーインします。
（図20）
漢字の1例である "濤" を示す図 20Aである。そこでは図20Aに
ステップ1.この漢字の図20Aに第一小方形その位置を代表する筆形しるしは右上角の筆形をキーインします。
ステップ2. この漢字の図20Aに第二小方形その位置を代表する筆形しるしは左のシングル側の筆形をキーインします。
ステップ3. この漢字の図20Aに第三小方形その位置を代表する筆形しるしは左のシングル側の筆形から計算し、第二直列の底部の筆形をキーインします。
ステップ4.この漢字の図20Aに第四小方形その位置を代表する筆形しるしは右下角の筆形をキーインします。
ステップ5.この漢字の図20Aに第五小方形その位置を代表する筆形しるしは左のシングル側の筆形から計算し、第三直列の右下角の筆形から上にいって第二小方形位置の筆形をキーインします。
ステップ6.この漢字の図20Aに第6小方形その位置を代表する筆形しるしは左のシングル側の筆形から計算し、第三直列の右下角の筆形から上にいって第三小方形位置の筆形をキーインします。
ステップ7.この漢字の図20Aに第7小方形その位置を代表する筆形しるしは左のシングル側の筆形から計算し、第二直列の頂点小方形位置の筆形から下にいって第二小方形位置の筆形をキーインします。
（図21）
漢字の1例である "罷" を示す図 21Aである。そこでは図21Aに
ステップ1.この漢字の図21Aに第一小方形その位置を代表する筆形しるしは頂部のシングル側の筆形をキーインします。
ステップ2. この漢字の図21Aに第二小方形その位置を代表する筆形しるしは左下角の小方形位置の筆形をキーインします。
ステップ3. この漢字の図21Aに第三小方形その位置を代表する筆形しるしは右下角小方形の位置の筆形をキーインします。
ステップ4.この漢字の図21Aに第四小方形その位置を代表する筆形しるしは右の直列の右下角小方形の位置の筆形から上にいって第二位置の筆形をキーインします。
ステップ5.この漢字の図21Aに第五小方形その位置を代表する筆形しるしは左の直列の頂部のシングル筆形から下にいって第二位置の筆形をキーインします。
（図22）
漢字の1例である "競" を示す図22Aである。そこでは図22Aに
ステップ1.この漢字の図22Aに第一小方形その位置を代表する筆形しるしは右上角の筆形をキーインします。
ステップ2. この漢字の図22Aに第二小方形その位置を代表する筆形しるしは左直列の左上角の筆形をキーインします。
ステップ3. この漢字の図22Aに第三小方形その位置を代表する筆形しるしは左下角の小方形位置の筆形をキーインします。
ステップ4.この漢字の図22Aに第四小方形その位置を代表する筆形しるしは右下角の筆形をキーインします。
ステップ5.この漢字の図22Aに第五小方形その位置を代表する筆形しるしは右の直列の右下角の筆形から上にいって第二小方形位置の筆形をキーインします。
（図23）
漢字の1例である "懿" を示す図23Aである。そこでは図23Aに
ステップ1.この漢字の図23Aに第一小方形その位置を代表する筆形しるしは右上角の筆形をキーインします。
ステップ2. この漢字の図23Aに第二小方形その位置を代表する筆形しるしは左直列の左上角の筆形をキーインします。
ステップ3. この漢字の図23Aに第三小方形その位置を代表する筆形しるしは左下角の小方形位置の筆形をキーインします。
ステップ4.この漢字の図23Aに第四小方形その位置を代表する筆形しるしは右下角の筆形をキーインします。
（図24）
漢字の1例である "斃" を示す図24Aである。そこでは図24Aに
ステップ1.この漢字の図24Aに第一小方形その位置を代表する筆形しるしは右上角の筆形をキーインします。
ステップ2. この漢字の図24Aに第二小方形その位置を代表する筆形しるしは左直列の左上角の筆形をキーインします。
ステップ3. この漢字の図24Aに第三小方形その位置を代表する筆形しるしは左下角の小方形位置の筆形をキーインします。
ステップ4.この漢字の図24Aに第四小方形その位置を代表する筆形しるしは右下角の筆形をキーインします。
（図25）
漢字の1例である "擬" を示す図25Aである。そこでは図25Aに
ステップ1.この漢字の図25Aに第一小方形その位置を代表する筆形しるしは右上角の筆形をキーインします。
ステップ2. この漢字の図25Aに第二小方形その位置を代表する筆形しるしは左のシングル側の筆形から計算し、第二直列の底部の筆形をキーインします。
ステップ3. この漢字の図25Aに第三小方形その位置を代表する筆形しるしは左のシングル側の筆形をキーインします。
ステップ4.この漢字の図25Aに第四小方形その位置を代表する筆形しるしは左のシングル側の筆形から計算し、第二直列の頂点小方形位置の筆形をキーインします。
ステップ5.この漢字の図25Aに第五小方形その位置を代表する筆形しるしは右下角の筆形をキーインします。
（図26）
漢字の1例である "図.26Aに示す記号" を示す図26Aである.そこでは図26Aに
ステップ1.この漢字の図26Aに第一小方形その位置を代表する筆形しるしは右上角の筆形をキーインします。
ステップ2. この漢字の図26Aに第二小方形その位置を代表する筆形しるしは左のシングル側の筆形をキーインします。
ステップ3. この漢字の図26Aに第三小方形その位置を代表する筆形しるしは左のシングル側の筆形から計算し、第二直列の底部の筆形をキーインします。
ステップ4.この漢字の図26Aに第四小方形その位置を代表する筆形しるしは右下角の筆形をキーインします。
ステップ5.この漢字の図26Aに第五小方形その位置を代表する筆形しるしは右の直列の右下角小方形位置の筆形から上にいって第二位置の筆形をキーインします。
ステップ6.この漢字の図26Aに第六小方形その位置を代表する筆形しるしは左のシングル側の筆形から計算し、第二直列の頂点小方形位置の筆形をキーインします。
（図27）
漢字の1例である "凜" を示す図27Aである。そこでは図27Aに
ステップ1.この漢字の図27Aに第一小方形その位置を代表する筆形しるしは右上角の筆形をキーインします。
ステップ2. この漢字の図27Aに第二小方形その位置を代表する筆形しるしは左のシングル側の筆形をキーインします。
ステップ3. この漢字の図27Aに第三小方形その位置を代表する筆形しるしは左のシングル側の筆形から計算し、第二直列の底部の筆形をキーインします。
ステップ4.この漢字の図27Aに第四小方形その位置を代表する筆形しるしは右の直列の右下角小方形の筆形から上にいって第二位置の筆形をキーインします。
ステップ5.この漢字の図27Aに第五小方形その位置を代表する筆形しるしは右の直列の右下角小方形の筆形から上にいって第三位置の筆形をキーインします。
ステップ6.この漢字の図27Aに第六小方形その位置を代表する筆形しるしは左のシングル側の筆形から計算し、第二直列の底部の筆形から上にいって第三位置の筆形をキーインします。
（図28）
漢字の1例である "擺" を示す図28Aである。そこでは図28Aに
ステップ1.この漢字の図28Aに第一小方形その位置を代表する筆形しるしは右上角の筆形をキーインします。
ステップ2. この漢字の図28Aに第二小方形その位置を代表する筆形しるしは左のシングル側の筆形をキーインします。
ステップ3. この漢字の図28Aに第三小方形その位置を代表する筆形しるしは左のシングル側の筆形から計算し、第二直列の底部の筆形をキーインします。
ステップ4.この漢字の図28Aに第四小方形その位置を代表する筆形しるしは右下角の筆形をキーインします。
ステップ5.この漢字の図28Aに第五小方形その位置を代表する筆形しるしは右の直列の右下角小方形の筆形から上にいって第二位置の筆形をキーインします。
（図29）
漢字の1例である "選" を示す図29Aである。そこでは図29Aに
ステップ1.この漢字の図29Aに第一小方形その位置を代表する筆形しるしは右上角の筆形をキーインします。
ステップ2. この漢字の図29Aに第二小方形その位置を代表する筆形しるしは左のシングル側の筆形をキーインします。
ステップ3. この漢字の図29Aに第三小方形その位置を代表する筆形しるしは左のシングル側の筆形から計算し、第三直列の底部の筆形をキーインします。
ステップ4.この漢字の図29Aに第四小方形その位置を代表する筆形しるしは左のシングル側の筆形から計算し、第二直列の底部右下角の筆形から上にいって第二小方形位置の筆形をキーインします。
ステップ5.この漢字の図29Aに第五小方形その位置を代表する筆形しるしは左のシングル側の筆形から計算し、第二直列の頂点小方形位置の筆形をキーインします。
（図30）
漢字の1例である "欖" を示す図30Aである。そこでは図30Aに
ステップ1.この漢字の図30Aに第一小方形その位置を代表する筆形しるしは右上角の筆形をキーインします。
ステップ2. この漢字の図30Aに第二小方形その位置を代表する筆形しるしは左のシングル側の筆形をキーインします。
ステップ3. この漢字の図30Aに第三小方形その位置を代表する筆形しるしは左のシングル側の筆形から計算し、第二直列の底部の筆形をキーインします。
ステップ4.この漢字の図30Aに第四小方形その位置を代表する筆形しるしは左のシングル側の筆形から計算し、第二直列の底部右下角の筆形から上にいって第二小方形位置の筆形をキーインします。
ステップ5.この漢字の図30Aに第五小方形その位置を代表する筆形しるしは右の直列の右下角小方形の筆形から上にいって第三位置の筆形をキーインします。
ステップ6.この漢字の図30Aに第六小方形その位置を代表する筆形しるしは左のシングル側の筆形から計算し、第二直列の頂点小方形位置の筆形をキーインします。
（図31）
漢字の1例である "澱" を示す図 31Aである。そこでは図31Aに
ステップ1.この漢字の図31Aに第一小方形その位置を代表する筆形しるしは右側のシングル筆形をキーインします。
ステップ2. この漢字の図31Aに第二小方形その位置を代表する筆形しるしは右のシングル側の筆形から計算し、第二直列の頂点小方形の筆形をキーインします。
ステップ3. この漢字の図31Aに第三小方形その位置を代表する筆形しるしは左のシングル側の筆形をキーインします。
ステップ4.この漢字の図31Aに第四小方形その位置を代表する筆形しるしは左のシングル側の筆形から計算し、第二直列の底部小方形位置の筆形をキーインします。
ステップ5.この漢字の図31Aに第五小方形その位置を代表する筆形しるしは左のシングル側の筆形から計算し、第二直列の底部小方形の筆形から上にいって第二小方形位置の筆形をキーインします。
（図32）
漢字の1例である "例" を示す図32Aである。そこでは図32Aに
ステップ1.この漢字の図32Aに第一小方形その位置を代表する筆形しるしは右側のシングル筆形をキーインします。
ステップ2. この漢字の図32Aに第二小方形その位置を代表する筆形しるしは右のシングル側の筆形から計算し、第二直列の頂点小方形の筆形をキーインします。
ステップ3. この漢字の図32Aに第三小方形その位置を代表する筆形しるしは左のシングル側の筆形をキーインします。
ステップ4.この漢字の図32Aに第四小方形その位置を代表する筆形しるしは左のシングル側の筆形から計算し、第二直列の底部小方形位置の筆形をキーインします。
（図33）
漢字の1例である "図.33Aに示す記号" を示す図33Aである.そこでは図33Aに
ステップ1.この漢字の図33Aに第一小方形その位置を代表する筆形しるしは右側のシングル筆形をキーインします。
ステップ2. この漢字の図33Aに第二小方形その位置を代表する筆形しるしは右のシングル側の筆形から計算し、第二直列の頂点小方形位置の筆形をキーインします。
ステップ3. この漢字の図33Aに第三小方形その位置を代表する筆形しるしは左下角の小方形位置の筆形をキーインします。
ステップ4.この漢字の図33Aに第四小方形その位置を代表する筆形しるしは右のシングル側の筆形から計算し、第二直列の底部小方形位置の筆形をキーインします。
ステップ5.この漢字の図33Aに第五小方形その位置を代表する筆形しるしは右のシングル側の筆形から計算し、第三直列の左下角の筆形から上にいって第二小方形位置の筆形をキーインします。
（図34）
漢字の1例である "図.34Aに示す記号" を示す図34Aである.そこでは図34Aに
ステップ1.この漢字の図34Aに第一小方形その位置を代表する筆形しるしは右側のシングル筆形をキーインします。
ステップ2. この漢字の図34Aに第二小方形その位置を代表する筆形しるしは右のシングル側の筆形から計算し、第二直列の頂点小方形位置の筆形をキーインします。
ステップ3. この漢字の図34Aに第三小方形その位置を代表する筆形しるしは左下角の小方形位置の筆形をキーインします。
ステップ4.この漢字の図34Aに第四小方形その位置を代表する筆形しるしは左上角の小方形位置の筆形をキーインします。
ステップ5.この漢字の図34Aに第五小方形その位置を代表する筆形しるしは左の直列の左上角の筆形から下にいって第二位置の筆形をキーインします。
（図35）
漢字の1例である "図.35Aに示す記号" を示す図35Aである.そこでは図35Aに
ステップ1.この漢字の図35Aに第一小方形その位置を代表する筆形しるしは右側のシングル筆形をキーインします。
ステップ2. この漢字の図35Aに第二小方形その位置を代表する筆形しるしは右のシングル側の筆形から計算し、第二直列の頂点小方形位置の筆形をキーインします。
ステップ3. この漢字の図35Aに第三小方形その位置を代表する筆形しるしは左下角の小方形位置の筆形をキーインします。
ステップ4.この漢字の図35Aに第四小方形その位置を代表する筆形しるしは左の直列の左下角の筆形から上にいって第二位置の筆形をキーインします。
ステップ5.この漢字の図35Aに第五小方形その位置を代表する筆形しるしは右のシングル側の筆形から計算し、第二直列の頂点小方形から下にいって第二位置の筆形をキーインします。
（図36）
漢字の1例である "敷" を示す図36Aである。そこでは図36Aに
ステップ1.この漢字の図36Aに第一小方形その位置を代表する筆形しるしは右側のシングル筆形をキーインします。
ステップ2. この漢字の図36Aに第二小方形その位置を代表する筆形しるしは右のシングル側の筆形から計算し、第二直列の頂点小方形位置の筆形をキーインします。
ステップ3. この漢字の図36Aに第三小方形その位置を代表する筆形しるしは左下角の小方形位置の筆形をキーインします。
ステップ4.この漢字の図36Aに第四小方形その位置を代表する筆形しるしは左上角の小方形位置の筆形をキーインします。
ステップ5.この漢字の図36Aに第五小方形その位置を代表する筆形しるしは左の直列の左上角の筆形から下にいって第二位置の筆形をキーインします。
（図37）
漢字の1例である "図.37Aに示す記号" を示す図37Aである.そこでは図37Aに
ステップ1.この漢字の図37Aに第一小方形その位置を代表する筆形しるしは右側のシングル筆形をキーインします。
ステップ2. この漢字の図37Aに第二小方形その位置を代表する筆形しるしは右のシングル側の筆形から計算し、第二直列の頂点小方形位置の筆形をキーインします。
ステップ3. この漢字の図37Aに第三小方形その位置を代表する筆形しるしは左下角の小方形位置の筆形をキーインします。
ステップ4.この漢字の図37Aに第四小方形その位置を代表する筆形しるしは右のシングル側の筆形から計算し、第二直列の底部小方形位置の筆形をキーインします。
ステップ5.この漢字の図37Aに第五小方形その位置を代表する筆形しるしは左上角の小方形位置の筆形をキーインします。
（図38）
漢字の1例である "図.38Aに示す記号" を示す図38Aである.そこでは図.38Aに
ステップ1.この漢字の図38Aに第一小方形その位置を代表する筆形しるしは右側のシングル筆形をキーインします。
ステップ2. この漢字の図38Aに第二小方形その位置を代表する筆形しるしは右のシングル側の筆形から計算し、第二直列の頂点小方形位置の筆形をキーインします。
ステップ3. この漢字の図38Aに第三小方形その位置を代表する筆形しるしは左下角の小方形位置の筆形をキーインします。
ステップ4.この漢字の図38Aに第四小方形その位置を代表する筆形しるしは右のシングル側の筆形から計算し、第二直列の底部小方形位置の筆形をキーインします。
（図39）
漢字の1例である "鸚" を示す図39Aである。そこでは図39Aに
ステップ1.この漢字の図39Aに第一小方形その位置を代表する筆形しるしは右側のシングル筆形をキーインします。
ステップ2. この漢字の図39Aに第二小方形その位置を代表する筆形しるしは右のシングル側の筆形から計算し、第二直列の頂点小方形位置の筆形をキーインします。
ステップ3. この漢字の図39Aに第三小方形その位置を代表する筆形しるしは左下角の小方形位置の筆形をキーインします。
ステップ4.この漢字の図39Aに第四小方形その位置を代表する筆形しるしは左上角の小方形位置の筆形をキーインします。
（図40）
漢字の1例である "図.40Aに示す記号" を示す図 40Aである。そこでは図40Aに
ステップ1.この漢字の図40Aに第一小方形その位置を代表する筆形しるしは頂部のシングル側の筆形をキーインします。
ステップ2. この漢字の図40Aに第二小方形その位置を代表する筆形しるしは左下角の小方形位置の筆形をキーインします。
ステップ3. この漢字の図40Aに第三小方形その位置を代表する筆形しるしは右下角小方形の位置の筆形をキーインします。
ステップ4.この漢字の図40Aに第四小方形その位置を代表する筆形しるしは右直列の右下角小方形の位置の筆形から上にいって第二位置の筆形をキーインします。
ステップ5.この漢字の図40Aに第五小方形その位置を代表する筆形しるしは左の直列の頂部のシングル筆形から下にいって第三位置の筆形をキーインします.
（図41）
漢字の1例である "図.41Aに示す記号" を示す図41Aである.そこでは図41Aに
ステップ1.この漢字の図41Aに第一小方形その位置を代表する筆形しるしは右上角の筆形をキーインします。
ステップ2. この漢字の図41Aに第二小方形その位置を代表する筆形しるしは底部のシングル側の筆形をキーインします。
ステップ3. この漢字の図41Aに第三小方形その位置を代表する筆形しるしは左上角の筆形をキーインします。
ステップ4.この漢字の図41Aに第四小方形その位置を代表する筆形しるしは左直列の左上角の筆形から下にいって第二位置の筆形をキーインします。
ステップ5.この漢字の図41Aに第五小方形その位置を代表する筆形しるしは左直列の左上角の筆形から下にいって第三位置の筆形をキーインします。
（図42）
漢字の1例である "図.42Aに示す記号" を示す図42Aである.そこでは図42Aに
ステップ1.この漢字の図42Aに第一小方形その位置を代表する筆形しるしは頂部のシングル側の筆形をキーインします。
ステップ2. この漢字の図42Aに第二小方形その位置を代表する筆形しるしは底部のシングル側の筆形をキーインします。
ステップ3. この漢字の図42Aに第三小方形その位置を代表する筆形しるしは左の直列の頂部のシングル筆形から下にいって第二位置の筆をキーインします。
ステップ4.この漢字の図42Aに第四小方形その位置を代表する筆形しるしは左の直列の頂部のシングル筆形から下にいって第三位置の筆形をキーインします。
ステップ5.この漢字の図42Aに第五小方形その位置を代表する筆形しるしは左の直列の頂部のシングル筆形から下にいって第四位置の筆形をキーインします。
ステップ6.この漢字の図42Aに第六小方形その位置を代表する筆形しるしは右の直列の頂部のシングル筆形から下にいって第二位置の筆形をキーインします。
（図43）
漢字の1例である "輟" を示す図43Aである。そこでは図43Aに
ステップ1.この漢字の図43Aに第一小方形その位置を代表する筆形しるしは左側のシングル筆形をキーインします。
ステップ2. この漢字の図43Aに第二小方形その位置を代表する筆形しるしは左側のシングル筆形から計算して第二直列の頂点筆形をキーインします。
ステップ3. この漢字の図43Aに第三小方形その位置を代表する筆形しるしは右下角の筆形をキーインします。
ステップ4.この漢字の図43Aに第四小方形その位置を代表する筆形しるしは左のシングル側の筆形から計算し、第二直列の底部小方形位置の筆形をキーインします。
ステップ5.この漢字の図43Aに第五小方形その位置を代表する筆形しるしは右上角の筆形をキーインします。
（図44）
漢字の1例である "図.44Aに示す記号" を示す図44Aである.そこでは図44Aに
ステップ1.この漢字の図44Aに第一小方形その位置を代表する筆形しるしは左側のシングル筆形をキーインします。
ステップ2. この漢字の図44Aに第二小方形その位置を代表する筆形しるしは筆形"匚"をキーインします。
ステップ3. この漢字の図44Aに第三小方形その位置を代表する筆形しるしは筆形"匚"内側の底部の筆形をキーインします。
ステップ4.この漢字の図44Aに第四小方形その位置を代表する筆形しるしは筆形"匚"内側から右上第一小方形位置の筆形をキーインします。
ステップ5.この漢字の図44Aに第五小方形その位置を代表する筆形しるしは筆形 "匚" 内側右上第一小方形位置から下にいって第二小方形位置の筆形をキーインします。
（図45）
漢字の1例である "図.45Aに示す記号" を示す図45Aである。そこでは図45Aに
ステップ1.この漢字の図45Aに第一小方形その位置を代表する筆形しるしは左上角の筆形をキーインします。
ステップ2. この漢字の図45Aに第二小方形その位置を代表する筆形しるしは右側のシングル筆形をキーインします。
ステップ3. この漢字の図45Aに第三小方形その位置を代表する筆形しるしは右のシングル側の筆形から計算し、第二直列の底部小方形の筆形をキーインします。
ステップ4.この漢字の図45Aに第四小方形その位置を代表する筆形しるしは左下角の小方形位置の筆形をキーインします。
ステップ5.この漢字の図45Aに第五小方形その位置を代表する筆形しるしは右のシングル側の筆形から計算し、第二直列の頂点小方形の筆形をキーインします。
（図46）
漢字の1例である "図.46Aに示す記号" を示す図46Aである.そこでは図46Aに
ステップ1.この漢字の図46Aに第一小方形その位置を代表する筆形しるしは左側のシングル筆形をキーインします。
ステップ2. この漢字の図46Aに第二小方形その位置を代表する筆形しるしは左側のシングル筆形から計算して第二直列の筆形をキーインします。
ステップ3. この漢字の図46Aに第三小方形その位置を代表する筆形しるしは右下角の筆形をキーインします。
ステップ4.この漢字の図46Aに第四小方形その位置を代表する筆形しるしは右上角の筆形をキーインします。
ステップ5.この漢字の図46Aに第五小方形その位置を代表する筆形しるしは左のシングル側の筆形から計算し、第三直列の頂点小方形の筆形をキーインします。
（図47）
漢字の1例である "爆" を示す図47Aである。そこでは図47Aに
ステップ1.この漢字の図47Aに第一小方形その位置を代表する筆形しるしは右上角の筆形をキーインします。
ステップ2. この漢字の図47Aに第二小方形その位置を代表する筆形しるしは左のシングル側の筆形をキーインします。
ステップ3. この漢字の図47Aに第三小方形その位置を代表する筆形しるしは左のシングル側の筆形から計算し、第二直列の底部の筆形をキーインします。
ステップ4.この漢字の図47Aに第四小方形その位置を代表する筆形しるしは左のシングル側の筆形から計算し、第二直列の底部小方形の筆形から上にいって第二小方形位置の筆形をキーインします。
ステップ5.この漢字の図47Aに第五小方形その位置を代表する筆形しるしは左のシングル側の筆形から計算し、第二直列の底部小方形の筆形から上にいって第三小方形位置の筆形をキーインします。
（図48）
漢字の1例である "
【外１】
【００１６】
2007272452.tif 000003
" を示す図48Aである。そこでは図48Aに
ステップ1.この漢字の図48Aに第一小方形その位置を代表する筆形しるしは右上角の筆形をキーインします。
ステップ2. この漢字の図48Aに第二小方形その位置を代表する筆形しるしは左のシングル側の筆形をキーインします。
ステップ3. この漢字の図48Aに第三小方形その位置を代表する筆形しるしは左のシングル側の筆形から計算し、第二直列の底部の筆形をキーインします。
ステップ4.この漢字の図48Aに第四小方形その位置を代表する筆形しるしは左のシングル側の筆形から計算し、第二直列の底部小方形位置の筆形から上にいって第二小方形位置の筆形をキーインします。
（図49）
漢字の1例である "創" を示す図49Aである。そこでは図49Aに
ステップ1.この漢字の図49Aに第一小方形その位置を代表する筆形しるしは右側のシングル筆形をキーインします。
ステップ2. この漢字の図49Aに第二小方形その位置を代表する筆形しるしは右のシングル側の筆形から計算し、第二直列の頂点小方形位置の筆形をキーインします。
ステップ3. この漢字の図49Aに第三小方形その位置を代表する筆形しるしは左下角の小方形位置の筆形をキーインします。
ステップ4.この漢字の図49Aに第四小方形その位置を代表する筆形しるしは右のシングル側の筆形から計算し、第二直列の左下角の筆形から上にいって第二小方形位置の筆形をキーインします。
ステップ5.この漢字の図49Aに第五小方形その位置を代表する筆形しるしは右のシングル側の筆形から計算し、第二直列の左下角の筆形から上にいって第三小方形位置の筆形をキーインします。
（図50）
漢字の1例である "動" を示す図50Aである。そこでは図50Aに
ステップ1.この漢字の図50Aに第一小方形その位置を代表する筆形しるしは右側のシングル筆形をキーインします。
ステップ2. この漢字の図50Aに第二小方形その位置を代表する筆形しるしは右のシングル側の筆形から計算し、第二直列の頂点小方形をキーインします。
ステップ3. この漢字の図50Aに第三小方形その位置を代表する筆形しるしは左下角の小方形位置の筆形をキーインします。
ステップ4.この漢字の図50Aに第四小方形その位置を代表する筆形しるしは右のシングル側の筆形から計算し、第二直列の左下角の筆形から上にいって第二小方形位置の筆形をキーインします。
（図51）
漢字の1例である "図.51Aに示す記号" を示す図51Aである.そこでは図51Aに
ステップ1.この漢字の図51Aに第一小方形その位置を代表する筆形しるしは右側のシングル筆形をキーインします。
ステップ2. この漢字の図51Aに第二小方形その位置を代表する筆形しるしは右のシングル側の筆形から計算し、第二直列の頂点小方形位置の筆形をキーインします。
ステップ3. この漢字の図51Aに第三小方形その位置を代表する筆形しるしは左下角の小方形位置の筆形をキーインします。
ステップ4.この漢字の図51Aに第四小方形その位置を代表する筆形しるしは右のシングル側の筆形から計算し、第二直列の底部小方形位置の筆形をキーインします。
ステップ5.この漢字の図51Aに第五小方形その位置を代表する筆形しるしは左上角の小方形位置の筆形をキーインします。
ステップ6.この漢字の図51Aに第6小方形その位置を代表する筆形しるしは左の直列の左上角の筆形から下にいって第二位置の筆形をキーインします。
（図52）
漢字の1例である "樂" を示す図52Aである。そこでは図52Aに
ステップ1.この漢字の図52Aに第一小方形その位置を代表する筆形しるしは右上角の筆形をキーインします。
ステップ2. この漢字の図52Aに第二小方形その位置を代表する筆形しるしは底部のシングル側の筆形をキーインします。
ステップ3. この漢字の図52Aに第三小方形その位置を代表する筆形しるしは右の直列から計算し、第二直列の頂部小方形の位置の筆形をキーインします。
ステップ4.この漢字の図52Aに第四小方形その位置を代表する筆形しるしは右の直列から計算し、第三直列の頂部四角形の位置の筆形をキーインします。
（図53）
漢字の1例である "塗" を示す図53Aである。そこでは図53Aに
ステップ1.この漢字の図53Aに第一小方形その位置を代表する筆形しるしは右上角の筆形をキーインします。
ステップ2. この漢字の図53Aに第二小方形その位置を代表する筆形しるしは左上の筆形をキーインします。
ステップ3. この漢字の図53Aに第三小方形その位置を代表する筆形しるしは底部のシングル側の筆形をキーインします。
ステップ4.この漢字の図53Aに第四小方形その位置を代表する筆形しるしは右直列の底部のシングル側の筆形から上にいって第二小方形位置の筆形をキーインします。
ステップ5.この漢字の図53Aに第五小方形その位置を代表する筆形しるしは右直列の底部のシングル側の筆形から上にいって第三小方形位置の筆形をキーインします。
（図54）
漢字の1例である "墜" を示す図54Aである。そこでは図54Aに
ステップ1.この漢字の図54Aに第一小方形その位置を代表する筆形しるしは右上角の筆形をキーインします。
ステップ2. この漢字の図54Aに第二小方形その位置を代表する筆形しるしは左上の筆形をキーインします。
ステップ3. この漢字の図54Aに第三小方形その位置を代表する筆形しるしは底部のシングル側の筆形をキーインします。
ステップ4.この漢字の図54Aに第四小方形その位置を代表する筆形しるしは右直列の底部のシングル側の筆形から上にいって第二小方形位置の筆形をキーインします。
（図55）
漢字の1例である "図.55Aに示す記号" を示す図55Aである.そこでは図31Aに
ステップ1.この漢字の図55Aに第一小方形その位置を代表する筆形しるしは右上角の筆形をキーインします。
ステップ2. この漢字の図55Aに第二小方形その位置を代表する筆形しるしは右直列の右上角の筆形から下にいって第二位置の筆形をキーインします。
ステップ3. この漢字の図55Aに第三小方形その位置を代表する筆形しるしは底部のシングル側の筆形をキーインします。
ステップ4.この漢字の図55Aに第四小方形その位置を代表する筆形しるしは左直列の左上角の筆形をキーインします。
ステップ5.この漢字の図55Aに第五小方形その位置を代表する筆形しるしは左直列の左上角の筆形から下にいって第二位置の筆形をキーインします。
（図56）
漢字の1例である "饕" を示す図56Aである。そこでは図56Aに
ステップ1.この漢字の図56Aに第一小方形その位置を代表する筆形しるしは右上角の筆形をキーインします。
ステップ2. この漢字の図56Aに第二小方形その位置を代表する筆形しるしは右直列の右上角の筆形から下にいって第二位置の筆形をキーインします。
ステップ3. この漢字の図56Aに第三小方形その位置を代表する筆形しるしは底部のシングル側の筆形をキーインします。
ステップ4.この漢字の図56Aに第四小方形その位置を代表する筆形しるしは左直列の左上角の筆形をキーインします。
ステップ5.この漢字の図56Aに第五小方形その位置を代表する筆形しるしは左直列の左上角の筆形から下にいって第二位置の筆形をキーインします。
（図57）
漢字の1例である "慧" を示す図57Aである。そこでは図57Aに
ステップ1.この漢字の図57Aに第一小方形その位置を代表する筆形しるしは右上角の筆形をキーインします。
ステップ2. この漢字の図57Aに第二小方形その位置を代表する筆形しるしは右直列の右上角の筆形から下にいって第二位置の筆形をキーインします。
ステップ3. この漢字の図57Aに第三小方形その位置を代表する筆形しるしは底部のシングル側の筆形をキーインします。
ステップ4.この漢字の図57Aに第四小方形その位置を代表する筆形しるしは左直列の左上角の筆形をキーインします。
（図58）
漢字の1例である "檗" を示す図58Aである。そこでは図58Aに
ステップ1.この漢字の図58Aに第一小方形その位置を代表する筆形しるしは右上角の筆形をキーインします。
ステップ2. この漢字の図58Aに第二小方形その位置を代表する筆形しるしは底部のシングル側の筆形をキーインします。
ステップ3. この漢字の図58Aに第三小方形その位置を代表する筆形しるしは左直列の左上角の筆形をキーインします。
ステップ4.この漢字の図58Aに第四小方形その位置を代表する筆形しるしは左直列の左上角の筆形から下にいって第二位置の筆形をキーインします。
（図59）
漢字の1例である "図.59Aに示す記号" を示す図59Aである。そこでは図59Aに
ステップ1.この漢字の図59Aに第一小方形その位置を代表する筆形しるしは右上角の筆形をキーインします。
ステップ2. この漢字の図59Aに第二小方形その位置を代表する筆形しるしは底部のシングル側の筆形をキーインします。
ステップ3. この漢字の図59Aに第三小方形その位置を代表する筆形しるしは右直列から計算し、第二直列の頂点小方形位置の筆形をキーインします。
ステップ4.この漢字の図59Aに第四小方形その位置を代表する筆形しるしは右直列から計算し、第二直列の頂点小方形位置の筆形から下にいって第二小方形位置の筆形をキーインします。
ステップ5.この漢字の図59Aに第五小方形その位置を代表する筆形しるしは第二直列の頂点小方形位置の筆形から下にいって第三位置の筆形をキーインします。
ステップ6.この漢字の図59Aに第6小方形その位置を代表する筆形しるしは左直列の左上角の筆形をキーインします。
（図60）
漢字の1例である "図.60Aに示す記号" を示す図60Aである.そこでは図62Aに
ステップ1.この漢字の図60Aに第一小方形その位置を代表する筆形しるしは頂部のシングル側の筆形をキーインします。
ステップ2. この漢字の図60Aに第二小方形その位置を代表する筆形しるしは左下角の小方形位置の筆形をキーインします。
ステップ3. この漢字の図60Aに第三小方形その位置を代表する筆形しるしは左の直列から計算し、第二直列の底部小方形位置の筆形をキーインします。
ステップ4.この漢字の図60Aに第四小方形その位置を代表する筆形しるしは右下角の筆形をキーインします。
ステップ5.この漢字の図60Aに第五小方形その位置を代表する筆形しるしは左直列頂部のシングル側筆形から下にいって第二小方形位置の筆形をキーインします。
ステップ6.この漢字の図60Aに第六小方形その位置を代表する筆形しるしは左直列から計算し、第二直列の頂部のシングル側筆形から下にいって第二小方形位置の筆形をキーインします。
（図61）
漢字の1例である "図.61Aに示す記号" を示す図61Aである。そこでは図61Aに
ステップ1.この漢字の図61Aに第一小方形その位置を代表する筆形しるしは頂部のシングル側の筆形をキーインします。
ステップ2. この漢字の図61Aに第二小方形その位置を代表する筆形しるしは左下角の小方形位置の筆形をキーインします。
ステップ3. この漢字の図61Aに第三小方形その位置を代表する筆形しるしは右下角小方形の位置の筆形をキーインします。
ステップ4.この漢字の図61Aに第四小方形その位置を代表する筆形しるしは右の直列の右下角小方形の位置の筆形から上にいって第二位置の筆形をキーインします。
（図62）
漢字の1例である "薪" を示す図62Aである。そこでは図62Aに
ステップ1.この漢字の図62Aに第一小方形その位置を代表する筆形しるしは頂部のシングル側の筆形をキーインします。
ステップ2. この漢字の図62Aに第二小方形その位置を代表する筆形しるしは左下角の小方形位置の筆形をキーインします。
ステップ3. この漢字の図62Aに第三小方形その位置を代表する筆形しるしは右下角小方形の位置の筆形をキーインします。
ステップ4.この漢字の図62Aに第四小方形その位置を代表する筆形しるしは左の直列の頂部のシングル筆形から下にいって第二位置の筆形をキーインします。
（図63）
漢字の1例である "薇" を示す図63Aである。そこでは図63Aに
ステップ1.この漢字の図63Aに第一小方形その位置を代表する筆形しるしは頂部のシングル側の筆形をキーインします。
ステップ2. この漢字の図63Aに第二小方形その位置を代表する筆形しるしは左下角の小方形位置の筆形をキーインします。
ステップ3. この漢字の図63Aに第三小方形その位置を代表する筆形しるしは左の直列から計算し、第二直列の底部小方形の筆形をキーインします。
ステップ4.この漢字の図63Aに第四小方形その位置を代表する筆形しるしは右下角の筆形をキーインします。
ステップ5.この漢字の図63Aに第五小方形その位置を代表する筆形しるしは左直列から計算し、第二直列の頂部のシングル側筆形から下にいって第二小方形位置の筆形をキーインします。
（図64）
漢字の1例である "図.64Aに示す記号" を示す図64Aである。そこでは図64Aに
ステップ1.この漢字の図64Aに第一小方形その位置を代表する筆形しるしは頂部のシングル側の筆形をキーインします。
ステップ2. この漢字の図64Aに第二小方形その位置を代表する筆形しるしは左下角の小方形位置の筆形をキーインします。
ステップ3. この漢字の図64Aに第三小方形その位置を代表する筆形しるしは左の直列から計算し、第二直列の底部小方形の筆形をキーインします。
ステップ4.この漢字の図64Aに第四小方形その位置を代表する筆形しるしは左直列から計算し、第二直列の頂部のシングル側筆形から下にいって第二小方形位置の筆形をキーインします。
ステップ5.この漢字の図64Aに第五小方形その位置を代表する筆形しるしは左直列から計算し、第二直列の頂部のシングル側筆形から下にいって第三小方形位置の筆形をキーインします。
（図65）
漢字の1例である " 藻" を示す図65Aである。そこでは図65Aに
ステップ1.この漢字の図65Aに第一小方形その位置を代表する筆形しるしは頂部のシングル側の筆形をキーインします。
ステップ2. この漢字の図65Aに第二小方形その位置を代表する筆形しるしは左下角の小方形位置の筆形をキーインします。
ステップ3. この漢字の図65Aに第三小方形その位置を代表する筆形しるしは右下角の筆形をキーインします。
ステップ4.この漢字の図65Aに第四小方形その位置を代表する筆形しるしは右直列の頂部のシングル側筆形から下にいって第三小方形位置の筆形をキーインします。
ステップ5.この漢字の図65Aに第五小方形その位置を代表する筆形しるしは右直列の頂部のシングル側筆形から下にいって第二小方形位置の筆形をキーインします。
（図66  ）
漢字の1例である "藜" を示す図 66Aである。そこでは図66Aに
ステップ1.この漢字の図66A に第一小方形その位置を代表する筆形しるしは頂部のシングル側の筆形をキーインします。
ステップ2. この漢字の図66A に第二小方形その位置を代表する筆形しるしは底部のシングル側の筆形をキーインします。
ステップ3. この漢字の図66A に第三小方形その位置を代表する筆形しるしは右直列の底部のシングル側の筆形から上にいって第二小方形位置の筆形をキーインします。
ステップ4.この漢字の図66A に第四小方形その位置を代表する筆形しるしは右の直列の頂部のシングル筆形から下にいって第二位置の筆形をキーインします。
ステップ5.この漢字の図66A に第五小方形その位置を代表する筆形しるしは左の直列の頂部のシングル筆形から下にいって第二位置の筆形をキーインします。
ステップ6.この漢字の図66A に第六小方形その位置を代表する筆形しるしは左の直列の頂部のシングル筆形から下にいって第三位置の筆形をキーインします。
（図67）
漢字の1例である "癒" を示す図67Aである。そこでは図67Aに
ステップ1.この漢字の図67Aに第一小方形その位置を代表する筆形しるしは頂部のシングル側の筆形をキーインします。
ステップ2. この漢字の図67Aに第二小方形その位置を代表する筆形しるしは底部のシングル側の筆形をキーインします。
ステップ3. この漢字の図67Aに第三小方形その位置を代表する筆形しるしは右直列の底部のシングル側の筆形から上にいって第二小方形位置の筆形をキーインします。
ステップ4.この漢字の図67Aに第四小方形その位置を代表する筆形しるしは右の直列の頂部のシングル筆形から下にいって第三位置の筆形をキーインします。
ステップ5.この漢字の図67Aに第五小方形その位置を代表する筆形しるしは右の直列の頂部のシングル筆形から下にいって第二位置の筆形をキーインします。
ステップ6.この漢字の図67Aに第六小方形その位置を代表する筆形しるしは左の直列の頂部のシングル筆形から下にいって第四位置の筆形をキーインします。
（図68）
漢字の1例である "褻" を示す図68Aである。そこでは図68Aに
ステップ1.この漢字の図68Aに第一小方形その位置を代表する筆形しるしは頂部のシングル側の筆形をキーインします。
ステップ2. この漢字の図68Aに第二小方形その位置を代表する筆形しるしは底部のシングル側の筆形をキーインします。
ステップ3. この漢字の図68Aに第三小方形その位置を代表する筆形しるしは右直列の底部のシングル側の筆形から上にいって第二小方形位置の筆形をキーインします。
ステップ4.この漢字の図68Aに第四小方形その位置を代表する筆形しるしは左の直列の頂部のシングル筆形から下にいって第二位置の筆形をキーインします。
ステップ5.この漢字の図68Aに第五小方形その位置を代表する筆形しるしは左の直列の頂部のシングル筆形から下にいって第三位置の筆形をキーインします。
ステップ6.この漢字の図68Aに第六小方形その位置を代表する筆形しるしは左の直列の頂部のシングル筆形から下にいって第四位置の筆形をキーインします。
（図69）
漢字の1例である "図.69Aに示す記号" を示す図69Aである.そこでは図69Aに
ステップ1.この漢字の図69Aに第一小方形その位置を代表する筆形しるしは頂部のシングル側の筆形をキーインします。
ステップ2. この漢字の図69Aに第二小方形その位置を代表する筆形しるしは底部のシングル側の筆形をキーインします。
ステップ3. この漢字の図69Aに第三小方形その位置を代表する筆形しるしは右直列の底部のシングル側の筆形から上にいって第二小方形位置の筆形をキーインします。
ステップ4.この漢字の図69Aに第四小方形その位置を代表する筆形しるしは左の直列の頂部のシングル筆形から下にいって第二位置の筆形をキーインします。
ステップ5.この漢字の図69Aに第五小方形その位置を代表する筆形しるしは左の直列の頂部のシングル筆形から下にいって第三位置の筆形をキーインします。
（図70）
漢字の1例である "率" を示す図70Aである。そこでは図70Aに
ステップ1.この漢字の図70Aに第一小方形その位置を代表する筆形しるしは頂部のシングル側の筆形をキーインします。
ステップ2. この漢字の図70Aに第二小方形その位置を代表する筆形しるしは底部のシングル側の筆形をキーインします。
ステップ3. この漢字の図70Aに第三小方形その位置を代表する筆形しるしは右直列の底部のシングル側の筆形から上にいって第二小方形位置の筆形をキーインします。
ステップ4.この漢字の図70Aに第四小方形その位置を代表する筆形しるしは右直列から計算し、第二直列の頂部のシングル筆形から下にいって第二位置の筆形をキーインします。
ステップ5.この漢字の図70Aに第五小方形その位置を代表する筆形しるしは左の直列の頂部のシングル筆形から下にいって第二位置の筆形をキーインします。
（図71）
漢字の1例である "図.71Aに示す記号" を示す図71Aである。そこでは図71Aに
ステップ1.この漢字の図71Aに第一小方形その位置を代表する筆形しるしは頂部のシングル側の筆形をキーインします。
ステップ2. この漢字の図71Aに第二小方形その位置を代表する筆形しるしは底部のシングル側の筆形をキーインします。
ステップ3. この漢字の図71Aに第三小方形その位置を代表する筆形しるしは右直列の底部のシングル側の筆形から上にいって第二小方形位置の筆形をキーインします。
ステップ4.この漢字の図71Aに第四小方形その位置を代表する筆形しるしは左の直列の頂部のシングル筆形から下にいって第二位置の筆形をキーインします。
（図72）
漢字の1例である "穡" を示す図72Aである。そこでは図72Aに
ステップ1.この漢字の図72Aに第一小方形その位置を代表する筆形しるし右上角の筆形をキーインします。
ステップ2. この漢字の図72Aに第二小方形その位置を代表する筆形しるしは左上角の筆形をキーインします。
ステップ3. この漢字の図72Aに第三小方形その位置を代表する筆形しるしは左下角の小方形その位置の筆形をキーインします。
ステップ4.この漢字の図72Aに第四小方形その位置を代表する筆形しるしは右の直列から計算し、第二直列の底部小方形の筆形をキーインします。
ステップ5.この漢字の図72Aに第五小方形その位置を代表する筆形しるしは右下角の筆形をキーインします。
ステップ6.この漢字の図72Aに第六小方形その位置を代表する筆形しるしは右の直列から計算し、第二直列の頂点小方形の筆形をキーインします。
（図73）
漢字の1例である "税" を示す図73Aである。そこでは図73Aに
ステップ1.この漢字の図73Aに第一小方形その位置を代表する筆形しるしは右上角の筆形をキーインします。
ステップ2. この漢字の図73Aに第二小方形その位置を代表する筆形しるしは左直列の左上角の筆形をキーインします。
ステップ3. この漢字の図73Aに第三小方形その位置を代表する筆形しるしは左下角の小方形位置の筆形をキーインします。
ステップ4.この漢字の図73Aに第四小方形その位置を代表する筆形しるしは右下角の筆形をキーインします。
ステップ5.この漢字の図73Aに第五小方形その位置を代表する筆形しるしは右の直列の右下角小方形の位置の筆形から上にいって第二位置の筆形をキーインします。
（図74）
漢字の1例である "擬" を示す図74Aである。そこでは図74Aに
ステップ1.この漢字の図74Aに第一小方形その位置を代表する筆形しるしは右上角の筆形をキーインします。
ステップ2. この漢字の図74Aに第二小方形その位置を代表する筆形しるしは左側のシングル筆形をキーインします。
ステップ3. この漢字の図74Aに第三小方形その位置を代表する筆形しるしは左のシングル側の筆形から計算し、第二直列の底部の筆形をキーインします。
ステップ4.この漢字の図74Aに第四小方形その位置を代表する筆形しるしは右下角の筆形をキーインします。
ステップ5.この漢字の図74Aに第五小方形その位置を代表する筆形しるしは左側のシングル筆形から計算して第二直列の頂点筆形をキーインします。
（図75）
漢字の1例である "図.75Aに示す記号" を示す図75Aである.そこでは図75Aに
ステップ1.この漢字の図75Aに第一小方形その位置を代表する筆形しるしは左側のシングル筆形をキーインします。
ステップ2. この漢字の図75Aに第二小方形その位置を代表する筆形しるしは左側のシングル筆形から計算して第二直列の頂点筆形をキーインします。
ステップ3. この漢字の図75Aに第三小方形その位置を代表する筆形しるしは左のシングル側の筆形から計算し、第二直列の底部の筆形をキーインします。
ステップ4.この漢字の図75Aに第四小方形その位置を代表する筆形しるしは左のシングル側の筆形から計算し、第二直列の底部小方形の筆形から上にいって第二小方形位置の筆形をキーインします。
ステップ5.この漢字の図75Aに第五小方形その位置を代表する筆形しるしは左のシングル側の筆形から計算し、第二直列の底部小方形の筆形から上にいって第三小方形位置の筆形をキーインします。
ステップ6.この漢字の図75Aに第六小方形その位置を代表する筆形しるしは左のシングル側の筆形から計算し、第二直列の底部小方形の筆形から上にいって第四小方形位置の筆形をキーインします。
（図76）
漢字の1例である "図.76Aに示す記号" を示す図76Aである.そこでは図76Aに
ステップ1.この漢字の図76Aに第一小方形その位置を代表する筆形しるしは左側のシングル筆形をキーインします。
ステップ2. この漢字の図76Aに第二小方形その位置を代表する筆形しるしは左側のシングル筆形から計算して第二直列の頂点筆形をキーインします。
ステップ3. この漢字の図76Aに第三小方形その位置を代表する筆形しるしは右下角の筆形をキーインします。
ステップ4.この漢字の図76Aに第四小方形その位置を代表する筆形しるしは左のシングル側の筆形から計算し、第二直列の底部の筆形をキーインします。
ステップ5.この漢字の図76Aに第五小方形その位置を代表する筆形しるしは右上角の筆形をキーインします。
ステップ6.この漢字の図76Aに第六小方形その位置を代表する筆形しるしは右直列の右上角の筆形から下にいって第二位置の筆形をキーインします。
（図77）
漢字の1例である "図.77Aに示す記号" を示す図77Aである。そこでは図77Aに
ステップ1.この漢字の図77Aに第一小方形その位置を代表する筆形しるしは左側のシングル筆形をキーインします。
ステップ2. この漢字の図77Aに第二小方形その位置を代表する筆形しるしは左側のシングル筆形から計算して第二直列の頂点筆形をキーインします。
ステップ3. この漢字の図77Aに第三小方形その位置を代表する筆形しるしは右下角の筆形をキーインします。
ステップ4.この漢字の図77Aに第四小方形その位置を代表する筆形しるしは左のシングル側の筆形から計算し、第二直列の底部の筆形をキーインします。
ステップ5.この漢字の図77Aに第五小方形その位置を代表する筆形しるしは右直列の右上角の筆形から下にいって第二小方形位置の筆形をキーインします。
（図78）
漢字の文構造の1例である "設計" を示す図78Aである。そこでは図78Aに
ステップ1. 第一漢字の図78A に第一小方形その位置を代表する筆形しるしは第一漢字の右上角の筆形をキーインします。
ステップ2. 第二漢字の図78A に第二小方形その位置を代表する筆形しるしは第一漢字の左下角の筆形をキーインします。
ステップ3. 第二漢字の図78A に第三小方形その位置を代表する筆形しるしは第二漢字の右上角の筆形をキーインします。
ステップ4. 第二漢字の図78A に第四小方形その位置を代表する筆形しるしは第二漢字の左下角の筆形をキーインします。
（図79）
漢字の文構造の1例である "技術組" を示す図79Aである。そこでは図79Aに
ステップ1. 第一漢字の図79Aに第一小方形その位置を代表する筆形しるしは第一漢字の右上角の筆形をキーインします。
ステップ2. 第二漢字の図79Aに第二小方形その位置を代表する筆形しるしは第二漢字の右上角の筆形をキーインします。
ステップ3. 第三漢字の図79Aに第三小方形その位置を代表する筆形しるしは第三漢字の右上角の筆形をキーインします。
ステップ4. 第三漢字の図79Aに第四小方形その位置を代表する筆形しるしは第三漢字の左下角の筆形をキーインします。
（図80）
漢字の文構造の1例である "機械技術" を示す図80Aである.そこでは図80Aに
ステップ1. 第一漢字の図80Aに第一小方形その位置を代表する筆形しるしは第一漢字の右上角の筆形をキーインします。
ステップ2. 第二漢字の図80Aに第二小方形その位置を代表する筆形しるしは第二漢字の右上角の筆形をキーインします。
ステップ3. 第三漢字の図80Aに第三小方形その位置を代表する筆形しるしは第三漢字の右上角の筆形をキーインします。
ステップ4. 第四漢字の図80Aに第四小方形その位置を代表する筆形しるしは第四漢字の右上角の筆形をキーインします。
ステップ5. 第四漢字の図80A に第五小方形その位置を代表する筆形しるしは第四漢字の左下角の筆形をキーインします。
（図81）
漢字の文構造の1例である "総新機械組 " を示す図81Aである。そこでは図81Aに
ステップ1. 第一漢字の図81A に第一小方形その位置を代表する筆形しるしは第一漢字の右上角の筆形をキーインします。
ステップ2. 第二漢字の図81A に第二小方形その位置を代表する筆形しるしは第二漢字の右上角の筆形をキーインします。
ステップ3. 第三漢字の図81A に第三小方形その位置を代表する筆形しるしは第三漢字の右上角の筆形をキーインします。
ステップ4. 第四漢字の図81A に第四小方形その位置を代表する筆形しるしは第四漢字の右上角の筆形をキーインします。
ステップ5. 第五漢字の図81A に第五小方形その位置を代表する筆形しるしは第五漢字の右上角の筆形をキーインします。
ステップ 6.第五漢字の図81A に第六小方形その位置を代表する筆形しるしは第五漢字の左下角の筆形をキーインします。
（図82）
漢字の文構造の1例である "新導体技術組" を示す図82Aである。そこでは図82Aに
ステップ1. 第一漢字の図824A に第一小方形その位置を代表する筆形しるしは第一漢字の右上角の筆形をキーインします。
ステップ2. 第二漢字の図82A に第二小方形その位置を代表する筆形しるしは第二漢字の右上角の筆形をキーインします。
ステップ3. 第三漢字の図82A に第三小方形その位置を代表する筆形しるしは第三漢字の右上角の筆形をキーインします。
ステップ4. 第四漢字の図82A に第四小方形その位置を代表する筆形しるしは第四漢字の右上角の筆形をキーインします。
ステップ5. 第五漢字の図82A に第五小方形その位置を代表する筆形しるしは第五漢字の右上角の筆形をキーインします。
ステップ 6.第六漢字の図82A に第六小方形その位置を代表する筆形しるしは第六漢字の右上角の筆形をキーインします。
ステップ N.第N漢字の図82A に第N小方形その位置を代表する筆形しるしは第N漢字の右上角の筆形をキーインします。
（図83）
漢字の文構造の1例である "再生機構の支援計画を経産省幹部" を示す図 83Aである。そこでは図83Aに
ステップ1. まえほうの第一漢字の図83A に第一小方形その位置を代表する筆形しるしはまえほうの第一漢字の右上角の筆形をキーインします。
ステップ2. まえほうの第二漢字の図83A に第二小方形その位置を代表する筆形しるしはまえほうの第二漢字の右上角の筆形をキーインします。
ステップ3. まえほうの第三漢字の図83A に第三小方形その位置を代表する筆形しるしはまえほうの第三漢字の右上角の筆形をキーインします。
ステップ4. まえほうの第四漢字の図83A に第四小方形その位置を代表する筆形しるしはまえほうの第四漢字の右上角の筆形をキーインします。
ステップ5. まえほうの第五漢字の図83A に第五小方形その位置を代表する筆形しるしはまえほうの第五漢字の右上角の筆形をキーインします。
ステップ 6. まえほうの第六漢字の図83A に第六小方形その位置を代表する筆形しるしはまえほうの第六漢字の右上角の筆形をキーインします。
ステップ 7. うしろほうの第一漢字の図83A に第一小方形その位置を代表する筆形しるしはうしろほうの第一漢字の右上角の筆形をキーインします。
ステップ 8. うしろほうの第二漢字の図83A に第二小方形その位置を代表する筆形しるしはうしろほうの第一漢字から第二漢字の右上角の筆形をキーインします。
ステップ 9. うしろほうの第三漢字の図83A に第三小方形その位置を代表する筆形しるしはうしろほうの第一漢字から第三漢字の右上角の筆形をキーインします。
ステップ 10. うしろほうの第四漢字の図83Aに第四小方形その位置を代表する筆形しるしはうしろほうの第一漢字から第四漢字の右上角の筆形をキーインします。
ステップ 11. うしろほうの 第五漢字の図83Aに第五小方形その位置を代表する筆形しるしはうしろほうの第一漢字から第五漢字の右上角の筆形をキーインします。
ステップ 12. うしろほうの第六漢字の図83A に第六小方形その位置を代表する筆形しるしはうしろほうの第一漢字から第六漢字の右上角の筆形をキーインします。
（図84）
漢字の1例である "樂" を示す図84Aである。そこでは図84Aに
ステップ1.この漢字の図84Aに第一小方形その位置を代表する筆形しるしは右上角の筆形をキーインします。
ステップ2. この漢字の図84Aに第二小方形その位置を代表する筆形しるしは底部のシングル側の筆形をキーインします。
ステップ3. この漢字の図84Aに第三小方形その位置を代表する筆形しるしは右の直列から計算し、第二直列の頂部小方形の位置の筆形をキーインします。
ステップ4.この漢字の図84Aに第四小方形その位置を代表する筆形しるしは右の直列から計算し、第三直列の頂部四角形の位置の筆形をキーインします。
ステップ5.この漢字の図84Aに第五小方形その位置を代表する筆形しるしは右下角の筆形をキーインします。
（図85）
漢字の1例である "則" を示す図85Aである。そこでは図85Aに
ステップ1.この漢字の図85Aに第一小方形その位置を代表する筆形しるしは右側のシングル筆形をキーインします。
ステップ2. この漢字の図85Aに第二小方形その位置を代表する筆形しるしは左のシングル側の筆形をキーインします。
ステップ3. この漢字の図85Aに第三小方形その位置を代表する筆形しるしは右下角の筆形をキーインします。
（図86）
漢字の1例である "貢" を示す図86Aである。そこでは図86Aに
ステップ1.この漢字の図86Aに第一小方形その位置を代表する筆形しるしは頂部のシングル側の筆形をキーインします。
ステップ2. この漢字の図86Aに第二小方形その位置を代表する筆形しるしは底部のシングル側の筆形をキーインします。
ステップ3. この漢字の図86Aに第三小方形その位置を代表する筆形しるしは右下角の筆形をキーインします。
（図 87  ）
漢字の1例である "圖" を示す図87Aである。そこでは図87Aに
ステップ1.この漢字の図87A に第一小方形その位置を代表する筆形しるしは大きな四角い筆形をキーインします。
ステップ2. この漢字の図87A に第二小方形その位置を代表する筆形しるしは大きな四角い筆形の内側の右上角の筆形をキーインします。
ステップ3. この漢字の図87A に第三小方形その位置を代表する筆形しるしは大きな四角い筆形の内側の左下角の筆形をキーインします。
ステップ4.この漢字の図87A に第四小方形その位置を代表する筆形しるしは大きな四角い筆形の内側の右下角の筆形をキーインします。
ステップ5.この漢字の図87A に第五小方形その位置を代表する筆形しるしは大きな四角い筆形の内側の真ん中の筆形をキーインします。
（図88  ）
漢字の1例である "園" を示す図88Aである。そこでは図88Aに
ステップ1.この漢字の図88A に第一小方形その位置を代表する筆形しるしは大きな四角い筆形をキーインします。
ステップ2. この漢字の図88A に第二小方形その位置を代表する筆形しるしは大きな四角い筆形の内側の右上角の筆形をキーインします。
ステップ3. この漢字の図88A に第三小方形その位置を代表する筆形しるしは大きな四角い筆形の内側の左下角の筆形をキーインします。
ステップ4.この漢字の図88A に第四小方形その位置を代表する筆形しるしは大きな四角い筆形の内側の真ん中の筆形をキーインします。
（図 89  ）
漢字の1例である "図.89Aに示す記号" を示す図89Aである。そこでは図89Aに
ステップ1.この漢字の図89A に第一小方形その位置を代表する筆形しるしは大きな四角い筆形をキーインします。
ステップ2. この漢字の図89A に第二小方形その位置を代表する筆形しるしは大きな四角い筆形の内側の右上角の筆形をキーインします。
ステップ3. この漢字の図89A に第三小方形その位置を代表する筆形しるしは大きな四角い筆形の内側の左下角の筆形をキーインします。
ステップ4.この漢字の図89A に第四小方形その位置を代表する筆形しるしは大きな四角い筆形の内側の真ん中の筆形をキーインします。
（図90  ）
漢字の1例である "図.90Aに示す記号" を示す図90Aである.そこでは図90Aに
ステップ1.この漢字の図90A に第一小方形その位置を代表する筆形しるしは左上角の筆形をキーインします。
ステップ2.この漢字の図90A に第二小方形その位置を代表する筆形しるしは右のシングル側の筆形から計算し、第二直列の頂点小方形の筆形をキーインします。
ステップ3. この漢字の図90A に第三小方形その位置を代表する筆形しるしは右側のシングル筆形をキーインします。
ステップ4. この漢字の図90A に第四小方形その位置を代表する筆形しるしは右のシングル側の筆形から計算し、第二直列の底部小方形の筆形をキーインします。
ステップ5.この漢字の図90A に第五小方形その位置を代表する筆形しるしは左下角の小方形位置の筆形をキーインします。
（図91  ）
漢字の1例である "図.91Aに示す記号" を示す図 91Aである.そこでは図91Aに
ステップ1. この漢字の図91A に第一小方形その位置を代表する筆形しるしは右のシングル側の筆形から計算し、第二直列の頂点左上角の小方形位置の筆形をキーインします。
ステップ2.この漢字の図91A に第二小方形その位置を代表する筆形しるしは右側のシングル筆形をキーインします。
ステップ3. この漢字の図91A に第三小方形その位置を代表する筆形しるしは右のシングル側の筆形から計算し、第二直列の底部小方形の筆形をキーインします。
ステップ4.この漢字の図91A に第四小方形その位置を代表する筆形しるしは右のシングル側の筆形から計算し、第二直列の底部左下角の筆形から上にいって第二小方形位置の筆形をキーインします。
ステップ5.この漢字の図91A に第五小方形その位置を代表する筆形しるしは右のシングル側の筆形から計算し、第二直列の底部左下角の筆形から上にいって第三小方形位置の筆形をキーインします。
（図92  ）
漢字の1例である "図.92Aに示す記号" を示す図92Aである.そこでは図92Aに
ステップ1.この漢字の図92A に第五小方形その位置を代表する筆形しるしは左上角の小方形位置の筆形をキーインします。
ステップ2. この漢字の図92A に第二小方形その位置を代表する筆形しるしは右のシングル側の筆形から計算し、第二直列の頂点小方形をキーインします。
ステップ3.この漢字の図92A に第一小方形その位置を代表する筆形しるしは右側のシングル筆形をキーインします。
ステップ4.この漢字の図92A に第四小方形その位置を代表する筆形しるしは右のシングル側の筆形から計算し、第二直列の底部左下角小方形位置の筆形をキーインします。
ステップ5.この漢字の図92A に第五小方形その位置を代表する筆形しるしは左上角の小方形位置の筆形から下にいって第二位置の筆形をキーインします。
（図93  ）
漢字の1例である "樂" を示す図93Aである。そこでは図93Aに
ステップ1.この漢字の図93A に第一小方形その位置を代表する筆形しるしは左上角の筆形をキーインします。
ステップ2. この漢字の図93A に第二小方形その位置を代表する筆形しるしは左の直列から計算し、第二直列の頂部小方形の位置の筆形をキーインします。
ステップ3. この漢字の図93A に第三小方形その位置を代表する筆形しるしは底部のシングル側の筆形をキーインします。
ステップ4.この漢字の図93A に第四小方形その位置を代表する筆形しるしは左の直列から計算し.第三直列の頂部四角形の位置の筆形をキーインします。
（図94）
漢字の1例である "墮" を示す図94Aである。そこでは図94Aに
ステップ1. この漢字の図94A に第一小方形その位置を代表する筆形しるしは左上の筆形をキーインします。
ステップ2.この漢字の図94A に第二小方形その位置を代表する筆形しるしは右上角の筆形をキーインします。
ステップ3. この漢字の図94A に第三小方形その位置を代表する筆形しるしは底部のシングル側の筆形をキーインします。
ステップ4.この漢字の図94A に第四小方形その位置を代表する筆形しるしは右直列の底部のシングル側の筆形から上にいって第二小方形位置の筆形をキーインします。
ステップ5.この漢字の図94A に第五小方形その位置を代表する筆形しるしは右直列の底部のシングル側の筆形から上にいって第三小方形位置の筆形をキーインします。
（図95  ）
漢字の1例である "懸" を示す図95Aである。そこでは図95Aに
ステップ1.この漢字の図95A に第一小方形その位置を代表する筆形しるしは左直列の左上角の筆形をキーインします。
ステップ2.この漢字の図95A に第二小方形その位置を代表する筆形しるしは右上角の筆形をキーインします。
ステップ3. この漢字の図95A に第三小方形その位置を代表する筆形しるしは底部のシングル側の筆形をキーインします。
ステップ4.この漢字の図95A に第四小方形その位置を代表する筆形しるしは左直列の底部のシングル側の筆形から上にいって第二小方形位置の筆形をキーインします
ステップ5.この漢字の図95A に第五小方形その位置を代表する筆形しるしは右直列の底部のシングル側の筆形から上にいって第二小方形位置の筆形をキーインします
（図96  ）
漢字の1例である "藉" を示す図96Aである。そこでは図96Aに
ステップ1.この漢字の図96A に第一小方形その位置を代表する筆形しるしは頂部のシングル側の筆形をキーインします。
ステップ2. この漢字の図96A に第二小方形その位置を代表する筆形しるしは右下角小方形の位置の筆形をキーインします。
ステップ3. この漢字の図96A に第三小方形その位置を代表する筆形しるしは左下角の小方形位置の筆形をキーインします。
ステップ4.この漢字の図96A に第四小方形その位置を代表する筆形しるしは左の直列の頂部のシングル筆形から下にいって第二位置の筆形をキーインします。
ステップ5.この漢字の図96A に第五小方形その位置を代表する筆形しるしは右の直列の右下角小方形の位置の筆形から上にいって第二位置の筆形をキーインします。
（図97  ）
漢字の1例である "図.97Aに示す記号" を示す図97Aである.そこでは図97Aに
ステップ1.この漢字の図97A に第一小方形その位置を代表する筆形しるしは頂部のシングル側の筆形をキーインします。
ステップ2. この漢字の図97A に第二小方形その位置を代表する筆形しるしは底部のシングル側の筆形をキーインします。
ステップ3. この漢字の図97A に第三小方形その位置を代表する筆形しるしは左直列の底部のシングル側の筆形から上にいって第二小方形位置の筆形をキーインします。
ステップ4.この漢字の図97A に第四小方形その位置を代表する筆形しるしは左の直列の頂部のシングル筆形から下にいって第二位置の筆形をキーインします。
ステップ5.この漢字の図97A に第五小方形その位置を代表する筆形しるしは右の直列の頂部のシングル筆形から下にいって第二位置の筆形をキーインします。
ステップ6.この漢字の図97A に第六小方形その位置を代表する筆形しるしは右の直列の頂部のシングル筆形から下にいって第三位置の筆形をキーインします。
（図98  ）
漢字の1例である "競" を示す図98Aである。そこでは図98Aに
ステップ1.この漢字の図98A に第一小方形その位置を代表する筆形しるしは左直列の左上角の筆形をキーインします。
ステップ2. この漢字の図98A に第二小方形その位置を代表する筆形しるしは右上角の筆形をキーインします。
ステップ3. この漢字の図98A に第三小方形その位置を代表する筆形しるしは右下角の筆形をキーインします。
ステップ4.この漢字の図98A に第四小方形その位置を代表する筆形しるしは左下角の小方形位置の筆形をキーインします。
ステップ5.この漢字の図98A に第五小方形その位置を代表する筆形しるしは左の直列の左下角小方形の位置の筆形から上にいって第二位置の筆形をキーインします。
（図99）
漢字の1例である "徽" を示す図99Aである。そこでは図99Aに
ステップ1.この漢字の図99A に第一小方形その位置を代表する筆形しるしは左のシングル側の筆形をキーインします。
ステップ2. この漢字の図99A に第二小方形その位置を代表する筆形しるしは左のシングル側の筆形から計算し、第二直列の頂点小方形の筆形をキーインします。
ステップ3. この漢字の図99A に第三小方形その位置を代表する筆形しるしは右側のシングル筆形をキーインします。
ステップ4.この漢字の図99A に第四小方形その位置を代表する筆形しるしは右のシングル側の筆形から計算し、第二直列の底部小方形位置の筆形をキーインします。
ステップ5.この漢字の図99A に第五小方形その位置を代表する筆形しるしは右のシングル側の筆形から計算し、第二直列の底部小方形の筆形から上にいって第二小方形位置の筆形をキーインします。
【００１７】
（図100  ）
漢字の1例である "圖" を示す図100Aである。そこでは図100Aに
ステップ1.この漢字の図100A に第一小方形その位置を代表する筆形しるしは大きな四角い筆形をキーインします。
ステップ2. この漢字の図100A に第二小方形その位置を代表する筆形しるしは大きな四角い筆形の内側の左上角の筆形をキーインします。
ステップ3. この漢字の図100A に第三小方形その位置を代表する筆形しるしは大きな四角い筆形の内側の右下角の筆形をキーインします。
ステップ4.この漢字の図100A に第四小方形その位置を代表する筆形しるしは大きな四角い筆形の内側の左下角の筆形をキーインします。
ステップ5.この漢字の図100A に第五小方形その位置を代表する筆形しるしは大きな四角い筆形の内側の真ん中の筆形をキーインします。
（図101）
漢字の1例である "湖" を示す図101Aである。そこでは図101Aに
ステップ1.この漢字の図101A に第一小方形その位置を代表する筆形しるしは左のシングル側の筆形をキーインします。
ステップ2. この漢字の図101A に第二小方形その位置を代表する筆形しるしは左のシングル側の筆形から計算し、第二小方形のシングル筆形をキーインします。
ステップ3. この漢字の図101A に第三小方形その位置を代表する筆形しるしは右側のシングル筆形をキーインします。
（図102  ）
漢字の1例である "綴" を示す図102Aである。そこでは図102Aに
ステップ1.この漢字の図102A に第一小方形その位置を代表する筆形しるしは右上角の筆形をキーインします。
ステップ2.この漢字の図102A に第二小方形その位置を代表する筆形しるしは左側のシングル筆形から計算して第二直列の頂点筆形をキーインします。
ステップ3. この漢字の図102A に第三小方形その位置を代表する筆形しるしは左側のシングル筆形をキーインします。
ステップ4. この漢字の図102A に第四小方形その位置を代表する筆形しるしは左のシングル側の筆形から計算し、第二直列の底部の筆形をキーインします。
ステップ5.この漢字の図102A に第五小方形その位置を代表する筆形しるしは右下角の筆形をキーインします。
（図103  ）
漢字の1例である "図.103Aに示す記号" を示す図 103Aである。そこでは図103Aに
ステップ1.この漢字の図103A に第一小方形その位置を代表する筆形しるしは右上角の筆形をキーインします。
ステップ2. この漢字の図103A に第二小方形その位置を代表する筆形しるしは左側のシングル筆形から計算して第二直列の頂点筆形をキーインします。
ステップ3. この漢字の図103A に第三小方形その位置を代表する筆形しるしは左側のシングル筆形をキーインします。
ステップ4.この漢字の図103A に第四小方形その位置を代表する筆形しるしは左のシングル側の筆形から計算し、第二直列の底部の筆形をキーインします。
ステップ5.この漢字の図103A に第五小方形その位置を代表する筆形しるしは右下角の筆形をキーインします。
ステップ6.この漢字の図103A に第六小方形その位置を代表する筆形しるしは右直列の右上角の筆形から下にいって第二位置の筆形をキーインします。
（図104  ）
漢字の1例である "禦" を示す図104Aである。そこでは図104Aに
ステップ1.この漢字の図104A に第一小方形その位置を代表する筆形しるしは右上角の筆形をキーインします。
ステップ2. この漢字の図104A に第二小方形その位置を代表する筆形しるしは右の直列から計算し、第二直列の頂部小方形の位置の筆形をキーインします。
ステップ3. この漢字の図104A に第三小方形その位置を代表する筆形しるしは底部のシングル側の筆形をキーインします。
ステップ4.この漢字の図104A に第四小方形その位置を代表する筆形しるしは右の直列から計算し、第三直列の頂部四角形の位置の筆形をキーインします。
（図105）
漢字の1例である "樊" を示す図105Aである。そこでは図105Aに
ステップ1.この漢字の図105Aに第一小方形その位置を代表する筆形しるしは右上角の筆形をキーインします。
ステップ2. この漢字の図105Aに第二小方形その位置を代表する筆形しるしは右の直列から計算し、第二直列の頂部小方形の位置の筆形をキーインします。
ステップ3. この漢字の図105Aに第三小方形その位置を代表する筆形しるしは底部のシングル側の筆形をキーインします。
ステップ4.この漢字の図105Aに第四小方形その位置を代表する筆形しるしは左上角の筆形をキーインします。
ステップ5.この漢字の図105Aに第五小方形その位置を代表する筆形しるしは右下角の筆形をキーインします。
（図106  ）
漢字の1例である "襲" を示す図106Aである。そこでは図106Aに
ステップ1.この漢字の図106Aに第一小方形その位置を代表する筆形しるしは右上角の筆形をキーインします。
ステップ2. この漢字の図106Aに第二小方形その位置を代表する筆形しるしは左上角の筆形をキーインします。
ステップ3. この漢字の図106Aに第三小方形その位置を代表する筆形しるしは底部のシングル側の筆形をキーインします。
ステップ4.この漢字の図106Aに第四小方形その位置を代表する筆形しるしは右直列の底部のシングル側の筆形から上にいって第二小方形位置の筆形をキーインします。
ステップ5.この漢字の図106Aに第四小方形その位置を代表する筆形しるしは右直列の底部のシングル  側の筆形から上にいって第三小方形位置の筆形をキーインします。
ステップ6.この漢字の図106Aに第6小方形その位置を代表する筆形しるしは左直列の左上角の筆形から下にいって第二位置の筆形をキーインします。
（図107）
漢字の1例である "形" を示す図107Aである。そこでは図107Aに
ステップ1.この漢字の図107Aに第一小方形その位置を代表する筆形しるしは左上角の小方形位置の筆形をキーインします。
ステップ2. この漢字の図107Aに第二小方形その位置を代表する筆形しるしは右のシングル側の筆形をキーインします。
ステップ3. この漢字の図107Aに第三小方形その位置を代表する筆形しるしは左下角の小方形位置の筆形をキーインします。
ステップ4.この漢字の図107Aに第四小方形その位置を代表する筆形しるしは右下角の小方形位置の筆形をキーインします
（図108）
漢字の1例である "宛" を示す図108Aである。そこでは図108Aに
ステップ1.この漢字の図108Aに第一小方形その位置を代表する筆形しるしは頂部のシングル側の筆形をキーインします。
ステップ2. この漢字の図108Aに第二小方形その位置を代表する筆形しるしは左下角の小方形位置の筆形をキーインします。
ステップ3. この漢字の図108Aに第三小方形その位置を代表する筆形しるしは右直列の底部小方形位置の筆形をキーインします。
ステップ4.この漢字の図108Aに第四小方形その位置を代表する筆形しるしは右下角の筆形をキーインします。
（図109）
漢字の1例である "質" を示す図109Aである。そこでは図109Aに
ステップ1.この漢字の図109Aに第一小方形その位置を代表する筆形しるしは右上角の筆形をキーインします。
ステップ2. この漢字の図109Aに第二小方形その位置を代表する筆形しるしは底部のシングル側の筆形をキーインします。
ステップ3. この漢字の図109Aに第三小方形その位置を代表する筆形しるしは右の直列から計算し、第二直列の頂部小方形の位置の筆形をキーインします。
ステップ4.この漢字の図109Aに第四小方形その位置を代表する筆形しるしは右下角の筆形をキーインします。
（図110）
漢字の1例である "桔" を示す図110Aである。そこでは図110Aに
ステップ1.この漢字の図110A に第一小方形その位置を代表する筆形しるしは右上角の筆形をキーインします。
ステップ2. この漢字の図110A に第二小方形その位置を代表する筆形しるしは左のシングル側の筆形から計算し、第二直列の底部の筆形をキーインします。
ステップ3. この漢字の図110A に第三小方形その位置を代表する筆形しるしは左のシングル側の筆形をキーインします。
ステップ4.この漢字の図110A に第四小方形その位置を代表する筆形しるしは右下角の筆形をキーインします。
（図111）
漢字の1例である "效" を示す図111Aである。そこでは図111Aに
ステップ1.この漢字の図111Aに第一小方形その位置を代表する筆形しるしは右側のシングル筆形をキーインします。
ステップ2. この漢字の図111Aに第二小方形その位置を代表する筆形しるしは右のシングル側の筆形から計算し、第二直列の頂点小方形をキーインします。
ステップ3. この漢字の図111Aに第三小方形その位置を代表する筆形しるしは左下角の小方形位置の筆形をキーインします。
ステップ4.この漢字の図111Aに第四小方形その位置を代表する筆形しるしは右下角の筆形をキーインします。
（図112）
漢字の1例である "堂" を示す図112Aである。そこでは図112Aに
ステップ1.この漢字の図112Aに第一小方形その位置を代表する筆形しるしは頂部のシングル側の筆形をキーインします。
ステップ2. この漢字の図112Aに第二小方形その位置を代表する筆形しるしは底部のシングル側の筆形をキーインします。
ステップ3. この漢字の図112Aに第三小方形その位置を代表する筆形しるしは頂部のシングル筆形から下にいって第二位置のシングル筆形をキーインします。
ステップ4. この漢字の図112Aに第四小方形その位置を代表する筆形しるしは右下角の筆形をキーインします。
（図113）
漢字の1例である "湖" を示す図113Aである。そこでは図113Aに
ステップ1.この漢字の図113Aに第一小方形その位置を代表する筆形しるしは右側のシングル筆形をキーインします。
ステップ2. この漢字の図113Aに第二小方形その位置を代表する筆形しるしは右側のシングル筆形から第二小方形位置のシングル筆形をキーインします。
ステップ3. この漢字の図113Aに第三小方形その位置を代表する筆形しるしは左のシングル側の筆形をキーインします。
ステップ 4. この漢字の図113Aに第四小方形その位置を代表する筆形しるしは右下角の筆形をキーインします。
（図114）
漢字の1例である "培" を示す図114Aである。そこでは図114Aに
ステップ1.この漢字の図114A に第一小方形その位置を代表する筆形しるしは右上角の筆形をキーインします。
ステップ2. この漢字の図114A に第二小方形その位置を代表する筆形しるしは左のシングル側の筆形をキーインします。
ステップ3. この漢字の図114A に第三小方形その位置を代表する筆形しるしは左のシングル側の筆形から計算し、第二直列の底部の筆形をキーインします。
ステップ4.この漢字の図114A に第四小方形その位置を代表する筆形しるしは右下角の筆形をキーインします。
（図115）
漢字の1例である "激" を示す図115である。そこでは図115Aに
ステップ1.この漢字の図115Aに第一小方形その位置を代表する筆形しるしは右側のシングル筆形をキーインします。
ステップ2. この漢字の図115Aに第二小方形その位置を代表する筆形しるしは右のシングル側の筆形から計算し、第二直列の頂点小方形の筆形をキーインします。
ステップ3. この漢字の図115Aに第三小方形その位置を代表する筆形しるしは左のシングル側の筆形をキーインします。
ステップ4.この漢字の図115Aに第四小方形その位置を代表する筆形しるしは左のシングル側の筆形から計算し、第二直列の底部小方形位置の筆形をキーインします。
ステップ5.この漢字の図115Aに第五小方形その位置を代表する筆形しるしは右下角の筆形をキーインします。
（図116）
漢字の1例である "滋" を示す図116Aである。そこでは図116Aに
ステップ1.この漢字の図116A に第一小方形その位置を代表する筆形しるしは右上角の筆形をキーインします。
ステップ2. この漢字の図116A に第二小方形その位置を代表する筆形しるしは左のシングル側の筆形から計算し、第二直列の底部の筆形をキーインします。
ステップ3. この漢字の図116A に第三小方形その位置を代表する筆形しるしは左のシングル側の筆形をキーインします。
ステップ4.この漢字の図116A に第四小方形その位置を代表する筆形しるしは左のシングル側の筆形から計算し、第三直列の底部の筆形をキーインします。
ステップ5.この漢字の図116A に第五小方形その位置を代表する筆形しるしは右下角の筆形をキーインします。
（図117）
漢字の1例である "図.117Aに示す記号" を示す図117Aである。そこでは図117Aに
ステップ1.この漢字の図117Aに第一小方形その位置を代表する筆形しるしは頂部のシングル側の筆形をキーインします。
ステップ2. この漢字の図117Aに第二小方形その位置を代表する筆形しるしは左下角の小方形位置の筆形をキーインします。
ステップ3. この漢字の図117Aに第三小方形その位置を代表する筆形しるしは左の直列から計算し、第二直列の底部小方形の筆形をキーインします。
ステップ4.この漢字の図117Aに第四小方形その位置を代表する筆形しるしは右直列の底部小方形位置の筆形をキーインします。
ステップ5.この漢字の図117Aに第五小方形その位置を代表する筆形しるしは右下角の筆形をキーインします。
（図118）
漢字の1例である "図.118Aに示す記号" を示す図118Aである。そこでは図118Aに
ステップ1.この漢字の図118Aに第一小方形その位置を代表する筆形しるしは右側のシングル筆形をキーインします。
ステップ2. この漢字の図118Aに第二小方形その位置を代表する筆形しるしは右のシングル側の筆形から計算し、第二直列の頂点小方形をキーインします。
ステップ3. この漢字の図118Aに第三小方形その位置を代表する筆形しるしは左下角の小方形位置の筆形をキーインします。
ステップ4.この漢字の図118Aに第四小方形その位置を代表する筆形しるしは右のシングル側の筆形から計算し、第二直列の底部小方形位置の筆形をキーインします。
ステップ5.この漢字の図118Aに第五小方形その位置を代表する筆形しるしは右下角の筆形をキーインします。
（図119）
漢字の1例である "刻" を示す図119Aである。そこでは図119Aに
ステップ1.この漢字の図119Aに第一小方形その位置を代表する筆形しるしは右側のシングル筆形をキーインします。
ステップ2. この漢字の図119Aに第二小方形その位置を代表する筆形しるしは右のシングル側の筆形から計算し、第二直列の頂点小方形位置の筆形をキーインします。
ステップ3. この漢字の図119Aに第三小方形その位置を代表する筆形しるしは左下角の小方形位置の筆形をキーインします。
ステップ4.この漢字の図119Aに第四小方形その位置を代表する筆形しるしは右のシングル側の筆形から計算し、第二直列の左下角の筆形から上にいって第二小方形位置の筆形をキーインします。
ステップ5.この漢字の図119Aに第五小方形その位置を代表する筆形しるしは右下角の筆形をキーインします。
（図120）
漢字の1例である "儘" を示す図120Aである。そこでは図120Aに
ステップ1.この漢字の図120Aに第一小方形その位置を代表する筆形しるしは右上角の筆形をキーインします。
ステップ2. この漢字の図120Aに第二小方形その位置を代表する筆形しるしは左のシングル側の筆形をキーインします。
ステップ3. この漢字の図120Aに第三小方形その位置を代表する筆形しるしは左のシングル側の筆形から計算し、第二直列の底部の筆形をキーインします。
ステップ4.この漢字の図120Aに第四小方形その位置を代表する筆形しるしは左のシングル側の筆形から計算し、第二直列の底部小方形の筆形から上にいって第二小方形位置の筆形をキーインします。
ステップ5.この漢字の図120Aに第五小方形その位置を代表する筆形しるしは右下角の筆形をキーインします。
（図121）
漢字の1例である "図.121Aに示す記号" を示す図121Aである。そこでは図121Aに
ステップ1.この漢字の図121Aに第一小方形その位置を代表する筆形しるしは頂部のシングル側の筆形をキーインします。
ステップ2. この漢字の図121Aに第二小方形その位置を代表する筆形しるしは左下角の小方形位置の筆形をキーインします。
ステップ3. この漢字の図121Aに第三小方形その位置を代表する筆形しるしは右直列の底部小方形位置の筆形をキーインします。
ステップ4.この漢字の図121Aに第四小方形その位置を代表する筆形しるしは右の直列の底部小方形位置の筆形から上にいって第二位置の筆形をキーインします。
ステップ5.この漢字の図121Aに第五小方形その位置を代表する筆形しるしは右下角小方形の位置の筆形をキーインします。
（図122）
漢字の1例である "韻" を示す図122Aである。そこでは図122Aに
ステップ1.この漢字の図122Aに第一小方形その位置を代表する筆形しるしは右上角の筆形をキーインします。
ステップ2. この漢字の図122Aに第二小方形その位置を代表する筆形しるしは左直列の左上角の筆形をキーインします。
ステップ3. この漢字の図122Aに第三小方形その位置を代表する筆形しるしは左下角の小方形位置の筆形をキーインします。
ステップ4.この漢字の図122Aに第四小方形その位置を代表する筆形しるしは右直列の底部小方形位置の筆形をキーインします。
ステップ5.この漢字の図122Aに第五小方形その位置を代表する筆形しるしは右下角の筆形をキーインします。
（図123）
漢字の1例である "協" を示す図123Aである。そこでは図123Aに
ステップ1.この漢字の図123Aに第一小方形その位置を代表する筆形しるしは左側のシングル筆形をキーインします。
ステップ2. この漢字の図123Aに第二小方形その位置を代表する筆形しるしは左側のシングル筆形から計算して第二直列の頂点筆形をキーインします。
ステップ3. この漢字の図123Aに第三小方形その位置を代表する筆形しるしは右直列の底部小方形位置の筆形をキーインします。
ステップ4.この漢字の図123Aに第四小方形その位置を代表する筆形しるしは左のシングル側の筆形から計算し、第二直列の底部小方形の筆形をキーインします。
ステップ5.この漢字の図123Aに第五小方形その位置を代表する筆形しるしは右下角の筆形をキーインします。
（図124）
漢字の1例である "図.124Aに示す記号" を示す図124Aである。そこでは図124Aに
ステップ1.この漢字の図124Aに第一小方形その位置を代表する筆形しるしは左上角の筆形をキーインします。
ステップ2. この漢字の図124Aに第二小方形その位置を代表する筆形しるしは右側のシングル筆形をキーインします。
ステップ3. この漢字の図124Aに第三小方形その位置を代表する筆形しるしは右のシングル側の筆形から計算し、第二直列の底部小方形の筆形をキーインします。
ステップ4.この漢字の図124Aに第四小方形その位置を代表する筆形しるしは左下角の小方形位置の筆形をキーインします。
ステップ5.この漢字の図124Aに第五小方形その位置を代表する筆形しるしは右下角の筆形をキーインします。
（図125）
漢字の1例である "薪" を示す図125Aである。そこでは図125Aに
ステップ1.この漢字の図125Aに第一小方形その位置を代表する筆形しるしは頂部のシングル側の筆形をキーインします。
ステップ2. この漢字の図125Aに第二小方形その位置を代表する筆形しるしは左下角の小方形位置の筆形をキーインします。
ステップ3. この漢字の図125Aに第三小方形その位置を代表する筆形しるしは右直列の底部小方形位置の筆形をキーインします。
ステップ4.この漢字の図125Aに第四小方形その位置を代表する筆形しるしは左の直列の頂部のシングル筆形から下にいって第二位置の筆形をキーインします。
ステップ5.この漢字の図125Aに第五小方形その位置を代表する筆形しるしは右下角小方形位置の筆形をキーインします。
（図126）
漢字の1例である "撥" を示す図126Aである。そこでは図126Aに
ステップ1.この漢字の図126Aに第一小方形その位置を代表する筆形しるしは右上角の筆形をキーインします。
ステップ2. この漢字の図126Aに第二小方形その位置を代表する筆形しるしは左側のシングル筆形をキーインします。
ステップ3. この漢字の図126Aに第三小方形その位置を代表する筆形しるしは左のシングル側の筆形から計算し、第二直列の底部の筆形をキーインします。
ステップ4.この漢字の図126Aに第四小方形その位置を代表する筆形しるしは右直列の底部小方形位置の筆形をキーインします。
ステップ5.この漢字の図126Aに第五小方形その位置を代表する筆形しるしは右下角小方形位置の筆形をキーインします。
（図127）
漢字の1例である "償" を示す図127Aである。そこでは図127Aに
ステップ1.この漢字の図127Aに第一小方形その位置を代表する筆形しるしは左側のシングル筆形をキーインします。
ステップ2. この漢字の図127Aに第二小方形その位置を代表する筆形しるしは左側のシングル筆形から計算して第二直列の頂点筆形をキーインします。
ステップ3. この漢字の図127Aに第三小方形その位置を代表する筆形しるしは左のシングル側の筆形から計算し、第二直列の底部の筆形をキーインします。
ステップ4.この漢字の図127Aに第四小方形その位置を代表する筆形しるしは左のシングル側の筆形から計算し、第二直列の底部小方形の筆形から上にいって第二小方形位置の筆形をキーインします。
ステップ5.この漢字の図127Aに第五小方形その位置を代表する筆形しるしは右下角小方形位置の筆形をキーインします。
（図128）
漢字の1例である "嚶" を示す図128Aである。そこでは図128Aに
ステップ1.この漢字の図128Aに第一小方形その位置を代表する筆形しるしは左側のシングル筆形をキーインします。
ステップ2. この漢字の図128Aに第二小方形その位置を代表する筆形しるしは左側のシングル筆形から計算して第二直列の頂点筆形をキーインします。
ステップ3. この漢字の図128Aに第三小方形その位置を代表する筆形しるしは右下角の筆形をキーインします。
ステップ4.この漢字の図128Aに第四小方形その位置を代表する筆形しるしは右上角の筆形をキーインします。
（図129）
漢字の1例である "協" を示す図129Aである。そこでは図129Aに
ステップ1.この漢字の図129Aに第一小方形その位置を代表する筆形しるしは左側のシングル筆形をキーインします。
ステップ2. この漢字の図129Aに第二小方形その位置を代表する筆形しるしは左側のシングル筆形から計算して第二直列の頂点筆形をキーインします。
ステップ3. この漢字の図129Aに第三小方形その位置を代表する筆形しるしは右下角の筆形をキーインします。
ステップ4.この漢字の図129Aに第四小方形その位置を代表する筆形しるしは左のシングル側の筆形から計算し、第二直列の底部小方形位置の筆形をキーインします。
（図130）
漢字の1例である "
【外１Ａ】
【００１８】
2007272452.tif 000004
" を示す図130Aである。そこでは図130Aに
ステップ1.この漢字の図130Aに第一小方形その位置を代表する筆形しるしは左上角の筆形をキーインします。
ステップ2. この漢字の図130Aに第二小方形その位置を代表する筆形しるしは右側のシングル筆形をキーインします。
ステップ3. この漢字の図130Aに第三小方形その位置を代表する筆形しるしは右のシングル側の筆形から計算し、第二直列の底部小方形の筆形をキーインします。
ステップ4.この漢字の図130Aに第四小方形その位置を代表する筆形しるしは左下角の小方形位置の筆形をキーインします。
（図131）
漢字の1例である "鸚" を示す図131Aである。そこでは図131Aに
ステップ1.この漢字の図131Aに第一小方形その位置を代表する筆形しるしは左上角の筆形をキーインします。
ステップ2. この漢字の図131Aに第二小方形その位置を代表する筆形しるしは右側のシングル筆形をキーインします。
ステップ3. この漢字の図131Aに第三小方形その位置を代表する筆形しるしは右のシングル側の筆形から計算し、第二直列の底部小方形の筆形をキーインします。
ステップ4.この漢字の図131Aに第四小方形その位置を代表する筆形しるしは右のシングル側の筆形から計算し、第二直列の頂点小方形の筆形をキーインします。
（図132）
漢字の1例である "協" を示す図132Aである。そこでは図132Aに
ステップ1.この漢字の図132Aに第一小方形その位置を代表する筆形しるしは右上角の筆形をキーインします。
ステップ2. この漢字の図132Aに第二小方形その位置を代表する筆形しるしは左側のシングル筆形をキーインします。
ステップ3. この漢字の図132Aに第三小方形その位置を代表する筆形しるしは左のシングル側の筆形から計算し、第二直列の底部の筆形をキーインします。
ステップ4.この漢字の図132Aに第四小方形その位置を代表する筆形しるしは右下角の筆形をキーインします。
（図133）
漢字の1例である "嚶" を示す図133Aである。そこでは図133Aに
ステップ1.この漢字の図133Aに第一小方形その位置を代表する筆形しるしは右上角の筆形をキーインします。
ステップ2. この漢字の図133Aに第二小方形その位置を代表する筆形しるしは左側のシングル筆形をキーインします。
ステップ3. この漢字の図133Aに第三小方形その位置を代表する筆形しるしは左側のシングル筆形から計算して第二直列の底部の筆形をキーインします。
ステップ4.この漢字の図133Aに第四小方形その位置を代表する筆形しるしは左側のシングル筆形から計算して第二直列の頂点筆形をキーインします。
（図134）
漢字の1例である "凜" を示す図134Aである.そこでは図134Aに
ステップ1.この漢字の図134Aに第一小方形その位置を代表する筆形しるしは左側のシングル筆形をキーインします。
ステップ2. この漢字の図134Aに第二小方形その位置を代表する筆形しるしは左側のシングル筆形から計算して第二直列の頂点筆形をキーインします。
ステップ3. この漢字の図134Aに第三小方形その位置を代表する筆形しるしは右下角の筆形をキーインします。
ステップ4.この漢字の図134Aに第四小方形その位置を代表する筆形しるしは左のシングル側の筆形から計算し、第二直列の底部の筆形から上にいって第二位置の筆形をキーインします。
ステップ5.この漢字の図134Aに第五小方形その位置を代表する筆形しるしは左のシングル側の筆形から計算し、第三直列の底部の筆形から上にいって第三位置の筆形をキーインします。
ステップ6.この漢字の図134Aに第六小方形その位置を代表する筆形しるしは左のシングル側の筆形から計算し、第二直列の底部の筆形から上にいって第三位置の筆形をキーインします。
をキーインします。
（図135）
漢字の1例である "擺" を示す図 135Aである.そこでは図135Aに
ステップ1.この漢字の図135Aに第一小方形その位置を代表する筆形しるしは左側のシングル筆形をキーインします。
ステップ2. この漢字の図135Aに第二小方形その位置を代表する筆形しるしは左側のシングル筆形から計算して第二直列の頂点筆形をキーインします。
ステップ3. この漢字の図135Aに第三小方形その位置を代表する筆形しるしは右下角の筆形をキーインします。
ステップ4.この漢字の図135Aに第四小方形その位置を代表する筆形しるしは左のシングル側の筆形から計算し、第二直列の底部の筆形をキーインします。
ステップ5.この漢字の図135Aに第五小方形その位置を代表する筆形しるしは右直列の右上角の筆形から下にいって第二位置の筆形をキーインします。
（図136）
漢字の1例である "選" を示す図136Aである.そこでは図136Aに
ステップ1.この漢字の図136Aに第一小方形その位置を代表する筆形しるしは左側のシングル筆形をキーインします。
ステップ2. この漢字の図136Aに第二小方形その位置を代表する筆形しるしは左側のシングル筆形から計算して第二直列の頂点筆形をキーインします。
ステップ3. この漢字の図136Aに第三小方形その位置を代表する筆形しるしは右下角の筆形をキーインします。
ステップ4.この漢字の図136Aに第四小方形その位置を代表する筆形しるしは右上角の筆形をキーインします。
ステップ5.この漢字の図136Aに第五小方形その位置を代表する筆形しるしは右直列の右上角の筆形から下にいって第二位置の筆形をキーインします。
（図137）
漢字の1例である "欖" を示す図 137Aである.そこでは図137Aに
ステップ1.この漢字の図137Aに第一小方形その位置を代表する筆形しるしは左側のシングル筆形をキーインします。
ステップ2. この漢字の図137Aに第二小方形その位置を代表する筆形しるしは左側のシングル筆形から計算して第二直列の頂点筆形をキーインします。
ステップ3. この漢字の図137Aに第三小方形その位置を代表する筆形しるしは右下角の筆形をキーインします。
ステップ4.この漢字の図137Aに第四小方形その位置を代表する筆形しるしは右上角の筆形をキーインします。
ステップ5.この漢字の図137Aに第六小方形その位置を代表する筆形しるしは右直列の右上角の筆形から下にいって第三位置の筆形をキーインします。
（図138  ）
漢字の1例である "鸚" を示す図138Aである.そこでは図138Aに
ステップ1.この漢字の図138A に第一小方形その位置を代表する筆形しるしは左上角の筆形をキーインします。
ステップ2.この漢字の図138A に第二小方形その位置を代表する筆形しるしは右のシングル側の筆形から計算し、第二直列の頂点小方形の筆形をキーインします。
ステップ3. この漢字の図138A に第三小方形その位置を代表する筆形しるしは右側のシングル筆形をキーインします。
ステップ4. この漢字の図138A に第四小方形その位置を代表する筆形しるしは左下角の小方形位置の筆形をキーインします。
（図139  ）
漢字の1例である "敷" を示す図139Aである.そこでは図139Aに
ステップ1.この漢字の図139A に第五小方形その位置を代表する筆形しるしは左上角の小方形位置の筆形をキーインします。
ステップ2. この漢字の図139A に第二小方形その位置を代表する筆形しるしは右のシングル側の筆形から計算し、第二直列の頂点小方形をキーインします。
ステップ3.この漢字の図139A に第一小方形その位置を代表する筆形しるしは右側のシングル筆形をキーインします。
ステップ4.この漢字の図139A に第四小方形その位置を代表する筆形しるしは右のシングル側の筆形から計算し、第二直列の底部左下角小方形位置の筆形をキーインします。
ステップ5.この漢字の図139A に第五小方形その位置を代表する筆形しるしは左上角の小方形位置の筆形から下にいって第二位置の筆形をキーインします。
（図140  ）
漢字の1例である "
【外２】
【００１９】
2007272452.tif 000005
" を示す図140Aである.そこでは図140Aに
ステップ1.この漢字の図140A に第一小方形その位置を代表する筆形しるしは頂部のシングル側の筆形をキーインします。
ステップ2. この漢字の図140A に第二小方形その位置を代表する筆形しるしは底部のシングル側の筆形をキーインします。
ステップ3. この漢字の図140A に第三小方形その位置を代表する筆形しるしは左直列の底部のシングル側の筆形から上にいって第二小方形位置の筆形をキーインします。
ステップ4.この漢字の図140A に第四小方形その位置を代表する筆形しるしは右の直列の頂部のシングル筆形から下にいって第二位置の筆形をキーインします。
（図141  ）
漢字の1例である "癒" を示す図141Aである.そこでは図141Aに
ステップ1.この漢字の図141A に第一小方形その位置を代表する筆形しるしは頂部のシングル側の筆形をキーインします。
ステップ2. この漢字の図141A に第二小方形その位置を代表する筆形しるしは底部のシングル側の筆形をキーインします。
ステップ3. この漢字の図141A に第三小方形その位置を代表する筆形しるしは左直列の底部のシングル側の筆形から上にいって第二小方形位置の筆形をキーインします。
ステップ4.この漢字の図141A に第四小方形その位置を代表する筆形しるしは左の直列の頂部のシングル筆形から下にいって第三位置の筆形をキーインします。
ステップ5.この漢字の図141A に第五小方形その位置を代表する筆形しるしは右の直列の頂部のシングル筆形から下にいって第二位置の筆形をキーインします。
ステップ6.この漢字の図141A に第六小方形その位置を代表する筆形しるしは右の直列の頂部のシングル筆形から下にいって第三位置の筆形をキーインします。
（図142  ）
漢字の1例である "図.142Aに示す記号" を示す図142Aである.そこでは図142Aに
ステップ1.この漢字の図142A に第一小方形その位置を代表する筆形しるしは頂部のシングル側の筆形をキーインします。
ステップ2. この漢字の図142A に第二小方形その位置を代表する筆形しるしは底部のシングル側の筆形をキーインします。
ステップ3. この漢字の図142A に第三小方形その位置を代表する筆形しるしは左直列の底部のシングル側の筆形から上にいって第二小方形位置の筆形をキーインします。
ステップ4.この漢字の図142A に第四小方形その位置を代表する筆形しるしは左の直列の頂部のシングル筆形から下にいって第三位置の筆形をキーインします。
ステップ5.この漢字の図142A に第五小方形その位置を代表する筆形しるしは左の直列の頂部のシングル筆形から下にいって第二位置の筆形をキーインします。
ステップ6.この漢字の図142A に第六小方形その位置を代表する筆形しるしは右の直列の頂部のシングル筆形から下にいって第二位置の筆形をキーインします。
（図143  ）
漢字の1例である "率" を示す図143Aである.そこでは図143Aに
ステップ1.この漢字の図143A に第一小方形その位置を代表する筆形しるしは頂部のシングル側の筆形をキーインします。
ステップ2. この漢字の図143A に第二小方形その位置を代表する筆形しるしは底部のシングル側の筆形をキーインします。
ステップ3. この漢字の図143A に第三小方形その位置を代表する筆形しるしは左直列の底部のシングル側の筆形から上にいって第二小方形位置の筆形をキーインします。
ステップ4.この漢字の図143A に第四小方形その位置を代表する筆形しるしは左の直列から計算し、第二直列の頂部のシングル筆形から下にいって第二位置の筆形をキーインします。
ステップ5.この漢字の図143A に第五小方形その位置を代表する筆形しるしは右の直列の頂部のシングル筆形から下にいって第二位置の筆形をキーインします。
（図144  ）
漢字の1例である "
【外３】
【００２０】
2007272452.tif 000006
" を示す図144Aである.そこでは図144Aに
ステップ1.この漢字の図144A に第一小方形その位置を代表する筆形しるしは頂部のシングル側の筆形をキーインします。
ステップ2. この漢字の図144A に第二小方形その位置を代表する筆形しるしは底部のシングル側の筆形をキーインします。
ステップ3. この漢字の図144A に第三小方形その位置を代表する筆形しるしは左直列の底部のシングル側の筆形から上にいって第二小方形位置の筆形をキーインします。
ステップ4.この漢字の図144A に第四小方形その位置を代表する筆形しるしは右の直列の頂部のシングル筆形から下にいって第二位置の筆形をキーインします。
（図145  ）
漢字の1例である "讚" を示す図 145Aである。そこでは図145Aに
ステップ1.この漢字の図145A に第一小方形その位置を代表する筆形しるしは右上角の筆形をキーインします。
ステップ2. この漢字の図145A に第二小方形その位置を代表する筆形しるしは左側のシングル筆形から計算して第二直列の頂点筆形をキーインします。
ステップ3. この漢字の図145A に第三小方形その位置を代表する筆形しるしは左側のシングル筆形をキーインします。
ステップ4.この漢字の図145A に第四小方形その位置を代表する筆形しるしは左のシングル側の筆形から計算し、第二直列の底部の筆形をキーインします。
ステップ5.この漢字の図145A に第五小方形その位置を代表する筆形しるしは右直列の右上角の筆形から下にいって第二位置の筆形をキーインします。
（図146  ）
漢字の1例である "韆" を示す図146Aである。そこでは図146Aに
ステップ1.この漢字の図146A に第一小方形その位置を代表する筆形しるしは右上角の筆形をキーインします。
ステップ2. この漢字の図146A に第二小方形その位置を代表する筆形しるしは左側のシングル筆形から計算して第二直列の筆形をキーインします。
ステップ3. この漢字の図146A に第三小方形その位置を代表する筆形しるしは左側のシングル筆形をキーインします。
ステップ4.この漢字の図146A に第四小方形その位置を代表する筆形しるしは左のシングル側の筆形から計算し、第三直列の底部の筆形をキーインします。
ステップ5.この漢字の図146A に第五小方形その位置を代表する筆形しるしは右直列の右上角の筆形から下にいって第二位置の筆形をキーインします。
（図147  ）
漢字の1例である "饕" を示す図147Aである。そこでは図147Aに
ステップ1.この漢字の図147Aに第一小方形その位置を代表する筆形しるしは右上角の筆形をキーインします。
ステップ2. この漢字の図147Aに第二小方形その位置を代表する筆形しるしは左上角の筆形をキーインします。
ステップ3. この漢字の図147Aに第三小方形その位置を代表する筆形しるしは底部のシングル側の筆形をキーインします。
ステップ4.この漢字の図147Aに第四小方形その位置を代表する筆形しるしは右直列の底部のシングル側の筆形から上にいって第二小方形位置の筆形をキーインします。
ステップ5.この漢字の図147Aに第四小方形その位置を代表する筆形しるしは左直列の左上角の筆形から下にいって第二位置の筆形をキーインします。
（図148）
図148は、 ワイアレス子機システムのブロック図である。
図148は多機能ワイアレス公衆電話システムの子機ブロック図である。インターネット及びE-mail応用Audio & Videoデジタルの文字メッセージを250Mbpsで送受信するために使うことが出来、子機を送受信するために使うことが出来る。図においてブロック３７はRF Chip Set、ブロック３８は局部発振器、ブロック３９は移相回路、ブロック４０は送受信IC回路である。ブロック４１はCPUの機能です。ブロック４5はM Generatorの機能です。ブロック４6はBias Circuitの機能です。
ブロック０２はフロントエンド（Front End）、ブロック０４はスクランブラー（Scrambler）、ブロック０５はコンパンダー（Compander）、ブロック１0はキーボードである。ブロック１１はMSK送受信回路である。ブロック１２はID. ROM、ブロック４２はデコーダーLSIで、RF信号を検出して、IDコードをチェックする。E-mail機能Audio & Video MP3機能含め、処理送受信ICのメッセージ、MCU検出漢字をメッセージ代表し、MCUも処理メッセージは、連続選出漢字の語形は代表語形の英数字、句読点記号は、fig. 1510のキーパッドに代表漢字の語形配列図が付録A：該当する漢字にあたる配合の漢字の筆形位置の配列図式語形の位置配列図に、代表漢字の単一コードを生成し、ブロック０８は16M ROM 、ストレジや10000個漢字を出し、ブロック０３は、1024M SRAM. ストレジ,メッセージは読写送受信mp3 playingできる。ブロック１０２５はから−LCD display、ブロック１０２４はLCD I / O controller U1 & U2じゃコモンドライバchip、U3−U6はセグメント・ドライバchip、ブロック２３はマイクロホン、ブロック４２はスピーカ。
（図149）
図149は、ワイアレス電話システムで子機を送受信使われる、システムのブロック図である。
図149は多機能ワイアレス公衆電話システムのブロック図である。インターネット及びE-mail応用Audio & Videoデジタルの文字メッセージを250Mbpsで送受信するために使うことが出来、子機を送受信するために使うことが出来る。図においてブロック３７はRF Chip Set、ブロック３８は局部発振器、ブロック３９は移相回路、ブロック４０は送受信IC回路である。ブロック４１はCPUの機能です。ブロック４3はM Generatorの機能です。ブロック４4はBias Circuitの機能です。
ブロック０２はフロントエンド（Front End）、ブロック０４はスクランブラー（Scrambler）、ブロック０５はコンパンダー（Compander）、ブロック１１はMSK送受信回路である。ブロック１２はID. ROM、ブロック４２はデコーダーLSIで、RF信号を検出して、IDコードをチェックする。E-mail機能Audio & Video MP3機能含め、処理送受信ICのメッセージ、MCU検出漢字をメッセージ代表し、MCUも処理メッセージは、連続選出漢字の語形は代表語形の英数字、句読点記号は、fig. 151のキーパッドに代表漢字の語形配列図が付録A：該当する漢字にあたる配合の漢字の筆形位置の配列図式語形の位置配列図に、代表漢字の単一コードを生成し、ブロック０８は16M ROM 、ストレジや10000個漢字を出し、ブロック０３は、1024M SRAM. ストレジ,メッセージは読写送受信mp3 playingできる。ブロック１０２５はから−LCD display、ブロック１０２４はLCD I / O controller U1 & U2じゃコモンドライバchip、U3−U6はセグメント・ドライバchip、ブロック２３はマイクロホン、ブロック４２はスピーカ。ブロック１0はキーボードである。
ブロック１３はcross point switch、ブロック１４はspeech net work、ブロック１５はUSB connector、ブロック１６はtone ringer、ブロック１７、１８はZenerdiode & diode bridge、ブロック２５はMP3 player&PDA、ブロックM1は、DSP-複数グループオンライ機能できる.ADSL connet with ワイヤレスネットサービスできる
（図150）
図150は、この発明を具現化するコンピュータoシステムのブロック図である。
つづけて様々なブロックの機能を説明する。
ブロック０６はI / O 拡充器で、コンピュータの漢字字ディジタルDDRを記憶させる時に使われる。また漢字字生成器の中でアドレスをさがす時に使われる。
ブロック０８は、６４MROM漢文字形生成器で、プログラミングされた漢文字字形の格納容量がある。
ブロック１１はAMDAthlon ６４プロセッサである。ブロック１２はオーバドライバoプロセッサである。ブロック１３はPCI ブリジとメモリoコントローラである。ブロック１４は主要のメモリ（DDR）である。ブロック１５はPCI ３３Bus である。ブロック１６はSuper６４シングルchip set である。ブロック１７はHDDである。ブロック１８はAGP（4 x / 8 x ）である。ブロック１９はEthernet（登録商標） PHYである。ブロック２０はDual channel IDE Bus Masterである。ブロック２１はAGP Bus である。ブロック２２はUSB 2.0 x 8 である。ブロック２３はUSBである。ブロック２４はSerial ATAである。ブロック２５はAudio Codec x 2である。ブロック２６はMDC Slotである。ブロック２７はFaxである。ブロック２８はSoundである。ブロック２９はStereo Systemである。ブロック３０はACRである。ブロック３１はキーボードである。ブロック３２はFDDである。ブロック３３はLPT & COM Portである。ブロック３４はLPC Slot である。ブロック３５はLPC ROMである。ブロック３６はLPC Super I / Oである。
ブロック３７はAC-link である。ブロック３８はMIIである。ブロック３９はAC 97である。
（図151）
図151は、図150のコンピュータoシステムで使われる。コンピュータのキーボード、そのキーパッドに記された漢字の語形図グループの語形を表し、漢字での情報を処理するための現システム準拠して、標記されている。
漢字のコンピュータおよび通信用のコードを作る方法において、標記手順は大体図151で示されるように記号キーパッドに関連して語形図を配置することで行われる漢字のコンピュータおよび通信用のコード作成装置。キーボード装置には４5コのキーがあり、キーボードは図151の通りです。
（図152）
図152は、４７キーのキーボードのキーパッドを示している。この明細書に添付された表（付録A図）に記述されているように、 該当する漢字にあたる配合の漢字の筆形位置の配列図の語形配列用に標記されている。
漢字のコンピュータおよび通信用のコードを作る方法において、標記手順は大体図1５2で示されるように記号キーパッドに関連して語形図を配置することで行われる漢字のコンピュータおよび通信用のコード作成装置。キーボード装置には４７コのキーがあり、キーボードは図152の通りです。
キーボードに３４９語形図をそれぞれ表しているキーパッドの実施例を示す図であり、語形図は前述したコード化方式と装置によってキーパッドに割り当てられ、この語形図の各グループを代表するキーパッドの記号を使ってコード語が形成されている配列図である。
（図 153）
図153はキーボードのキーパッドで（付録A図）にある..該当する漢字にあたる配合の漢字の筆形位置の配列図の語形配列用に標記されている。
漢字のコンピュータおよび通信用のコードを作る方法において、標記手順は大体図1５3で示されるように記号キーパッドに関連して語形図を配置することで行われる漢字のコンピュータおよび通信用のコード作成装置。キーボード装置には４７コのキーがあり、キーボードは図153の通りです。
（図 154）
図154にキーボードに３４９語形図をそれぞれ表しているキーパッドの実施例を示す図であり、語形図は前述したコード化方式と装置によってキーパッドに割り当てられ、この語形図の各グループを代表するキーパッドの記号は、平仮名/カタカナを使ってコード語が形成されている配列図である。キーボード装置には４5コのキーがあり、キーボードは図154の通りです。
【実施例１】
【００２１】
図１は、本発明装置の１実施例
fig.1-147端数千通りの可能性のある伝統的漢字の１例である。1つの大きい方形内の小さめの方形が特定の漢字内で特定の語形配列法に合うような配列を表している図である。漢字" 韆 "はfig.１に適合している。
長方形1の語形"西"は図152に "b" キーにある。
長方形2の語形"革"は図152に "v" キーにある。
長方形3の語形"Fig.077に示す記号"は図152に "c" キーにある。
長方形4の語形"Fig.054に示す記号"は図152に "k" キーにある。
長方形５の語形"大"は図152に "y" キーにある。
このように、これらのキーパッドを順に入力することで、コンピュータおよび通信用の交換符号 "bvcky " はこのような伝統的漢字を表示するようになる。
請求項1の方法に従って、平仮名/カタカナ、ローマ字、アルファベット記しを使用し、キーボードに標記されている漢字筆形によってプログラムコードを編集して.この漢字"韆"のコードを作成できるです。図1の筆形位置と同じのような漢字を選択は"韆"。、あらかじめ指定される小さい四角いにある漢字筆形を選択し,この漢字の連続筆形位置の配列図1順番に漢字の筆形入力して、このプログラムコードが読み取りたい漢字の筆形のしるしを決めるのです。ステップ1.該当する漢字"韆"にあたる配合の漢字の筆形位置の配列図1 の第一位置にある小さい方形から読み取られる漢字筆形を選択は"西"キーボード図152のキーパッド"b"上の各グループ かの筆形の中の"西"になります。この漢字の第一小方形その位置を代表する筆形は, 該当する漢字"韆"にあたる配合の漢字の筆形位置の配列図1の第一位置に"西"をキーインします。ステップ2.該当する漢字"韆"にあたる配合の漢字の筆形位置の配列図1の第二位置にある小さい方形から読み取られる漢字筆形を選択は"革"キーボード図152のキーパッド"v"上の各グループかの筆形の中の"革"になります。この漢字の第二小方形その位置を代表する筆形は, 該当する漢字"韆"にあたる配合の漢字の筆形位置の配列図1の第二位置に"革"をキーインします。ステップ3.該当する漢字"韆"にあたる配合の漢字の筆形位置の配列図1の第三位置にある小さい方形から読み取られる漢字筆形を選択は" Fig.077に示す記号"キーボード図152のキーパッド"c"上の各グループかの筆形の中の" Fig.077に示す記号"になります。この漢字の第三小方形その位置を代表する筆形は, 該当する漢字"韆"にあたる配合の漢字の筆形位置の配列図1の第三位置に" Fig.077に示す記号"をキーインします。ステップ4.該当する漢字"韆"にあたる配合の漢字の筆形位置の配列図1の第四位置にある小さい方形から読み取られる漢字筆形を選択は" Fig.054に示す記号"キーボード図152のキーパッド"k"上の各グループかの筆形の中の" Fig.054に示す記号"になります。この漢字の第四小方形その位置を代表する筆形は, 該当する漢字"韆"にあたる配合の漢字の筆形位置の配列図1の第四位置に" Fig.054に示す記号"をキーインします. ステップ5.該当する漢字"韆"にあたる配合の漢字の筆形位置の配列図1の第五位置にある小さい方形から読み取られる漢字筆形を選択は"大"キーボード図152のキーパッド"y"上の各グループかの筆形の中の"大"になります。この漢字の第五小方形その位置を代表する筆形は, 該当する漢字"韆"にあたる配合の漢字の筆形位置の配列図1の第四位置に"大"をキーインします。プログラムコード"bvcky"はこの漢字"韆"のコンピューターと通信コードを代表します。
請求項1の方法に従って、平仮名/カタカナ、ローマ字、アルファベット記しを使用し、キーボードに標記されている漢字筆形によってプログラムコードを編集して.この漢字"綴"のコードを作成できるです。図.25の筆形位置と同じのような漢字を選択は" 綴"。、あらかじめ指定される小さい四角いにある漢字筆形を選択し,この漢字の連続筆形位置の配列図25順番に漢字の筆形入力して、このプログラムコードが読み取りたい漢字の筆形のしるしを決めるのです。ステップ1.該当する漢字" 綴"にあたる配合の漢字の筆形位置の配列図25の第一位置にある小さい方形から読み取られる漢字筆形を選択は"又"キーボード図151のキーパッド"g"上の各グループ かの筆形の中の" 又"になります。この漢字の第一小方形その位置を代表する筆形は, 該当する漢字" 綴"にあたる配合の漢字の筆形位置の配列図25の第一位置に"又"をキーインします。ステップ2.該当する漢字" 綴"にあたる配合の漢字の筆形位置の配列図25の第二位置にある小さい方形から読み取られる漢字筆形を選択は" 又"キーボード図151のキーパッド"g"上の各グループかの筆形の中の" 又"になります。この漢字の第二小方形その位置を代表する筆形は, 該当する漢字" 綴"にあたる配合の漢字の筆形位置の配列図25の第二位置に" 又"をキーインします。ステップ3.該当する漢字" 綴"にあたる配合の漢字の筆形位置の配列図25の第三位置にある小さい方形から読み取られる漢字筆形を選択は"糸"キーボード図151のキーパッド"g"上の各グループかの筆形の中の" 糸"になります。この漢字の第三小方形その位置を代表する筆形は, 該当する漢字" 綴"にあたる配合の漢字の筆形位置の配列図25の第三位置に "糸"をキーインします。ステップ4.該当する漢字" 綴"にあたる配合の漢字の筆形位置の配列図25の第四位置にある小さい方形から読み取られる漢字筆形を選択は" 又"キーボード図151のキーパッド"g"上の各グループかの筆形の中の" 又"になります。この漢字の第四小方形その位置を代表する筆形は, 該当する漢字" 綴"にあたる配合の漢字の筆形位置の配列図25の第四位置に" 又"をキーインします。ステップ5.該当する漢字" 綴"にあたる配合の漢字の筆形位置の配列図25の第四位置にある小さい方形から読み取られる漢字筆形を選択は" 又"キーボード図151のキーパッド"g"上の各グループかの筆形の中の" 又"になります。この漢字の第五小方形その位置を代表する筆形は, .該当する漢字" 綴"にあたる配合の漢字の筆形位置の配列図25の第五位置に" 又"をキーインします。プログラムコード"ggggg"はこの漢字"綴"のコンピューターと通信コードを代表します。
【実施例２】
【００２２】
図1〜147の例は、以下のような特定の漢字に関連しているもんである
漢字と小方形（図1〜図147のいずれか）内の小方形と番号のついた小さい部分との対応および通信符号との対応をさらに例を上げて説明する。Fig.01に示す記号〜Fig.077に示す記号の詳細な説明の末尾に添付された付録C表には
(a).付録Ａ図面： 該当する漢字にあたる配合の漢字の筆形位置の配列図式の語形の位置配列図はキーボード装置にFig.153使用し、単一つコードを生成し、漢字の代表となり上記によって実際の演習は下記との通りです。
"褻 "は（FIG..42 の配列）図42 に適合しているが、そこではFig.03に
小方形1の語形は図153に " s " キーの" Fig.01に示す記号 "
小方形2の語形は図153に " d" キーの"Fig.02に示す記号 "
小方形3の語形は図153に " 0 " キーの"土"
小方形5の語形は図153に " 0 " キーの"土"
小方形6の語形は図153に " r " キーの"丸"となっている。
"褻"は図42の配列になるが その構成は図03のようになっている.従って"褻" の文字のコンピュータおよび通信用交換コードは、"sd00l "で表されることになる。
" 綴"は（FIG..43 の配列）図43 に適合しているが.そこではFig.04に
小方形1の語形は図153に " g " キーの"糸"
小方形2の語形は図153に " g " キーの"又"
小方形3の語形は図153に " g " キーの"又"
小方形4の語形は図153に " g " キーの"又"
小方形５の語形は図153に " g " キーの"又"となっている。
"綴" は図43の配列になるが その構成は図04のようになっている.従って"綴" の文字のコンピュータおよび通信用交換コードは、"ggggg "で表されることになる。
" 欒"は（FIG..52の配列）図52 に適合しているが、そこではFig.05に
小方形1の語形は図153に " g " キーの"糸"
小方形2の語形は図153に " 4" キーの"木"
小方形3の語形は図153に " a " キーの"言"
小方形4の語形は図153に " g " キーの"糸"となっている。
"欒"は図52の配列になるが その構成は図05のようになっている. 従って"欒" の文字のコンピュータおよび通信用交換コードは、"g4ag "で表されることになる。
"Fig.06に示す記号 "は（FIG..45 の配列）図45 に適合しているが、そこではFig.06に
小方形1の語形は図153に " g " キーの"又"
小方形2の語形は図153に " - " キーの"Fig.055に示す記号"
小方形3の語形は図153に " g " キーの"又"
小方形4の語形は図153に " g " キーの"又"
小方形５の語形は図153に " g " キーの"又"となっている。
"Fig.06に示す記号"は図45の配列になるが その構成は図06のようになっている. 従って"Fig.06に示す記号"の文字のコンピュータおよび通信用交換コードは、"g-ggg "で表されることになる。
"剖"は（FIG..107 の配列）図107 に適合しているが、そこではFig.041に
小方形1の語形は図153に "- " キーの"立"
小方形2の語形は図153に " k" キーの"Fig.055に示す記号"
小方形3の語形は図153に "5 " キーの"口"
小方形4の語形は図153に "p " キーの"Fig.042に示す記号"となっている。
"剖" は図107の配列になるが その構成は図041のようになっている. 従って"剖" の文字のコンピュータおよび通信用交換コードは、"-k5p "で表されることになる。
(b).付録Ａ図面：該当する漢字にあたる配合の漢字の筆形位置の配列図式の語形の位置配列図はキーボード装置にFig.152使用し、単一つコードを生成し、漢字の代表となり上記によって実際の演習は下記
との通りです。
"燦 "は（FIG..17の配列）図17 に適合しているが、そこではFig.09に
小方形1の語形は図152に "g " キーの"又"
小方形2の語形は図152に "q " キーの"火"
小方形3の語形は図152に ", " キーの"米"
小方形4の語形は図152に "r " キーの"卜"
小方形５の語形は図152に "l " キーの"夕"となっている。
"燦 "は図17の配列になるが その構成は図09のようになっている.従って"燦"の文字のコンピュータおよび通信用交換コードは、"gq,rl"で表されることになる。
"繞"は（FIG..12 の配列）図12 に適合しているが.そこではFig.08に
小方形1の語形は図152に "0 " キーの"土"
小方形2の語形は図152に "g " キーの"糸"
小方形3の語形は図152に "e " キーの"兀"
小方形4の語形は図152に "0 " キーの"土"
小方形５の語形は図152に "0 " キーの"土"となっている。
"繞" は図12の配列になるが その構成は図08のようになっている.従って "繞" の文字のコンピュータおよび通信用交換コードは、"0ge00 "で表されることになる。
" 罷"は（FIG..21 の配列）図21 に適合しているが、そこではFig.011に
小方形1の語形は図152に "c " キーの"Fig.10に示す記号"
小方形2の語形は図152に "8 " キーの"月"
小方形3の語形は図152に "a " キーの"匕"
小方形4の語形は図152に "a " キーの"匕"
小方形５の語形は図152に "= " キーの"
【外４】
【００２３】
2007272452.tif 000007
"となっている。
"罷" は図21の配列になるが その構成は図011のようになっている.従って"罷" の文字のコンピュータおよび通信用交換コードは、"c8aa= "で表されることになる。
"競"は（FIG..22 の配列）図22 に適合しているが、そこではFig.012に
小方形1の語形は図152に "k " キーの"立"
小方形2の語形は図152に "k " キーの"立"
小方形3の語形は図152に "x " キーの"儿"
小方形4の語形は図152に "x " キーの"儿"
小方形５の語形は図152に " 5" キーの"口"となっている。
"競" は図22の配列になるが その構成は図012のようになっている.従って"競" の文字のコンピュータおよび通信用交換コードは、" kkxx5 "で表されることになる。
"Fig.014に示す記号"は（FIG..28 の配列）図28 に適合しているが、そこではFig.014に
小方形1の語形は図152に "c " キーの"Fig010.に示す記号"
小方形2の語形は図152に "6 " キーの"Fig028に示す記号"
小方形3の語形は図152に "8 " キーの"月"
小方形4の語形は図152に "a " キーの"匕"
小方形５の語形は図152に "a " キーの"匕"となっている。"Fig.014に示す記号"は図28の配列になるがその構成は図014のようになっている.従って"Fig.014に示す記号" の文字のコンピュータおよび通信用交換コードは、"c68aa "で表されることになる。
"澱"は（FIG..31 の配列）図31 に適合しているが、そこではFig.015に
小方形1の語形は図152に "; " キーの"殳"
小方形2の語形は図152に "p " キーの"尸"
小方形3の語形は図152に "3 " キーの"Fig.023に示す記号"
小方形4の語形は図152に "; " キーの"八"
小方形５の語形は図152に "' " キーの"Fig.025に示す記号"となっている. "澱"は図31の配列になるがその構成は図015のようになっている. 従って"澱" の文字のコンピュータおよび通信用交換コードは、";p3;'"で表されることになる。
"Fig.016に示す記号"は（FIG..33 の配列）図33 に適合しているが、そこではFig.016に
小方形1の語形は図1521に "n " キーの"欠"
小方形2の語形は図152に "r " キーの"Fig.050に示す記号"
小方形3の語形は図152に "8 " キーの"月"
小方形4の語形は図152に "- " キーの"Fig.055に示す記号"
小方形５の語形は図152に "f " キーの"一"となっている。"Fig.016に示す記号" は図33の配列になるが その構成は図016のようになっている  従って"Fig.016に示す記号" の文字のコンピュータおよび通信用交換コードは、"nr8-f"で表されることになる。
"Fig.06に示す記号"は（FIG..37 の配列）図37 に適合しているが、そこではFig.06に
小方形1の語形は図152に "- " キーの"Fig.055に示す記号"
小方形2の語形は図152に "g " キーの"又"
小方形3の語形は図152に "g " キーの"又"
小方形4の語形は図152に "g " キーの"又"
小方形５の語形は図152に "g " キーの"又"となっている。"Fig.06に示す記号"は図37の配列になるが その構成は図06のようになっている.従って"Fig.06に示す記号" の文字のコンピュータおよび通信用交換コードは、"-gggg "で表されることになる。
"Fig.019に示す記号"は（FIG..40 の配列）図40 に適合しているが、そこではFig.019に
小方形1の語形は図152に "w " キーの"Fig.032に示す記号"
小方形2の語形は図152に "e " キーの"兀"
小方形3の語形は図152に "j " キーの"Fig.021に示す記号"
小方形4の語形は図152に "1 " キーの"Fig.022に示す記号"
小方形５の語形は図152に " f" キーの"一"となっている。"Fig.019に示す記号" は図40の配列になるが その構成は図019のようになっている.従って"Fig.019に示す記号" の文字のコンピュータおよび通信用交換コードは、"wejlf "で表されることになる。
"Fig.020に示す記号"は（FIG..41 の配列）図41 に適合しているが、そこではFig.020に
小方形1の語形は図152に "j " キーの"
【外５】
【００２４】
2007272452.tif 000008
"
小方形2の語形は図152に "6 " キーの"手 "
小方形3の語形は図152に "w " キーの"Fig.032に示す記号"
小方形4の語形は図152に " 6" キーの"
【外６】
【００２５】
2007272452.tif 000009
"
小方形５の語形は図152に "5 " キーの"口"となっている。"Fig.020に示す記号" は図41の配列になるが その構成は図020のようになっている  従って"Fig.020に示す記号" の文字のコンピュータおよび通信用交換コードは、"j6w65 "で表されることになる。
"濤"は（FIG..20 の配列）図20 に適合しているが、そこではFig.024に
小方形1の語形は図152に "t " キーの"士"
小方形2の語形は図152に "3 " キーの"Fig.023に示す記号"
小方形3の語形は図152に " 5" キーの"口"
小方形4の語形は図152に "n " キーの"寸"
小方形6の語形は図152に " ' " キーの"工"となっている。"濤"は図.20の配列になるが その構成は図024のようになっている.従って"濤" の文字のコンピュータおよび通信用交換コードは、"t35n' "で表されることになる。
" 爆"は（FIG..47 の配列）図47 に適合しているが、そこではFig.026に
小方形1の語形は図152に "2 " キーの"曰"
小方形2の語形は図152に "q " キーの"火"
小方形3の語形は図152に "3 " キーの"水"
小方形4の語形は図152に "; " キーの"八"
小方形５の語形は図152に" ' " キーの"Fig.025に示す記号"となっている。
"爆" は図47の配列になるが その構成は図026のようになっている  従って"爆" の文字のコンピュータおよび通信用交換コードは、"2q3;' "で表されることになる。
"塗"は（FIG..53 の配列）図53 に適合しているが、そこではFig.030に
小方形1の語形は図152に "r " キーの"Fig.050に示す記号"
小方形2の語形は図152に "3 " キーの"Fig.023に示す記号"
小方形3の語形は図152に "0 " キーの"土"
小方形4の語形は図152に "4 " キーの"木"
小方形５の語形は図152に " f" キーの"一"となっている。"塗" は図53の配列になるが その構成は図030のようになっている  従って"塗" の文字のコンピュータおよび通信用交換コードは、"r304f "で表されることになる。
"擬"は（FIG..25 の配列）図25 に適合しているが、そこではFig.013に
小方形1の語形は図152に "b " キーの"Fig.029に示す記号"
小方形2の語形は図152に "y " キーの"矢"
小方形3の語形は図152に " 6" キーの"Fig.028に示す記号"
小方形4の語形は図152に "a " キーの"匕"
小方形５の語形は図152に " h" キーの"疋"となっている。
"擬"は図25の配列になるが その構成は図013のようになっている.従って"擬"の文字のコンピュータおよび通信用交換コードは、" by6ah "で表されることになる。
"Fig.039に示す記号"は（FIG..26 の配列）図26 に適合しているが、そこではFig.039に
小方形1の語形は図152に "j " キーの"
【外７】
【００２６】
2007272452.tif 000010
"
小方形2の語形は図152に "3 " キーの"Fig.023に示す記号"
小方形3の語形は図152に "s " キーの"早"
小方形4の語形は図152に "y " キーの"貝"
小方形５の語形は図152に " ' " キーの"工"となっている。"Fig.039に示す記号" は図26の配列になるが その構成は図039のようになっている.従っ"Fig.039に示す記号" の文字のコンピュータおよび通信用交換コードは、" j3sy' "で表されることになる。
"Fig.017に示す記号"は（FIG..34 の配列）図34 に適合しているが、そこではFig.017に
小方形1の語形は図152に "n " キーの"欠"
小方形2の語形は図152に " g" キーの"又"
小方形3の語形は図152に " ' " キーの"酉"
小方形4の語形は図152に "g " キーの"又"
小方形５の語形は図152に "g " キーの"又"となっている。"Fig.017に示す記号" は図34の配列になるが その構成は図017のようになっている  従って"Fig.017に示す記号" の文字のコンピュータおよび通信用交換コードは、" ng'gg "で表されることになる。
"Fig.031に示す記号"は（FIG..55 の配列）図55 に適合しているが、そこではFig.031に
小方形1の語形は図152に "j " キーの"
【外８】
【００２７】
2007272452.tif 000011
"
小方形2の語形は図152に " ' " キーの"工"
小方形3の語形は図152に "= キーの"心"
小方形4の語形は図152に "k " キーの"立"
小方形５の語形は図152に "s " キーの"早"となっている。"Fig.031に示す記号" は図55の配列になるが その構成は図031のようになっている  従って"Fig.031に示す記号" の文字のコンピュータおよび通信用交換コードは、" j'=ks "で表されることになる。
"Fig.040に示す記号"は（FIG..10 の配列）図10 に適合しているが、そこではFig.040に
小方形1の語形は図152に "y " キーの"貝"
小方形2の語形は図152に "[ " キーの"女"
小方形3の語形は図152に "5 " キーの"口"
小方形4の語形は図152に "y " キーの"貝"となっている。"Fig.040に示す記号" は図10の配列になるが その構成は図040のようになっている  従って"Fig.040に示す記号" の文字のコンピュータおよび通信用交換コードは、"y[5y "で表されることになる。
"園"は（FIG..88 の配列）図88 に適合しているが、そこではFig.056に
小方形1の語形は図152に "v " キーの"囗"
小方形2の語形は図152に " 0" キーの"土"
小方形3の語形は図152に "d " キーの"Fig.02に示す記号"
小方形4の語形は図152に "5 " キーの"口"となっている。"園" は図88の配列になるが その構成は図056のようになっている  従って"園" の文字のコンピュータおよび通信用交換コードは、"v0d5"で表されることになる。
"協 "は（FIG..7 の配列）図7 に適合しているが、そこではFig.07に
小方形1の語形は図152に ", " キーの"力"
小方形2の語形は図152に ", " キーの"力"
小方形3の語形は図152に ", " キーの"十"
小方形4の語形は図152に ", " キーの"力"となっている。"協" は図7の配列になるが その構成は図07のようになっている  従って"協" の文字のコンピュータおよび通信用交換コードは、",,,, "で表されることになる。 
"桔 "は（FIG..110 の配列）図110 に適合しているが、そこではFig.049に
小方形1の語形は図152に "t " キーの"士"
小方形2の語形は図152に "5 " キーの"口"
小方形3の語形は図152に "4 " キーの"木"
小方形4の語形は図152に "k " キーの"Fig.045に示す記号"となっている。
"桔" は図110の配列になるが その構成は図049のようになっている  従って"桔" の文字のコンピュータおよび通信用交換コードは、"t54k "で表されることになる。
"剖"は（FIG..111 の配列）図111 に適合しているが、そこではFig.041に
小方形1の語形は図152に "- " キーの"Fig.055に示す記号"
小方形2の語形は図152に " k" キーの"立"
小方形3の語形は図152に "5 " キーの"口"
小方形4の語形は図152に "p " キーの"Fig.042に示す記号"となっている。
"剖" は図111の配列になるが その構成は図041のようになっている  従って"剖" の文字のコンピュータおよび通信用交換コードは、"-k5p "で表されることになる。
"葫 "は（FIG..108 の配列）図108 に適合しているが、そこではFig.043に
小方形1の語形は図152に "w " キーの"Fig.032に示す記号"
小方形2の語形は図152に " ;" キーの"古"
小方形3の語形は図152に "8 " キーの"月"
小方形4の語形は図152に "p " キーの"Fig.042に示す記号"となっている。
"葫"は図108の配列になるが その構成は図043のようになっている.従って"葫"の文字のコンピュータおよび通信用交換コードは、" w;8p "で表されることになる。
"堅 "は（FIG..109 の配列）図109 に適合しているが、そこではFig.033に
小方形1の語形は図152に "g " キーの"又"
小方形2の語形は図152に "0 " キーの"土"
小方形3の語形は図152に " o" キーの"臣"
小方形4の語形は図152に "f " キーの"一"となっている。"堅" は図109の配列になるが その構成は図033のようになっている.  従って"堅" の文字のコンピュータおよび通信用交換コードは、" g0of "で表されることになる。
"韻"は（FIG..122 の配列）図122 に適合しているが、そこではFig.060に
小方形1の語形は図51に "5 " キーの"口"
小方形2の語形は図51に "k " キーの"立"
小方形3の語形は図51に "2 " キーの"曰"
小方形4の語形は図51に "y " キーの"貝"
小方形５の語形は図51に "m " キーの"Fig.067に示す記号""となっている。
"韻" は図122の配列になるが その構成は図060のようになっている.  従って"韻" の文字のコンピュータおよび通信用交換コードは、" 5k2ym "で表されることになる。
"
【外９】
【００２８】
2007272452.tif 000012
"は（FIG..69 の配列）図69 に適合しているが、そこではFig.034に
小方形1の語形は図152に " w " キーの"Fig.032に示す記号"
小方形2の語形は図152に " g " キーの"糸"
小方形3の語形は図152に " j " キーの"
【外１０】
【００２９】
2007272452.tif 000013
"
小方形4の語形は図152に " a " キーの"Fig.035に示す記号"
小方形５の語形は図152に " v " キーの"母"となっている。"
【外１１】
【００３０】
2007272452.tif 000014
" は図69の配列になるが その構成は図034のようになっている  従って"
【外１２】
【００３１】
2007272452.tif 000015
" の文字のコンピュータおよび通信用交換コードは、"wgjav "で表されることになる。
"褻 "は（FIG..68 の配列）図68 に適合しているが、そこではFig.03に
小方形1の語形は図152に " s " キーの"Fig.01に示す記号"
小方形2の語形は図152に " d " キーの"Fig.02に示す記号"
小方形3の語形は図152に " l " キーの"丸"
小方形5の語形は図152に " 0 " キーの"土"
小方形6の語形は図152に " 0" キーの"土"となっている。"褻"は図68の配列になるが その構成は図03のようになっている.従って"褻"の文字のコンピュータおよび通信用交換コードは、" sdl00 "で表されることになる。
(c).付録Ａ図面：該当する漢字にあたる配合の漢字の筆形位置の配列図式の語形の位置配列図はキーボード装置にFig.151使用し、単一つコードを生成し、日本常用漢字の代表となり上記によって実際の演習は下記との通りです。
"税"は（FIG..73 の配列）図73 に適合しているが、そこではFig.036に
小方形1の語形は図151に "h " キーの"Fig.046に示す記号"
小方形2の語形は図151に " o" キーの"Fig.047に示す記号"
小方形3の語形は図151に "4 " キーの"木"
小方形4の語形は図151に " x" キーの"儿"
小方形５の語形は図151に " 5" キーの"口"となっている。"税"は図73の配列になるが その構成は図036のようになっている. 従って"税"の文字のコンピュータおよび通信用交換コードは、"ho4x5 "で表されることになる。
"創"は（FIG..49 の配列）図49 に適合しているが、そこではFig.027に
小方形1の語形は図151に "- " キーの"Fig.055に示す記号"
小方形2の語形は図151に "r " キーの"Fig.050に示す記号"
小方形3の語形は図151に "5 " キーの"口"
小方形4の語形は図151に " m" キーの"Fig.051に示す記号"
小方形５の語形は図151に " f" キーの"、"となっている。"創"は図49の配列になるが その構成は図027のようになっている. 従って"創"の文字のコンピュータおよび通信用交換コードは、"-r5mn "で表されることになる。
"願"は（FIG..50 の配列）図50 に適合しているが、そこではFig.048に
小方形1の語形は図151に "a " キーの"頁"
小方形2の語形は図151に "8 " キーの"厂"
小方形3の語形は図151に "r " キーの"小"
小方形4の語形は図151に "m " キーの"白"となっている。"願" は図 50の配列になるが その構成は図048のようになっている. 従って"願" の文字のコンピュータおよび通信用交換コードは、" a8rm "で表されることになる。
"礎"は（FIG..10 の配列）図10 に適合しているが、そこではFig.052に
小方形1の語形は図151に "4 " キーの"木"
小方形2の語形は図151に "h " キーの"疋"
小方形3の語形は図151に " -" キーの"石"
小方形4の語形は図151に " 4" キーの"木"となっている。"礎" は図10の配列になるが その構成は図052のようになっている.従って"礎" の文字のコンピュータおよび通信用交換コードは、" 4h-4 "で表されることになる。
" 激"は（FIG..32 の配列）図32 に適合しているが、そこではFig.053に
小方形1の語形は図151に "j " キーの"
【外１３】
【００３２】
2007272452.tif 000016
"
小方形2の語形は図151に "m " キーの"白"
小方形3の語形は図151に " 3" キーの"Fig.023に示す記号"
小方形4の語形は図151に "w " キーの"方"となっている。"激" は図32の配列になるが その構成は図053のようになっている.従って"激" の文字のコンピュータおよび通信用交換コードは、"jm3w "で表されることになる。
"Fig.018に示す記号"は（FIG..38 の配列）図38 に適合しているが、そこではFig.018に
小方形1の語形は図151に "- " キーの"Fig.055に示す記号"
小方形2の語形は図151に "1 " キーの"Fig.022に示す記号"
小方形3の語形は図151に "l " キーの"夕"
小方形4の語形は図151に " k" キーの"Fig.054に示す記号"となっている。
"Fig.018に示す記号" は図38の配列になるが その構成は図018のようになっている.従って"Fig.018に示す記号" の文字のコンピュータおよび通信用交換コードは、"-1lk "で表されることになる。
"堕"は（FIG..54 の配列）図54 に適合しているが、そこではFig.057に
小方形1の語形は図151に "i " キーの"Fig.058に示す記号"
小方形2の語形は図151に "p " キーの"Fig.059に示す記号"
小方形3の語形は図151に "0 " キーの"土"
小方形4の語形は図151に "8 " キーの"月"となっている。"堕"は図54の配列になるが その構成は図057のようになっている.従っ"堕" の文字のコンピュータおよび通信用交換コードは、"ip08 "で表されることになる。
"韻"は（FIG..73 の配列）図73 に適合しているが、そこではFig.060に
小方形1の語形は図151に "5 " キーの"口"
小方形2の語形は図151に "k " キーの"立"
小方形3の語形は図151に "2 " キーの"曰"
小方形4の語形は図151に "y " キーの"貝"となっている。"韻"は図73の配列になるが その構成は図060のようになっている  従って"韻"の文字のコンピュータおよび通信用交換コードは、"5k2y "で表されることになる。
"孀"は（FIG..7 の配列）図7 に適合しているが、そこではFig.061に
小方形1の語形は図151に "/ " キーの"雨"
小方形2の語形は図151に "4 " キーの"木"
小方形3の語形は図151に "[ " キーの"女"
小方形4の語形は図151に "h " キーの"目"となっている。"孀" は図7の配列になるが その構成は図061のようになっている.従って"孀" の文字のコンピュータおよび通信用交換コードは、"/4[h "で表されることになる。
" 鸚"は（FIG..39 の配列）図39 に適合しているが、そこではFig.062に
小方形1の語形は図151に "o " キーの"鳥"
小方形2の語形は図151に "y " キーの"貝"
小方形3の語形は図151に "[ " キーの"女"
小方形4の語形は図151に " y" キーの"貝"となっている。"鸚"は図39の配列になるが その構成は図062のようになっている.従って"鸚"の文字のコンピュータおよび通信用交換コードは、"oy[y "で表されることになる。
"
【外Ａ】
【００３３】
2007272452.tif 000017
"は（FIG..48 の配列）図48 に適合しているが、そこではFig.063に
小方形1の語形は図151に "h " キーの"Fig.046に示す記号"
小方形2の語形は図151に "= " キーの"Fig.064に示す記号"
小方形3の語形は図151に "x " キーの"儿"
小方形4の語形は図151に "5 " キーの"口"となっている。"
【外Ｂ】
【００３４】
2007272452.tif 000018
" は図48の配列になるが その構成は図063のようになっている. 従って"
【外Ｃ】
【００３５】
2007272452.tif 000019
" の文字のコンピュータおよび通信用交換コードは、"h=x5 "で表されることになる。
"賞 "は（FIG..112 の配列）図112 に適合しているが、そこではFig.065に
小方形1の語形は図151に "b " キーの"Fig.066に示す記号"
小方形2の語形は図151に "y " キーの"貝"
小方形3の語形は図151に "5 " キーの"口"
小方形4の語形は図151に " m" キーの"Fig.067に示す記号"となっている。
"賞" は図112の配列になるが その構成は図065のようになっている.従って"賞" の文字のコンピュータおよび通信用交換コードは、"by5m "で表されることになる。
(d).付録Ａ：該当する漢字にあたる配合の漢字の筆形位置の配列図式の語形の位置配列図はキーボード装置にFig.5２使用し、単一つコードを生成し、漢字の代表となり上記によって実際の演習は下記
との通りです。
" 凝"は（FIG..74 の配列）図74 に適合しているが、そこではFig.037に
小方形1の語形は図153に " b." キーの"Fig.029に示す記号"
小方形2の語形は図153に "/ " キーの"Fig.068に示す記号"
小方形3の語形は図153に "y " キーの"矢"
小方形4の語形は図153に " o" キーの"疋"
小方形5の語形は図153に " a " キーの"匕"となっている。"凝"は図74の配列になるが その構成は図037のようになっている  従って"凝"の文字のコンピュータおよび通信用交換コードは、"b/yoa "で表されることになる。 
"Fig.038に示す記号"は（FIG..75 の配列）図75 に適合しているが、そこではFig.038に
小方形1の語形は図153に " 6 " キーの"Fig.028に示す記号"
小方形2の語形は図153に " s " キーの"Fig.01に示す記号"
小方形3の語形は図153に " d " キーの"Fig.02に示す記号"
小方形4の語形は図153に " v " キーの"Fig.069に示す記号"
小方形５の語形は図153に " \" キーの"Fig.070に示す記号"となっている。
"Fig.038に示す記号"は図75の配列になるが その構成は図038のようになっている. 従って"Fig.038に示す記号"の文字のコンピュータおよび通信用交換コードは、"6sdv\ "で表されることになる。
"Fig.039に示す記号"は（FIG..76 の配列）図76 に適合しているが、そこではFig.039に
小方形1の語形は図153に " 3 " キーの"Fig.023に示す記号"
小方形2の語形は図153に " k " キーの"立"
小方形3の語形は図153に " y " キーの"貝"
小方形4の語形は図153に " s " キーの"早"
小方形5の語形は図153に " j " キーの"
【外１４】
【００３６】
2007272452.tif 000020
"
小方形6の語形は図153に " . " キーの"工"となっている。"Fig.039に示す記号"は図76の配列になるが その構成は図039のようになっている  従って"Fig.039に示す記号"の文字のコンピュータおよび通信用交換コードは、"3kysj "で表されることになる。
【実施例３】
【００３７】
明確の文構造図Fig.78−83に指定された複数の小さい方形部分を選び、指定された小さい方形部分の数字順で語形図を識別する。
連続選択設定は、Fig.78−83一つずつ編集とは文構造図にとって、漢字の大きい方形の領域内に小さい方形の配列の構成して出来た語形です。一つ文構造の語形コード を産生し、情報文の文構造は編集コード語言式で文構造の構成語形は、Fig.151キーボードに代表語形の英数字句読点記号を連続選択した、一つの文構造コードを作り上げ、この単一コードは、一連の英数字記号で文構造の構成漢字を代表され及び文構造の漢字コード語言を代表され、
ワイヤレスで通信用子機（手機）、モパイル携帯より、文構造の構成漢字のコンピュータ及び通信用コード、情報文の漢字を産生し、実際の演習は下記との通りです。
情報文の文構造は"設計"は（FIG..78 の配列）図78 に適合しているが、そこでは"設計"
小方形1の語形は図151に" ; " キーの " 殳" 
小方形2の語形は図151に" a " キーの " 言 " 
小方形3の語形は図151に" , " キーの " 十 " 
小方形4の語形は図151に" a " キーの " 言 "となっている。
"設計"は図78 の配列になるが その文構造構成は図78Aのようになっている.従って " 設計"の文構造のコンピュータおよび通信用交換コードは、";a,a " で表されることになる。
情報文の文構造は"機械組"は（FIG..79の配列）図79 に適合しているが、そこでは"機械組"
小方形1の語形は図151に" t " キーの " 
【外１５】
【００３８】
2007272452.tif 000021
" 
小方形2の語形は図151に" b " キーの " 戈 " 
小方形3の語形は図151に" a " キーの " 且" 
小方形4の語形は図151に" g " キーの " 糸" となっている。
"機械組"は図79の配列になるが その文構造構成は図79Aのようになっている.従って " 機械組"の文構造のコンピュータおよび通信用交換コードは、"tbag " で表されることになる。
情報文の文構造は"機械技術"は（FIG..80 の配列）図80 に適合しているが、そこでは"機械技術"
小方形1の語形は図151に" t " キーの " 
【外１６】
【００３９】
2007272452.tif 000022
" 
小方形2の語形は図151に" b " キーの " 戈 " 
小方形3の語形は図151に" n " キーの " 支 " 
小方形4の語形は図151に" f " キーの " 一 " 
小方形５の語形は図151に" n " キーの " 彳 " となっている。
"機械技術"は図80の配列になるが その文構造構成は図80Aのようになっている.従って " 機械技術"の文構造のコンピュータおよび通信用交換コードは、" tbnfn " で表されることになる。
情報文の文構造は"総新機械組"は（FIG..81 の配列）図81 に適合しているが、そこでは"総新機械組"
小方形1の語形は図151に" r " キーの " Fig.050に示す記号" 
小方形2の語形は図151に" q " キーの " 斤 " 
小方形3の語形は図151に" t " キーの " 
【外１７】
【００４０】
2007272452.tif 000023
" 
小方形4の語形は図151に" b " キーの " 戈 " 
小方形５の語形は図151に" a " キーの " 且 " 
小方形6の語形は図151に" g " キーの " 糸 " となっている
"総新機械組"は図81の配列になるが その文構造構成は図81Aのようになっている.従って " 総新機械組"の文構造のコンピュータおよび通信用交換コードは、"rqtbag " で表されることになる。
情報文の文構造は"新導体技術組"は（FIG..82 の配列）図82 に適合しているが、そこでは"新導体技術組"
小方形1の語形は図151に" q " キーの " 斤 " 
小方形2の語形は図151に" t " キーの " 首 "
小方形3の語形は図151に" 4 " キーの " 木 " 
小方形4の語形は図151に" n " キーの " 支 " 
小方形５の語形は図151に" f " キーの "  一 ""
小方形6の語形は図151に" a " キーの " 且 "となっている
"新導体技術組"は図82の配列になるが その文構造構成は図82Aのようになっている.従って " 新導体技術組"の文構造のコンピュータおよび通信用交換コードは、"qt4nfa " で表されることになる。
情報文の文構造は"再生機構の支援計画を経産省幹部"は（FIG..83 の配列）図83 に適合しているが、そこでは"再生機構の支援計画を経産省幹部"
ステップ1. まえほうの第一漢字の図83A に第一小方形その位置を代表する筆形しるしはまえほうの第一漢字の右上角の筆形 " 一 " は図151の "f " キーに
ステップ2. まえほうの第二漢字の図83A に第二小方形その位置を代表する筆形しるしはまえほうの第二漢字の右上角の筆形 " 生 " は図151の "g " キーに
ステップ3. まえほうの第三漢字の図83Aに第三小方形その位置を代表する筆形しるしはまえほうの第三漢字の右上角の筆形 " 
【外１８】
【００４１】
2007272452.tif 000024
" は図151の "t " キーに
ステップ4. まえほうの第四漢字の図83Aに第四小方形その位置を代表する筆形しるしはまえほうの第四漢字の右上角の筆形 " Fig.069に示す記号" は図151の "v " キーに
ステップ 5. まえほうの第五漢字の図83Aに第五小方形その位置を代表する筆形しるしはまえほうの第五漢字の右上角の筆形 " の " は図154の " の " キーに
ステップ 6. まえほうの第6漢字の図83Aに第6小方形その位置を代表する筆形しるしはまえほうの第6漢字の右上角の筆形 " 支 " は図151の "n " キーに
ステップ 7. うしろほうの第一漢字の図83Aに第一小方形その位置を代表する筆形しるしはうしろほうの第一漢字の右上角の筆形 " Fig.059に示す記号" は図151の " p " キーに
ステップ 8. うしろほうの第二漢字の図83Aに第二小方形その位置を代表する筆形しるしはうしろほうの第二漢字の右上角の筆形 " Fig.050に示す記号" は図50の " r " キーに
ステップ 9.うしろほうの第三漢字の図83Aに第三小方形その位置を代表する筆形しるしはうしろほうの第三漢字の右上角の筆形 "小 " は図151の " r " キーに
ステップ 10. うしろほうの第四漢字の図83Aに第四小方形その位置を代表する筆形しるしはうしろほうの第四漢字の右上角の筆形 " Fig.044に示す記号" は図151の " k " キーに
ステップ11. うしろほうの第五漢字の図83Aに第五小方形その位置を代表する筆形しるしはうしろほうの第五漢字の右上角の筆形 "又 " は図151の " g " キーに
ステップ12.うしろほうの第6漢字の図83Aに第6小方形その位置を代表する筆形しるしはうしろほうの第6漢字の右上角の筆形 " を" は図154の " を " キーに
"再生機構の支援計画を経産省幹部"は図83の配列になるが その文構造構成は図83Aのようになっている.従って " 再生機構の支援計画を経産省幹部"の文構造のコンピュータおよび通信用交換コードは、"fgtvのnprrkgを " で表されることになる。
【実施例４】
【００４２】
図148は、本発明装置の１実施例ワイアレス子機システムのブロック図である。
図148は多機能ワイアレス公衆電話システムの子機ブロック図である。インターネット及びE-mail応用Audio & Videoデジタルの文字メッセージを250Mbpsで送受信するために使うことが出来、子機を送受信するために使うことが出来る。fig. 151のキーパッドに代表漢字の語形配列図が付録A：該当する漢字にあたる配合の漢字の筆形位置の配列図式語形の位置配列図に、代表漢字の単一コードを生成し、
【実施例５】
【００４３】
図149は、本発明装置の１実施例ワイアレス電話システムで子機を送受信使われる、システムのブロック図である。
図1４9は多機能ワイアレス公衆電話システムのブロック図である。インターネット及びE-mail応用Audio & Videoデジタルの文字メッセージを250Mbpsで送受信するために使うことが出来、子機を送受信するために使うことが出来る
【実施例６】
【００４４】
図150は、本発明装置の１実施例はこの発明を具現化するコンピュータoシステムのブロック図である。
つづけて様々なブロックの機能を説明する。
ブロック０６はI / O 拡充器で、コンピュータの漢字字ディジタルDDRを記憶させる時に使われる。また漢字字生成器の中でアドレスをさがす時に使われる。
ブロック０８は、６４MROM漢文字形生成器で、プログラミングされた漢文字字形の格納容量がある。
【産業上の利用可能性】
【００４５】
図151は、図150のコンピュータoシステムで使われる。コンピュータのキーボード、そのキーパッドに記された漢字の語形図グループの語形を表し、漢字での情報を処理するための現システム準拠して、標記されている。
漢字のコンピュータおよび通信用のコードを作る方法において、標記手順は大体図1５1で示されるように記号キーパッドに関連して語形図を配置することで行われる漢字のコンピュータおよび通信用のコード作成装置。キーボード装置には４5コのキーがあり、キーボードは図151の通りです。
【００４６】
図152は、４７キーのキーボードのキーパッドを示している。この明細書に添付された表（付録A）に記述されているように、 該当する漢字にあたる配合の漢字の筆形位置の配列図の語形配列用に標記されている。
漢字のコンピュータおよび通信用のコードを作る方法において、標記手順は大体図1５2で示されるように記号キーパッドに関連して語形図を配置することで行われる漢字のコンピュータおよび通信用のコード作成装置。キーボード装置には４７コのキーがあり、キーボードは図152の通りです。
キーボードに３４９語形図をそれぞれ表しているキーパッドの実施例を示す図であり、語形図は前述したコード化方式と装置によってキーパッドに割り当てられ、この語形図の各グループを代表するキーパッドの記号を使ってコード語が形成されている配列図である。
【００４７】
図153はキーボードのキーパッドで（付録A）にある..該当する漢字にあたる配合の漢字の筆形位置の配列図の語形配列用に標記されている。
漢字のコンピュータおよび通信用のコードを作る方法において、標記手順は大体図1５3で示されるように記号キーパッドに関連して語形図を配置することで行われる漢字のコンピュータおよび通信用のコード作成装置。キーボード装置には４７コのキーがあり、キーボードは図153の通りです。
【００４８】
図154にキーボードに３４９語形図をそれぞれ表しているキーパッドの実施例を示す図であり、語形図は前述したコード化方式と装置によってキーパッドに割り当てられ、この語形図の各グループを代表するキーパッドの記号は、平仮名/カタカナを使ってコード語が形成されている配列図である。キーボード装置には４5コのキーがあり、キーボードは図154の通りです。
（図面の簡単な説明）
【００４９】
１つの大きい方形内の小さめの方形が特定の漢字内で特定の語形配列法に合うような配列（以下FIG..1〜FIG..147の配列）を表している図である。"漢字"は図1〜図147に適合している。漢字の1例であるを示す図1A〜図147Aである。図1〜図147と図1A〜図147Aに対応の文字はその詳細な説明の末尾に添付された付録A表図面には
数千通りの可能性のある伝統的漢字の1例である " 韆 " を示す図である。
（図１A）
数千通りの可能性のある伝統的漢字の1例である " 韆 " を示す図である。
（図１）
１つの大きい方形内の小さめの方形が特定の漢字内で特定の語形配列法に合うような配列（以下FIG..1の配列）を表している図である。"韆"は図1に適合している。
（図２）
1つの大きい方形内の小さめの方形が特定の漢字内で特定の語形配列法に合うような配列（以下FIG.. 02の配列）を表している図である。"嗇"は図２に適合している。
（図３）
1つの大きい方形内の小さめの方形が特定の漢字内で特定の語形配列法に合うような配列（以下FIG..3の配列）を表している図である。"図.3Aに示す記号"は図３に適合している。
（図4）
1つの大きい方形内の小さめの方形が特定の漢字内で特定の語形配列法に合うような配列（以下FIG..4の配列）を表している図である。"爍"は図4に適合している。
（図5）
1つの大きい方形内の小さめの方形が特定の漢字内で特定の語形配列法に
合うような配列（以下FIG.. 5の配列）を表している図である。"図.5Aに示す記号"は図5に適合している。 
（図6）
1つの大きい方形内の小さめの方形が特定の漢字内で特定の語形配列法に合うような配列（以下FIG..6の配列）を表している図である。"匿"は図6に適合している。
（図7）
1つの大きい方形内の小さめの方形が特定の漢字内で特定の語形配列法に
合うような配列（以下FIG..7の配列）を表している図である。"協"は図7に適合している。
（図8）
1つの大きい方形内の小さめの方形が特定の漢字内で特定の語形配列法に合うような配列（以下FIG..8の配列）を表している図である。"個"は図8 に適合している。
（図9）
1つの大きい方形内の小さめの方形が特定の漢字内で特定の語形配列法に合うような配列（以下FIG..9の配列）を表している図である。"嗾"は図9 に適合している。
（図10）
1つの大きい方形内の小さめの方形が特定の漢字内で特定の語形配列法に合うような配列（以下FIG..10の配列）を表している図である。"図.10Aに示す記号"は図7c に適合している。
（図11）
1つの大きい方形内の小さめの方形が特定の漢字内で特定の語形配列法に合うような配列（以下FIG.. 11の配列）を表している図である。"図.11Aに示す記号"は図11に適合している。
（図12）
1つの大きい方形内の小さめの方形が特定の漢字内で特定の語形配列法に合うような配列（以下FIG..12の配列）を表している図である。"繞"は図12に適合している。
（図13）
1つの大きい方形内の小さめの方形が特定の漢字内で特定の語形配列法に合うような配列（以下FIG..13の配列）を表している図である。"図.13Aに示す記号"は図13に適合している。
（図14）
1つの大きい方形内の小さめの方形が特定の漢字内で特定の語形配列法に合うような配列（以下FIG..14の配列）を表している図である。"嚼"は図14に適合している。
（図15）
1つの大きい方形内の小さめの方形が特定の漢字内で特定の語形配列法に合うような配列（以下FIG..15の配列）を表している図である。"讖"は図15に適合している。
（図16）
1つの大きい方形内の小さめの方形が特定の漢字内で特定の語形配列法に合うような配列（以下FIG..16の配列）を表している図である。"図.16Aに示す記号"は図16に適合している。
（図17）
1つの大きい方形内の小さめの方形が特定の漢字内で特定の語形配列法に合うような配列（以下FIG..17の配列）を表している図である。"燦"は図17に適合している。
（図18）
1つの大きい方形内の小さめの方形が特定の漢字内で特定の語形配列法に合うような配列（以下FIG..18の配列）を表している図である。"図.18Aに示す記号" は図18に適合している。
（図19）
1つの大きい方形内の小さめの方形が特定の漢字内で特定の語形配列法に合うような配列（以下FIG..19の配列）を表している図である。" 濮" は図19に適合している。
（図20）
1つの大きい方形内の小さめの方形が特定の漢字内で特定の語形配列法に合うような配列（以下FIG..20の配列）を表している図である。" 濤"は図20に適合している。
（図21）
1つの大きい方形内の小さめの方形が特定の漢字内で特定の語形配列法に合うような配列（以下FIG.. 20の配列）を表している図である。"罷"は図20に適合している。
（図22）
1つの大きい方形内の小さめの方形が特定の漢字内で特定の語形配列法に合うような配列（以下FIG..22の配列）を表している図である。"競"は図22に適合している。
（図23）
1つの大きい方形内の小さめの方形が特定の漢字内で特定の語形配列法に合うような配列（以下FIG..23の配列）を表している図である。"懿"は図23に適合している。
（図24）
1つの大きい方形内の小さめの方形が特定の漢字内で特定の語形配列法に合うような配列（以下FIG..24の配列）を表している図である。"斃" は図24に適合している。
（図25）
1つの大きい方形内の小さめの方形が特定の漢字内で特定の語形配列法に合うような配列（以下FIG..25の配列）を表している図である。"擬"は図25に適合している。
（図26）
1つの大きい方形内の小さめの方形が特定の漢字内で特定の語形配列法に合うような配列（以下FIG..26の配列）を表している図である。"図.26Aに示す記号"は図26に適合している。
（図27）
1つの大きい方形内の小さめの方形が特定の漢字内で特定の語形配列法に合うような配列（以下FIG..27の配列）を表している図である。" 凜 "は図27に適合している。
（図28）
1つの大きい方形内の小さめの方形が特定の漢字内で特定の語形配列法に合うような配列（以下FIG..28の配列）を表している図である。"擺 "は図28に適合している。
（図29）
1つの大きい方形内の小さめの方形が特定の漢字内で特定の語形配列法に合うような配列（以下FIG..29の配列）を表している図である。" 選 "は図29に適合している。
（図30）
1つの大きい方形内の小さめの方形が特定の漢字内で特定の語形配列法に合うような配列（以下FIG..30の配列）を表している図である。" 欖 "は図30に適合している。
（図31）
1つの大きい方形内の小さめの方形が特定の漢字内で特定の語形配列法に合うような配列（以下FIG..31の配列）を表している図である。"澱"は図31に適合している。
（図32）
1つの大きい方形内の小さめの方形が特定の漢字内で特定の語形配列法に合うような配列（以下FIG..32の配列）を表している図である。" 例 " は図32に適合している。
（図33）
1つの大きい方形内の小さめの方形が特定の漢字内で特定の語形配列法に合うような配列（以下FIG..33の配列）を表している図である。"図.33Aに示す記号"は図33に適合している。
（図34）
1つの大きい方形内の小さめの方形が特定の漢字内で特定の語形配列法に合うような配列（以下FIG..34の配列）を表している図である。"図.34Aに示す記号"は図34に適合している。
（図35）
1つの大きい方形内の小さめの方形が特定の漢字内で特定の語形配列法に合うような配列（以下FIG..35の配列）を表している図である。"図.35Aに示す記号"は図35に適合している。
（図36）
1つの大きい方形内の小さめの方形が特定の漢字内で特定の語形配列法に合うような配列（以下FIG..36の配列）を表している図である。"図.36Aに示す記号"は図36に適合している。
（図37）
1つの大きい方形内の小さめの方形が特定の漢字内で特定の語形配列法に合うような配列（以下FIG..37の配列）を表している図である。"図.37Aに示す記号"は図37に適合している。
（図38）
1つの大きい方形内の小さめの方形が特定の漢字内で特定の語形配列法に合うような配列（以下FIG..38の配列）を表している図である。"図.38Aに示す記号"は図18bに適合している。
（図39）
1つの大きい方形内の小さめの方形が特定の漢字内で特定の語形配列法に合うような配列（以下FIG..39の配列）を表している図である。"鸚"は図39に適合している。
（図40）
1つの大きい方形内の小さめの方形が特定の漢字内で特定の語形配列法に合うような配列（以下FIG..40の配列）を表している図である。"図.40Aに示す記号"は図40に適合している。
（図41）
1つの大きい方形内の小さめの方形が特定の漢字内で特定の語形配列法に合うような配列（以下FIG..41の配列）を表している図である。"図.41Aに示す記号"は図41に適合している。
（図42）
1つの大きい方形内の小さめの方形が特定の漢字内で特定の語形配列法に合うような配列（以下FIG..42の配列）を表している図である。"図.42Aに示す記号"は図42に適合している。
（図43）
1つの大きい方形内の小さめの方形が特定の漢字内で特定の語形配列法に合うような配列（以下FIG.. 43の配列）を表している図である。"輟"は図43に適合している。
（図44）
1つの大きい方形内の小さめの方形が特定の漢字内で特定の語形配列法に合うような配列（以下FIG..44の配列）を表している図である。"図.44Aに示す記号"は図44に適合している。
（図45）
1つの大きい方形内の小さめの方形が特定の漢字内で特定の語形配列法に合うような配列（以下FIG..45の配列）を表している図である。"図.45Aに示す記号"は図45に適合している。
（図46）
1つの大きい方形内の小さめの方形が特定の漢字内で特定の語形配列法に合うような配列（以下FIG..46の配列）を表している図である。"図.46Aに示す記号"は図46に適合している。
（図47）
1つの大きい方形内の小さめの方形が特定の漢字内で特定の語形配列法に合うような配列（以下FIG..47の配列）を表している図である。"爆"は図47に適合している。
（図48）
1つの大きい方形内の小さめの方形が特定の漢字内で特定の語形配列法に合うような配列（以下FIG..48の配列）を表している図である。" 
【外Ｄ】
【００５０】
2007272452.tif 000025
" は図48に適合している。
（図49）
1つの大きい方形内の小さめの方形が特定の漢字内で特定の語形配列法に合うような配列（以下FIG..49の配列）を表している図である。"創"は図49に適合している。
（図50）
1つの大きい方形内の小さめの方形が特定の漢字内で特定の語形配列法に合うような配列（以下FIG..50の配列）を表している図である。"動"は図50に適合している。
（図51）
1つの大きい方形内の小さめの方形が特定の漢字内で特定の語形配列法に合うような配列（以下FIG..51の配列）を表している図である。"図.51Aに示す記号"は図51に適合している。
（図52）
1つの大きい方形内の小さめの方形が特定の漢字内で特定の語形配列法に合うような配列（以下FIG..52の配列）を表している図である。"樂"は図52に適合している。
（図53）
1つの大きい方形内の小さめの方形が特定の漢字内で特定の語形配列法に合うような配列（以下FIG..53の配列）を表している図である。"塗"は図53に適合している。
（図54）
1つの大きい方形内の小さめの方形が特定の漢字内で特定の語形配列法に合うような配列（以下FIG..54の配列）を表している図である。" 墜 "は図54に適合している。
（図55）
1つの大きい方形内の小さめの方形が特定の漢字内で特定の語形配列法に合うような配列（以下FIG..55の配列）を表している図である。"図.55Aに示す記号"は図55に適合している。
（図56）
1つの大きい方形内の小さめの方形が特定の漢字内で特定の語形配列法に合うような配列（以下FIG..56の配列）を表している図である。"饕 "は図56に適合している。
（図57）
1つの大きい方形内の小さめの方形が特定の漢字内で特定の語形配列法に合うような配列（以下FIG..57の配列）を表している図である。"慧"は図57に適合している。
（図58）
1つの大きい方形内の小さめの方形が特定の漢字内で特定の語形配列法に合うような配列（以下FIG..58の配列）を表している図である。"檗"は図58に適合している。
（図59）
1つの大きい方形内の小さめの方形が特定の漢字内で特定の語形配列法に合うような配列（以下FIG..59の配列）を表している図である。"図.59Aに示す記号"は図59に適合している。
（図60）
1つの大きい方形内の小さめの方形が特定の漢字内で特定の語形配列法に合うような配列（以下FIG..60の配列）を表している図である。"図.60Aに示す記号"は図60に適合している。
（図61）
1つの大きい方形内の小さめの方形が特定の漢字内で特定の語形配列法に合うような配列（以下FIG..61の配列）を表している図である。"図.61Aに示す記号"は図61に適合している。
（図62）
1つの大きい方形内の小さめの方形が特定の漢字内で特定の語形配列法に合うような配列（以下FIG..62の配列）を表している図である。"薪"は図62に適合している。
（図63）
1つの大きい方形内の小さめの方形が特定の漢字内で特定の語形配列法に合うような配列（以下FIG.. 63の配列）を表している図である。"薇"は図63に適合している。
（図64）
1つの大きい方形内の小さめの方形が特定の漢字内で特定の語形配列法に合うような配列（以下FIG..64の配列）を表している図である。"図.64Aに示す記号" は図64に適合している。
（図65）
1つの大きい方形内の小さめの方形が特定の漢字内で特定の語形配列法に合うような配列（以下FIG..65の配列）を表している図である。"藻"は図65に適合している。
（図66）
1つの大きい方形内の小さめの方形が特定の漢字内で特定の語形配列法に合うような配列（以下FIG..66の配列）を表している図である。"藜" は図66に適合している。
（図67）
1つの大きい方形内の小さめの方形が特定の漢字内で特定の語形配列法に合うような配列（以下FIG..67の配列）を表している図である。"癒"は図67に適合している。
（図68）
1つの大きい方形内の小さめの方形が特定の漢字内で特定の語形配列法に合うような配列（以下FIG..68の配列）を表している図である。"褻"は図68に適合している。
（図69）
1つの大きい方形内の小さめの方形が特定の漢字内で特定の語形配列法に合うような配列（以下FIG..69の配列）を表している図である。"図.69Aに示す記号" は図69に適合している。
（図70）
1つの大きい方形内の小さめの方形が特定の漢字内で特定の語形配列法に合うような配列（以下FIG..70の配列）を表している図である。"率"は図70に適合している。
（図71）
1つの大きい方形内の小さめの方形が特定の漢字内で特定の語形配列法に合うような配列（以下FIG..71の配列）を表している図である。"図.71Aに示す記号" は図71に適合している。
（図72）
1つの大きい方形内の小さめの方形が特定の漢字内で特定の語形配列法に合うような配列（以下FIG..72の配列）を表している図である。"穡"は図72に適合している。
（図73）
1つの大きい方形内の小さめの方形が特定の漢字内で特定の語形配列法に合うような配列（以下FIG..73の配列）を表している図である。"税"は図73に適合している。
（図74）
1つの大きい方形内の小さめの方形が特定の漢字内で特定の語形配列法に合うような配列（以下FIG..74の配列）を表している図である。"擬"は図74に適合している。
（図75）
1つの大きい方形内の小さめの方形が特定の漢字内で特定の語形配列法に合うような配列（以下FIG..75の配列）を表している図である。"図.75Aに示す記号"は図75に適合している。
（図76）
1つの大きい方形内の小さめの方形が特定の漢字内で特定の語形配列法に合うような配列（以下FIG..76の配列）を表している図である。"図.76Aに示す記号"は図76に適合している。
（図77）
1つの大きい方形内の小さめの方形が特定の漢字内で特定の語形配列法に合うような配列（以下FIG..77の配列）を表している図である。"図.77Aに示す記号"は図77に適合している。
（図78）
コード化された漢字を表す方形部分の例で、2個漢字で表現される情報の文構造をコード化する方法（以下FIG. 78の配列）を明示している。"設計"は図78に適合している。
（図79）
コード化された漢字を表す方形部分の例で、3個漢字で表現される情報の文構造をコード化する方法（以下FIG. 79の配列）を明示している。"技術組"は図79に適合している。
（図80）
コード化された漢字を表す方形部分の例で、4個漢字で表現される情報の文構造をコード化する方法（以下FIG..80の配列）を明示している。"機械技術"は図80に適合している。
（図81）
コード化された漢字を表す方形部分の例で、５個漢字で表現される情報の文構造をコード化する方法（以下FIG. 81の配列）を明示している。"綜新機械組"は図81に適合している。
（図82）
コード化された漢字を表す方形部分の例で、6つの漢字を超えるから句形となる図82で表現される情報の文構造をコード化する方法（以下FIG. 82の配列）を明示している。"新導体技術組"は図82に適合している。
（図83）
コード化された漢字を表す方形部分の例で、13つの漢字を超えるから句形となる図83で表現される情報の文構造をコード化する方法（以下FIG..83の配列）を明示している。"再生機構の支援計画を経産省幹部"は図83に適合している。
（図84）
1つの大きい方形内の小さめの方形が特定の漢字内で特定の語形配列法に合
うような配列（以下FIG..84の配列）を表している図である。"樂"は図84に適合している。
（図85）
1つの大きい方形内の小さめの方形が特定の漢字内で特定の語形配列法に合
うような配列（以下FIG..85の配列）を表している図である。"則"は図85に適合している。
（図86）
1つの大きい方形内の小さめの方形が特定の漢字内で特定の語形配列法に合
うような配列（以下FIG..86の配列）を表している図である。"貢"は図86に適合している。
（図 87）
1つの大きい方形内の小さめの方形が特定の漢字内で特定の語形配列法に合うような配列（以下FIG..87の配列）を表している図である。"圖 "は図87に適合している。
（図 88）
1つの大きい方形内の小さめの方形が特定の漢字内で特定の語形配列法に合うような配列（以下FIG..88 の配列）を表している図である。" 園 " は図88 に適合している。
（図 89）
1つの大きい方形内の小さめの方形が特定の漢字内で特定の語形配列法に合うような配列（以下FIG..89 の配列）を表している図である。"図.89Aに示す記号" は図89に適合している。
（図90）
1つの大きい方形内の小さめの方形が特定の漢字内で特定の語形配列法に合
うような配列（以下FIG..90の配列）を表している図である。"図.90Aに示す記号" は図90 に適合している。
（図91）
1つの大きい方形内の小さめの方形が特定の漢字内で特定の語形配列法に合
うような配列（以下FIG..91の配列）を表している図である。"図.91Aに示す記号"は図91に適合している。
（図92）
1つの大きい方形内の小さめの方形が特定の漢字内で特定の語形配列法に合うような配列（以下FIG..92の配列）を表している図である。"図.92Aに示す記号"は図92に適合している。
（図93）
1つの大きい方形内の小さめの方形が特定の漢字内で特定の語形配列法に合うような配列（以下FIG..93の配列）を表している図である。"樂 "は図93に適合している。
（図94）
1つの大きい方形内の小さめの方形が特定の漢字内で特定の語形配列法に合うような配列（以下FIG..94の配列）を表している図である。"墮 "は図94に適合している。
（図95）
1つの大きい方形内の小さめの方形が特定の漢字内で特定の語形配列法に合うような配列（以下FIG..95の配列）を表している図である。" 懸"は図95に適合している。
（図96）
1つの大きい方形内の小さめの方形が特定の漢字内で特定の語形配列法に合うような配列（以下FIG..96の配列）を表している図である。"藉 "は図96に適合している。
（図97）
1つの大きい方形内の小さめの方形が特定の漢字内で特定の語形配列法に合うような配列（以下FIG..97の配列）を表している図である。"図.97Aに示す記号"は図97に適合している。
（図98）
1つの大きい方形内の小さめの方形が特定の漢字内で特定の語形配列法に合うような配列（以下FIG..98の配列）を表している図である。"競 "は図98に適合している。
（図99）
1つの大きい方形内の小さめの方形が特定の漢字内で特定の語形配列法に合うような配列（以下FIG..99の配列）を表している図である。"徽"は図99に適合している。
（図100）
1つの大きい方形内の小さめの方形が特定の漢字内で特定の語形配列法に合うような配列（以下FIG..100の配列）を表している図である。"圖 "は図100 に適合している。
（図101）
1つの大きい方形内の小さめの方形が特定の漢字内で特定の語形配列法に合うような配列（以下FIG..101の配列）を表している図である。"湖 "は図101に適合している。
（図102）
1つの大きい方形内の小さめの方形が特定の漢字内で特定の語形配列法に合うような配列（以下FIG..102の配列）を表している図である。"綴 "は図102に適合している。
（図103）
1つの大きい方形内の小さめの方形が特定の漢字内で特定の語形配列法に合うような配列（以下FIG..103の配列）を表している図である。"図.103Aに示す記号"は図73 に適合している。
（図104）
1つの大きい方形内の小さめの方形が特定の漢字内で特定の語形配列法に合うような配列（以下FIG..104の配列）を表している図である。"禦 "は図104に適合している。
（図105）
1つの大きい方形内の小さめの方形が特定の漢字内で特定の語形配列法に合うような配列（以下FIG..105の配列）を表している図である。"樊"は図105に適合している。
（図106）
1つの大きい方形内の小さめの方形が特定の漢字内で特定の語形配列法に合うような配列（以下FIG..106の配列）を表している図である。"襲 "は図106に適合している。
（図107）
1つの大きい方形内の小さめの方形が特定の漢字内で特定の語形配列法に合うような配列（以下FIG..107の配列）を表している図である。"形" は図107に適合している。
（図108）
1つの大きい方形内の小さめの方形が特定の漢字内で特定の語形配列法に合うような配列（以下FIG..108の配列）を表している図である。"宛"は図108に適合している。
（図109）
1つの大きい方形内の小さめの方形が特定の漢字内で特定の語形配列法に合
うような配列（以下FIG..109の配列）を表している図である。" 質 " は図109に適合している。
（図110）
1つの大きい方形内の小さめの方形が特定の漢字内で特定の語形配列法に合うような配列（以下FIG..110の配列）を表している図である。"桔"は図110に適合している。
（図111）
1つの大きい方形内の小さめの方形が特定の漢字内で特定の語形配列法に合うような配列（以下FIG..111の配列）を表している図である。"效"は図111に適合している。
（図112）
1つの大きい方形内の小さめの方形が特定の漢字内で特定の語形配列法に合
うような配列（以下FIG..112の配列）を表している図である。"堂"は図112に適合している。
（図113）
1つの大きい方形内の小さめの方形が特定の漢字内で特定の語形配列法に合
うような配列（以下FIG..113の配列）を表している図である。"湖" は図113に適合している。
（図114）
1つの大きい方形内の小さめの方形が特定の漢字内で特定の語形配列法に合うような配列（以下FIG..114の配列）を表している図である。"培"は図114に適合している。
（図115）
1つの大きい方形内の小さめの方形が特定の漢字内で特定の語形配列法に合うような配列（以下FIG..115の配列）を表している図である。"激"は図115に適合している。
（図116）
1つの大きい方形内の小さめの方形が特定の漢字内で特定の語形配列法に合うような配列（以下FIG..116の配列）を表している図である。"滋"は図116に適合している。
（図117）
1つの大きい方形内の小さめの方形が特定の漢字内で特定の語形配列法に合うような配列（以下FIG..117の配列）を表している図である。"図.117Aに示す記号"は図5-3に適合している。
（図118）
1つの大きい方形内の小さめの方形が特定の漢字内で特定の語形配列法に合うような配列（以下FIG..118の配列）を表している図である。"図.118Aに示す記号" は図118に適合している。
（図119）
1つの大きい方形内の小さめの方形が特定の漢字内で特定の語形配列法に合うような配列（以下FIG..119の配列）を表している図である。"刻"は図119に適合している。
（図120）
1つの大きい方形内の小さめの方形が特定の漢字内で特定の語形配列法に合うような配列（以下FIG..120の配列）を表している図である。"儘"は図120に適合している。
（図121）
1つの大きい方形内の小さめの方形が特定の漢字内で特定の語形配列法に合うような配列（以下FIG..121の配列）を表している図である。"図.121Aに示す記号"は図121に適合している。
（図122）
1つの大きい方形内の小さめの方形が特定の漢字内で特定の語形配列法に合うような配列（以下FIG..122の配列）を表している図である。"韻"は図122に適合している。
（図123）
1つの大きい方形内の小さめの方形が特定の漢字内で特定の語形配列法に合うような配列（以下FIG..123の配列）を表している図である。"協"は図123に適合している。
（図124）
1つの大きい方形内の小さめの方形が特定の漢字内で特定の語形配列法に合うような配列（以下FIG..124の配列）を表している図である。"図.124Aに示す記号"は図124に適合している。
（図125）
1つの大きい方形内の小さめの方形が特定の漢字内で特定の語形配列法に合うような配列（以下FIG..125の配列）を表している図である。"薪"は図125に適合している。
（図126）
1つの大きい方形内の小さめの方形が特定の漢字内で特定の語形配列法に合うような配列（以下FIG..126の配列）を表している図である。" 撥 " は図126に適合している。
（図127）
1つの大きい方形内の小さめの方形が特定の漢字内で特定の語形配列法に合うような配列（以下FIG..127の配列）を表している図である。"償"は図127に適合している。
（図128）
1つの大きい方形内の小さめの方形が特定の漢字内で特定の語形配列法に合うような配列（以下FIG..1287の配列）を表している図である。"図.128Aに示す記号"は図128に適合している。
（図129）
1つの大きい方形内の小さめの方形が特定の漢字内で特定の語形配列法に合うような配列（以下FIG..129の配列）を表している図である。"協"は図129に適合している。
（図130）
1つの大きい方形内の小さめの方形が特定の漢字内で特定の語形配列法に合うような配列（以下FIG..130の配列）を表している図である。"図.130Aに示す記号"は図130に適合している。
（図131）
1つの大きい方形内の小さめの方形が特定の漢字内で特定の語形配列法に合うような配列（以下FIG..131の配列）を表している図である。"鸚"は図131に適合している。
（図132）
1つの大きい方形内の小さめの方形が特定の漢字内で特定の語形配列法に合うような配列（以下FIG..132の配列）を表している図である。"協"は図132に適合している。
（図133）
1つの大きい方形内の小さめの方形が特定の漢字内で特定の語形配列法に合うような配列（以下FIG..133の配列）を表している図である。"図.133Aに示す記号"は図133に適合している。
（図134）
1つの大きい方形内の小さめの方形が特定の漢字内で特定の語形配列法に合うような配列（以下FIG..134の配列）を表している図である。"凜"は図134に適合している。
（図135）
1つの大きい方形内の小さめの方形が特定の漢字内で特定の語形配列法に合うような配列（以下FIG..135の配列）を表している図である。"図.135Aに示す記号"は図135に適合している。
（図136）
1つの大きい方形内の小さめの方形が特定の漢字内で特定の語形配列法に合うような配列（以下FIG..136の配列）を表している図である。"選"は図136に適合している。
（図137）
1つの大きい方形内の小さめの方形が特定の漢字内で特定の語形配列法に合うような配列（以下FIG..137の配列）を表している図である。"欖"は図137に適合している。
（図138）
1つの大きい方形内の小さめの方形が特定の漢字内で特定の語形配列法に合うような配列（以下FIG..138の配列）を表している図である。"鸚"は図138に適合している。
（図139）
1つの大きい方形内の小さめの方形が特定の漢字内で特定の語形配列法に合うような配列（以下FIG..139の配列）を表している図である。"敷"は図139に適合している。
（図140）
1つの大きい方形内の小さめの方形が特定の漢字内で特定の語形配列法に合うような配列（以下FIG..140の配列）を表している図である。"図.140Aに示す記号"は図140に適合している。
（図141）
1つの大きい方形内の小さめの方形が特定の漢字内で特定の語形配列法に合うような配列（以下FIG..141の配列）を表している図である。"癒"は図141に適合している。
（図142）
1つの大きい方形内の小さめの方形が特定の漢字内で特定の語形配列法に合うような配列（以下FIG..142の配列）を表している図である。"褻"は図142に適合している。
（図143）
1つの大きい方形内の小さめの方形が特定の漢字内で特定の語形配列法に合うような配列（以下FIG..143の配列）を表している図である。"率"は図143に適合している。
（図144）
1つの大きい方形内の小さめの方形が特定の漢字内で特定の語形配列法に合うような配列（以下FIG..144の配列）を表している図である。"
【外１９】
【００５１】
2007272452.tif 000026
"は図144に適合している。
（図145）
1つの大きい方形内の小さめの方形が特定の漢字内で特定の語形配列法に合うような配列（以下FIG..145の配列）を表している図である。"讚"は図145に適合している。
（図146）
1つの大きい方形内の小さめの方形が特定の漢字内で特定の語形配列法に合うような配列（以下FIG..146の配列）を表している図である。"韆"は図146に適合している。
（図147）
1つの大きい方形内の小さめの方形が特定の漢字内で特定の語形配列法に合うような配列（以下FIG..147の配列）を表している図である。"饕"は図147に適合している。
（図148）
ワイアレス電話システムで子機システムのブロック図である。
（図149）
ワイアレス電話システムで送受信使われる、システムのブロック図である。
（図150)
この発明を具現化するコンピュータoシステムのブロック図である。
（図151)
図151は、45キーのキーボードのキーパッドを示している。図150のコンピュータoシステムで使われる。コンピュータのキーボード、そのキーパッドに記された漢字の語形図グループの語形を表し、漢字での情報を処理するための現システム準拠して、標記されている。この明細書に添付された表（付録A）に記述されているように、該当する漢字にあたる配合の漢字の筆形位置の配列図の語形配列用に標記されている。
（図152）
図1５2は、４７キーのキーボードのキーパッドを示している。この明細書に添付された表（付録A）に記述されているように、該当する漢字にあたる配合の漢字の筆形位置の配列図の語形配列用に標記されている。
（図153）
図1５3は. ４７キーのキーボードのキーパッドを示している。キーボードのキーパッドで（付録A）にある. 該当する漢字にあたる配合の漢字の筆形位置の配列図の語形配列用に標記されている。
（図154）
図1５4にキーボードに３４９語形図をそれぞれ表しているキーパッドの実施例を示す図であり、語形図は前述したコード化方式と装置によってキーパッドに割り当てられ、この語形図の各グループを代表するキーパッドの記号は、平仮名/カタカナを使ってコード語が形成されている配列図である。キーボード装置には４７コのキーがあり、キーボードは図154の通りです。
【００５２】
図001〜図0077にに示す記号はその詳細な説明の末尾に添付された付録D表には
語形（筆順）はとう選べるのか？
１．同様の路上（3画以上語形のコード前後）は全て一二画語形のコードがその後のコードを使用してものである。
滲は"図.0066"使用ない,刻は"人"使用ない,譎は"図.0067"" 図.0068"使用ない
２．上辺、左辺、右辺、底辺の単辺コードを必ず使用する
３．第1位置のコードは開始位置時に必ず使用する
４.上辺、底辺の単辺コードを必ず使用する
５，若し完全なる筆体が単独に分析できなければその一番似た筆体をとることができる。（所要とすコードと一番似ている）その字を漢文字のコードとする。
弗    "図.0069" "弓"  "図.004"
５，われらは一つの漢文字を検索するにその字には単独の完全コードの場合コードの分析が出来る。それと一番似た字体である。その一番完全な筆画をとって完全コードとする順序によって１，２、３，４，５，６，７，８，９順序でその位置をとる。
漢文字の標準筆順                     漢文字の標準筆順
井  "図.0045" "−" "図.005"         棄   "図.0071"  "木"  "廿"
中  "図.005" □                    重  "図.006" "里"  "十"
事  "図.0071"  "図.004""図.0062" 求  "図.009" "水" "図.0073"
専  "図.0074"  "寸"  "図.004"      具  "図.0075" "八" "図.008"
溝  "図.0076"  "図.0077"  "土"     爾 "一"  "爻" "爻"
６，1,2筆画以上語形を先にとる２筆画語形は１筆画語形より先に（始ま１位置１，２筆画コードは跳ばない）
"抑"は"図.006" 語形は使用ない        "浄"は"図.004" 語形は使用ない    
"畝"は語形"図.008" 語形は使用ない    "院"は語形"−"語形は使用ない
"能"は語形"ム" 語形は使用ない      
７，どんなにして漢字の横列、直列を画き出すか
単コードで一直列になります（冒、曼、幸、嘗、喬、袁）
二コードで二直列になります（影、譯、渥、願、鏡、爆）
三コードで三直列になります（礎、輸、随、響、襟、縦、楽）
単コードで一横列になります（明、林、祖、謝、鮮、鍛、彬、靴）
二コードで二横列になります（楚、婿、昂、韻、程、賀、悠、能）
三コードで三横列になります (隋、經、競、舒、態)
【００５３】
漢文字語形の右下角語形は
図001〜図0065にに示す記号はその詳細な説明の末尾に添付された付録D表には
" 貝 "の右下角語形は "図.008に示す記号" を決めるのです
田の右下角語形は "図.001に示す記号" を決めるのです
里 の右下角語形は "図.002に示す記号" を決めるのです
魚
【外２０】
【００５４】
2007272452.tif 000027
虫
【外２１】
【００５５】
2007272452.tif 000028
図.0010, 図.0011に示す記号"の右下角語形は "図.009に示す記号"を決めるのです
【外２２】
【００５６】
2007272452.tif 000029
尸夕彡図.0012, 図.0013, 図. 0014, 図. 0015, 図. 0016, 図.0017, 図. 0018, 図.0019, 図. 0020, 図.0021に示す記号の右下角語形は "図.006に示す記号"を決めるのです
皿生且里五工旦上臣隹立圭土三王壬士豆丑止図. 0021, 図.0022, 図.0023, 図.0024, 図.0025, 図.0026に示す記号の右下角語形は "図.002に示す記号" を決めるのです  
卜干川非斤羊牛韋乍舛巾聿廾卩片耳十斗辛車早革申爿鼻年
【外２３】
【００５７】
2007272452.tif 000030
図.0027, 図.0028, 図.0029, 図.0030, 図.0031, 図.0032, 図.0033, 図.0034の右下角語形は "図.005に示す記号" を決めるのです
匕乙飛巴色亡丸九气七風瓦毛巳尢
【外２４】
【００５８】
2007272452.tif 000031
屯无己黽見比鹿老
【外２５】
【００５９】
2007272452.tif 000032
図.0035, 図.0036, 図.0037, 図.0038, 図.0039の右下角語形は "図.003に示す記号" を決めるのです
丁雨月青骨向高方氏弋戈戊肉
【外２６】
【００６０】
2007272452.tif 000033
刀鳥羽母乃牙角馬寸子心丹舟為商
【外２７】
【００６１】
2007272452.tif 000034
冂
【外２８】
【００６２】
2007272452.tif 000035
図.0040, 図.0041, 図.0042, 図.0043, 図.0044, 図.0045, 図.0046, 図.0047, 図.0048, 図.0049, 図.0050, 図.0051, 図.0052, 図.0053の右下角語形は "図.004に示す記号" を決めるのです
八頁
【外２９】
【００６３】
2007272452.tif 000036
穴六黍瓜長糸木水火夫大米矢入隶犬欠示衣足疋豕亦辰艮小束東不, 図.0054, 図.0055,0図.056, 図.0057, 図.0058, 図.0059, 図.0060, 図.0061の右下角語形は "図.008に示す記号" を決めるのです
田口曲廿面目首甘古石囗凵山缶西白臼齒図.0062, 図.0063, 図.0064, 図.0065の右下角語形は "図.001に示す記号" を決めるのです
【外３０】
【００６４】
2007272452.tif 000037
爻又殳支文皮女父麥
【外３１】
【００６５】
2007272452.tif 000038
夊の右下角語形は "図.007に示す記号" を決めるのです
【００６６】
実際の演習例付録B
該当する漢字にあたる配合の漢字の筆形位置の配列図の語形配列用の位置配列図はキーボード装置にFig.151使用し、単一つコードを生成し、日本常用漢字の代表例となり上記によって実際の演習例は下記との通りです。
与  zf
万  fw
冗  lk
区  xn
円  is
机  k4
気  wn
汚  /f3
争  'pq
当  mq
尽  p/m
弐  ln/ 
乱  do;
亜  .s5
児  2xs
励  ,8w
壱  tal
寿  3n
対  nz
条  j4
沢  pm3
医  xy
麦  nji
国  vin
学  msl
実  10
宝  1in
拝  jf6
拡  z=6
拠  kw6
枢  xn4
枠  c,4
欧  nxn
殴  ;xn
画  fh7
斉  znx
乗  o4w
単  m,7
専  xn
浅  bx3
浄  .3q
砕   c,-
窃  ..d
荘  w/t
変  sj;
倹  re9
剣  -re
剤  -zn
将  -n/
従  g/n
恋  s=;
恵  x=
悩  m=h
挙  m6;
桜  m[4
桟  bx4
帰  qnj
残  blx
称  a4r
粋  c,,
逓  8cj
陥  .p2
党  bx5
竜  kd
剰  -4w
巣  m47
悪  .=5
断  q,k
渓  -s3
済  zn3
渋  s/3
猟  mlb
粛  qn,
脳  m8h
転  x=x
酔  c,.
釈  pmc
険  rep
斎  znu
塁  70/
堕  ip0
属  pv5
廃  zea
弾  mz7
暁  ,2e
検  re4
満  .3f
湾  s3z
湿  2i3
焼  ,qe
営  m55
畳  7al
陰  rpk
蛮  s`;
覚  mkl
遅  pyc
随  icp
奨  -/d
寝  1/q
摂  m/6
数  j,[
楽  /4m
楼  ,[4
滝  kd3
滞  ,3j
禅  mu7
続  tgl
継  ,kg
誉  ma;
践  bxr
辞  zo;
鉱  z=1
塩  a0w
暦  824
稲  -42
総  rg=
読  tal
銭  bx1
隠  -p=
静  .7q
駅  pme
駆  xne
嘱  p5v
権  a4o 
歓  nao
縄  7dg
鋳  3n1
霊  /ix   
獣  dm`
穏  -4=
縦  gng
薬  w4m
厳  mmj
聴  im=
覧  aok
顕  a2i
験  ree
瀬  ak3
髄  ic]
鶏  o-s
譲  uad
醸  u.d
斉  znx
弥  arz
亀  .d7
聡  rm=
穣  u4d
艶  ue]
巌  fmj
新  qk4
導  tnc
体  4f9
技  n6
術  f4n
組  ag
総  rg=
新  qk4
機  t4b
械  bm4
設  ;a
計  ,a
【図面の簡単な説明】
【００６７】
【図１】付録Cの1-32の図
【図２】付録Cの33-67の図
【図３】付録Cの68-77の図
【図４】付録Dの1-44の図
【図５】付録Dの45-77の図
【図６】付録Aの1-2の図
【図７】付録Aの3-6の図
【図８】付録Aの6-10の図
【図９】付録Aの11-14の図
【図１０】付録Aの15-17の図
【図１１】付録Aの18-20の図
【図１２】付録Aの21-24の図
【図１３】付録Aの24-27の図
【図１４】付録Aの28-31の図
【図１５】付録Aの31-34の図
【図１６】付録Aの35-38の図
【図１７】付録Aの39-42の図
【図１８】付録Aの42-46の図
【図１９】付録Aの46-49の図
【図２０】付録Aの50-53の図
【図２１】付録Aの54-56の図
【図２２】付録Aの57-60の図
【図２３】付録Aの60-64の図
【図２４】付録Aの60-64の図
【図２５】付録Aの68-72の図
【図２６】付録Aの73-76の図
【図２７】付録Aの77-82の図
【図２８】付録Aの83-86の図
【図２９】付録Aの87-90の図
【図３０】付録Aの90-93の図
【図３１】付録Aの94-97の図
【図３２】付録Aの97-101の図
【図３３】付録Aの101-105の図
【図３４】付録Aの105-108の図
【図３５】付録Aの109-112の図
【図３６】付録Aの113-115の図
【図３７】付録Aの116-118の図
【図３８】付録Aの119-122の図
【図３９】付録Aの122-126の図
【図４０】付録Aの126-130の図
【図４１】付録Aの131-134の図
【図４２】付録Aの135-138の図
【図４３】付録Aの138-142の図
【図４４】付録Aの142-146の図
【図４５】付録Aの147の図
【図４６】付録Aの148の図
【図４７】付録Aの149の図
【図４８】付録Aの150の図
【図４９】付録Aの151の図
【図５０】付録Aの152の図
【図５１】付録Aの153の図
【図５２】付録Aの154の図
【図５３−１】付録B
【図５３−２】付録B
【図５３−３】付録B
【図５３−４】付録B
【図５３−５】付録B
【図５３−６】付録B
【図５３−７】付録B
【図５３−８】付録B
【図５３−９】付録B
【図５３−１０】付録B
【図５３−１１】付録B
【図５３−１２】付録B
【図５３−１３】付録B
【図５３−１４】付録B
【図５３−１５】付録B
【図５３−１６】付録B
【図５３−１７】付録B
【図５３−１８】付録B
【図５３−１９】付録B
【図５３−２０】付録B
【図５３−２１】付録B
【図５３−２２】付録B
【図５３−２３】付録B
【図５３−２４】付録B
【図５３−２５】付録B
【図５３−２６】付録B
【図５３−２７】付録B
【図５３−２８】付録B
【図５３−２９】付録B
【図５３−３０】付録B
【図５３−３１】付録B
【図５３−３２】付録B
【図５３−３３】付録B
【図５３−３４】付録B
【図５３−３５】付録B
【図５３−３６】付録B
【図５３−３７】付録B
【図５３−３８】付録B
【図５３−３９】付録B
【図５３−４０】付録B
【図５３−４１】付録B
【図５３−４２】付録B
【図５３−４３】付録B
【図５３−４４】付録B
【図５３−４５】付録B
【図５３−４６】付録B
【図５３−４７】付録B
【図５３−４８】付録B
【図５３−４９】付録B
【図５３−５０】付録B
【図５３−５１】付録B
【図５３−５２】付録B
【図５３−５３】付録B
【図５３−５４】付録B
【図５３−５５】付録B
【図５３−５６】付録B
【図５３−５７】付録B
【図５３−５８】付録B
【図５３−５９】付録B
【図５３−６０】付録B
【図５３−６１】付録B
【図５３−６２】付録B
【図５３−６３】付録B
【図５３−６４】付録B
【図５３−６５】付録B
【図５３−６６】付録B
【図５３−６７】付録B
【図５３−６８】付録B
【図５３−６９】付録B
【図５３−７０】付録B
【図５３−７１】付録B
【図５３−７２】付録B
【図５３−７３】付録B
【図５３−７４】付録B
【図５３−７５】付録B
【図５３−７６】付録B
【図５３−７７】付録B
【図５３−７８】付録B
【図５３−７９】付録B
【図５３−８０】付録B
【図５３−８１】付録B
【図５３−８２】付録B
【図５３−８３】付録B
【図５３−８４】付録B
【図５３−８５】付録B
【図５３−８６】付録B
【図５３−８７】付録B
【図５３−８８】付録B
【図５３−８９】付録B
【図５３−９０】付録B
【図５３−９１】付録B
【図５３−９２】付録B
【図５３−９３】付録B
【図５３−９４】付録B
【図５３−９５】付録B
【図５３−９６】付録B
【図５３−９７】付録B
【図５３−９８】付録B
【図５３−９９】付録B
【図５３−１００】付録B
【図５３−１０１】付録B
【図５３−１０２】付録B
【図５３−１０３】付録B
【図５３−１０４】付録B
【図５３−１０５】付録B
【図５３−１０６】付録B
【図５３−１０７】付録B
【図５３−１０８】付録B
【図５３−１０９】付録B
【図５３−１１０】付録B
【図５３−１１１】付録B
【図５３−１１２】付録B
【図５３−１１３】付録B
【図５３−１１４】付録B
【図５３−１１５】付録B
【図５３−１１６】付録B
【図５３−１１７】付録B
【図５３−１１８】付録B
【図５３−１１９】付録B
【図５３−１２０】付録B
【図５３−１２１】付録B
【図５３−１２２】付録B
【図５３−１２３】付録B
【図５３−１２４】付録B
【図５３−１２５】付録B
【図５３−１２６】付録B
【図５３−１２７】付録B
【図５３−１２８】付録B
【図５３−１２９】付録B
【図５３−１３０】付録B
【図５３−１３１】付録B
【図５３−１３２】付録B
【図５３−１３３】付録B
【図５３−１３４】付録B
【図５３−１３５】付録B
【図５３−１３６】付録B
【図５３−１３７】付録B
【図５３−１３８】付録B
【図５３−１３９】付録B
【図５３−１４０】付録B
【図５３−１４１】付録B
【図５３−１４２】付録B
【図５３−１４３】付録B
【図５３−１４４】付録B
【図５３−１４５】付録B
【図５３−１４６】付録B
【図５３−１４７】付録B
【図５３−１４８】付録B
【図５３−１４９】付録B
【図５３−１５０】付録B
【図５３−１５１】付録B
【図５３−１５２】付録B
【図５３−１５３】付録B
【図５３−１５４】付録B
【図５３−１５５】付録B
【図５３−１５６】付録B
【図５３−１５７】付録B
【図５３−１５８】付録B
【図５３−１５９】付録B
【図５３−１６０】付録B
【図５３−１６１】付録B
【図５３−１６２】付録B
【図５３−１６３】付録B
【図５３−１６４】付録B
【図５３−１６５】付録B
【図５３−１６６】付録B
【図５３−１６７】付録B
【図５３−１６８】付録B
【図５３−１６９】付録B
【図５３−１７０】付録B
【図５３−１７１】付録B
【図５３−１７２】付録B
【図５３−１７３】付録B
【図５３−１７４】付録B
【図５３−１７５】付録B
【図５３−１７６】付録B
【図５３−１７７】付録B
【図５３−１７８】付録B
【図５３−１７９】付録B
【図５３−１８０】付録B
【図５３−１８１】付録B
【図５３−１８２】付録B
【図５３−１８３】付録B
【図５３−１８４】付録B
【図５３−１８５】付録B
【図５３−１８６】付録B
【図５３−１８７】付録B
【図５３−１８８】付録B
【図５３−１８９】付録B
【図５３−１９０】付録B
【図５３−１９１】付録B
【図５３−１９２】付録B
【図５３−１９３】付録B
【図５３−１９４】付録B
【図５３−１９５】付録B
【図５３−１９６】付録B
【図５３−１９７】付録B
【図５３−１９８】付録B
【図５３−１９９】付録B
【図５３−２００】付録B
【図５３−２０１】付録B
【図５３−２０２】付録B
【図５３−２０３】付録B
【図５３−２０４】付録B
【図５３−２０５】付録B
【図５３−２０６】付録B
【図５３−２０７】付録B
【図５３−２０８】付録B
【図５３−２０９】付録B
【図５３−２１０】付録B
【図５３−２１１】付録B
【図５３−２１２】付録B
【図５３−２１３】付録B
【図５３−２１４】付録B
【図５３−２１５】付録B
【図５３−２１６】付録B
【図５３−２１７】付録B
【図５３−２１８】付録B
【図５３−２１９】付録B
【図５３−２２０】付録B
【図５３−２２１】付録B
【図５３−２２２】付録B
【図５３−２２３】付録B
【図５３−２２４】付録B
【図５３−２２５】付録B
【図５３−２２６】付録B
【図５３−２２７】付録B
【図５３−２２８】付録B
【図５３−１】
2007272452.tif 000039
【図５３−２】
2007272452.tif 000040
【図５３−３】
2007272452.tif 000041
【図５３−４】
2007272452.tif 000042
【図５３−５】
2007272452.tif 000043
【図５３−６】
2007272452.tif 000044
【図５３−７】
2007272452.tif 000045
【図５３−８】
2007272452.tif 000046
【図５３−９】
2007272452.tif 000047
【図５３−１０】
2007272452.tif 000048
【図５３−１１】
2007272452.tif 000049
【図５３−１２】
2007272452.tif 000050
【図５３−１３】
2007272452.tif 000051
【図５３−１４】
2007272452.tif 000052
【図５３−１５】
2007272452.tif 000053
【図５３−１６】
2007272452.tif 000054
【図５３−１７】
2007272452.tif 000055
【図５３−１８】
2007272452.tif 000056
【図５３−１９】
2007272452.tif 000057
【図５３−２０】
2007272452.tif 000058
【図５３−２１】
2007272452.tif 000059
【図５３−２２】
2007272452.tif 000060
【図５３−２３】
2007272452.tif 000061
【図５３−２４】
2007272452.tif 000062
【図５３−２５】
2007272452.tif 000063
【図５３−２６】
2007272452.tif 000064
【図５３−２７】
2007272452.tif 000065
【図５３−２８】
2007272452.tif 000066
【図５３−２９】
2007272452.tif 000067
【図５３−３０】
2007272452.tif 000068
【図５３−３１】
2007272452.tif 000069
【図５３−３２】
2007272452.tif 000070
【図５３−３３】
2007272452.tif 000071
【図５３−３４】
2007272452.tif 000072
【図５３−３５】
2007272452.tif 000073
【図５３−３６】
2007272452.tif 000074
【図５３−３７】
2007272452.tif 000075
【図５３−３８】
2007272452.tif 000076
【図５３−３９】
2007272452.tif 000077
【図５３−４０】
2007272452.tif 000078
【図５３−４１】
2007272452.tif 000079
【図５３−４２】
2007272452.tif 000080
【図５３−４３】
2007272452.tif 000081
【図５３−４４】
2007272452.tif 000082
【図５３−４５】
2007272452.tif 000083
【図５３−４６】
2007272452.tif 000084
【図５３−４７】
2007272452.tif 000085
【図５３−４８】
2007272452.tif 000086
【図５３−４９】
2007272452.tif 000087
【図５３−５０】
2007272452.tif 000088
【図５３−５１】
2007272452.tif 000089
【図５３−５２】
2007272452.tif 000090
【図５３−５３】
2007272452.tif 000091
【図５３−５４】
2007272452.tif 000092
【図５３−５５】
2007272452.tif 000093
【図５３−５６】
2007272452.tif 000094
【図５３−５７】
2007272452.tif 000095
【図５３−５８】
2007272452.tif 000096
【図５３−５９】
2007272452.tif 000097
【図５３−６０】
2007272452.tif 000098
【図５３−６１】
2007272452.tif 000099
【図５３−６２】
2007272452.tif 000100
【図５３−６３】
2007272452.tif 000101
【図５３−６４】
2007272452.tif 000102
【図５３−６５】
2007272452.tif 000103
【図５３−６６】
2007272452.tif 000104
【図５３−６７】
2007272452.tif 000105
【図５３−６８】
2007272452.tif 000106
【図５３−６９】
2007272452.tif 000107
【図５３−７０】
2007272452.tif 000108
【図５３−７１】
2007272452.tif 000109
【図５３−７２】
2007272452.tif 000110
【図５３−７３】
2007272452.tif 000111
【図５３−７４】
2007272452.tif 000112
【図５３−７５】
2007272452.tif 000113
【図５３−７６】
2007272452.tif 000114
【図５３−７７】
2007272452.tif 000115
【図５３−７８】
2007272452.tif 000116
【図５３−７９】
2007272452.tif 000117
【図５３−８０】
2007272452.tif 000118
【図５３−８１】
2007272452.tif 000119
【図５３−８２】
2007272452.tif 000120
【図５３−８３】
2007272452.tif 000121
【図５３−８４】
2007272452.tif 000122
【図５３−８５】
2007272452.tif 000123
【図５３−８６】
2007272452.tif 000124
【図５３−８７】
2007272452.tif 000125
【図５３−８８】
2007272452.tif 000126
【図５３−８９】
2007272452.tif 000127
【図５３−９０】
2007272452.tif 000128
【図５３−９１】
2007272452.tif 000129
【図５３−９２】
2007272452.tif 000130
【図５３−９３】
2007272452.tif 000131
【図５３−９４】
2007272452.tif 000132
【図５３−９５】
2007272452.tif 000133
【図５３−９６】
2007272452.tif 000134
【図５３−９７】
2007272452.tif 000135
【図５３−９８】
2007272452.tif 000136
【図５３−９９】
2007272452.tif 000137
【図５３−１００】
2007272452.tif 000138
【図５３−１０１】
2007272452.tif 000139
【図５３−１０２】
2007272452.tif 000140
【図５３−１０３】
2007272452.tif 000141
【図５３−１０４】
2007272452.tif 000142
【図５３−１０５】
2007272452.tif 000143
【図５３−１０６】
2007272452.tif 000144
【図５３−１０７】
2007272452.tif 000145
【図５３−１０８】
2007272452.tif 000146
【図５３−１０９】
2007272452.tif 000147
【図５３−１１０】
2007272452.tif 000148
【図５３−１１１】
2007272452.tif 000149
【図５３−１１２】
2007272452.tif 000150
【図５３−１１３】
2007272452.tif 000151
【図５３−１１４】
2007272452.tif 000152
【図５３−１１５】
2007272452.tif 000153
【図５３−１１６】
2007272452.tif 000154
【図５３−１１７】
2007272452.tif 000155
【図５３−１１８】
2007272452.tif 000156
【図５３−１１９】
2007272452.tif 000157
【図５３−１２０】
2007272452.tif 000158
【図５３−１２１】
2007272452.tif 000159
【図５３−１２２】
2007272452.tif 000160
【図５３−１２３】
2007272452.tif 000161
【図５３−１２４】
2007272452.tif 000162
【図５３−１２５】
2007272452.tif 000163
【図５３−１２６】
2007272452.tif 000164
【図５３−１２７】
2007272452.tif 000165
【図５３−１２８】
2007272452.tif 000166
【図５３−１２９】
2007272452.tif 000167
【図５３−１３０】
2007272452.tif 000168
【図５３−１３１】
2007272452.tif 000169
【図５３−１３２】
2007272452.tif 000170
【図５３−１３３】
2007272452.tif 000171
【図５３−１３４】
2007272452.tif 000172
【図５３−１３５】
2007272452.tif 000173
【図５３−１３６】
2007272452.tif 000174
【図５３−１３７】
2007272452.tif 000175
【図５３−１３８】
2007272452.tif 000176
【図５３−１３９】
2007272452.tif 000177
【図５３−１４０】
2007272452.tif 000178
【図５３−１４１】
2007272452.tif 000179
【図５３−１４２】
2007272452.tif 000180
【図５３−１４３】
2007272452.tif 000181
【図５３−１４４】
2007272452.tif 000182
【図５３−１４５】
2007272452.tif 000183
【図５３−１４６】
2007272452.tif 000184
【図５３−１４７】
2007272452.tif 000185
【図５３−１４８】
2007272452.tif 000186
【図５３−１４９】
2007272452.tif 000187
【図５３−１５０】
2007272452.tif 000188
【図５３−１５１】
2007272452.tif 000189
【図５３−１５２】
2007272452.tif 000190
【図５３−１５３】
2007272452.tif 000191
【図５３−１５４】
2007272452.tif 000192
【図５３−１５５】
2007272452.tif 000193
【図５３−１５６】
2007272452.tif 000194
【図５３−１５７】
2007272452.tif 000195
【図５３−１５８】
2007272452.tif 000196
【図５３−１５９】
2007272452.tif 000197
【図５３−１６０】
2007272452.tif 000198
【図５３−１６１】
2007272452.tif 000199
【図５３−１６２】
2007272452.tif 000200
【図５３−１６３】
2007272452.tif 000201
【図５３−１６４】
2007272452.tif 000202
【図５３−１６５】
2007272452.tif 000203
【図５３−１６６】
2007272452.tif 000204
【図５３−１６７】
2007272452.tif 000205
【図５３−１６８】
2007272452.tif 000206
【図５３−１６９】
2007272452.tif 000207
【図５３−１７０】
2007272452.tif 000208
【図５３−１７１】
2007272452.tif 000209
【図５３−１７２】
2007272452.tif 000210
【図５３−１７３】
2007272452.tif 000211
【図５３−１７４】
2007272452.tif 000212
【図５３−１７５】
2007272452.tif 000213
【図５３−１７６】
2007272452.tif 000214
【図５３−１７７】
2007272452.tif 000215
【図５３−１７８】
2007272452.tif 000216
【図５３−１７９】
2007272452.tif 000217
【図５３−１８０】
2007272452.tif 000218
【図５３−１８１】
2007272452.tif 000219
【図５３−１８２】
2007272452.tif 000220
【図５３−１８３】
2007272452.tif 000221
【図５３−１８４】
2007272452.tif 000222
【図５３−１８５】
2007272452.tif 000223
【図５３−１８６】
2007272452.tif 000224
【図５３−１８７】
2007272452.tif 000225
【図５３−１８８】
2007272452.tif 000226
【図５３−１８９】
2007272452.tif 000227
【図５３−１９０】
2007272452.tif 000228
【図５３−１９１】
2007272452.tif 000229
【図５３−１９２】
2007272452.tif 000230
【図５３−１９３】
2007272452.tif 000231
【図５３−１９４】
2007272452.tif 000232
【図５３−１９５】
2007272452.tif 000233
【図５３−１９６】
2007272452.tif 000234
【図５３−１９７】
2007272452.tif 000235
【図５３−１９８】
2007272452.tif 000236
【図５３−１９９】
2007272452.tif 000237
【図５３−２００】
2007272452.tif 000238
【図５３−２０１】
2007272452.tif 000239
【図５３−２０２】
2007272452.tif 000240
【図５３−２０３】
2007272452.tif 000241
【図５３−２０４】
2007272452.tif 000242
【図５３−２０５】
2007272452.tif 000243
【図５３−２０６】
2007272452.tif 000244
【図５３−２０７】
2007272452.tif 000245
【図５３−２０８】
2007272452.tif 000246
【図５３−２０９】
2007272452.tif 000247
【図５３−２１０】
2007272452.tif 000248
【図５３−２１１】
2007272452.tif 000249
【図５３−２１２】
2007272452.tif 000250
【図５３−２１３】
2007272452.tif 000251
【図５３−２１４】
2007272452.tif 000252
【図５３−２１５】
2007272452.tif 000253
【図５３−２１６】
2007272452.tif 000254
【図５３−２１７】
2007272452.tif 000255
【図５３−２１８】
2007272452.tif 000256
【図５３−２１９】
2007272452.tif 000257
【図５３−２２０】
2007272452.tif 000258
【図５３−２２１】
2007272452.tif 000259
【図５３−２２２】
2007272452.tif 000260
【図５３−２２３】
2007272452.tif 000261
【図５３−２２４】
2007272452.tif 000262
【図５３−２２５】
2007272452.tif 000263
【図５３−２２６】
2007272452.tif 000264
【図５３−２２７】
2007272452.tif 000265
【図５３−２２８】
2007272452.tif 000266
【図１】
2007272452.tif 000267
【図２】
2007272452.tif 000268
【図３】
2007272452.tif 000269
【図４】
2007272452.tif 000270
【図５】
2007272452.tif 000271
【図６】
2007272452.tif 000272
【図７】
2007272452.tif 000273
【図８】
2007272452.tif 000274
【図９】
2007272452.tif 000275
【図１０】
2007272452.tif 000276
【図１１】
2007272452.tif 000277
【図１２】
2007272452.tif 000278
【図１３】
2007272452.tif 000279
【図１４】
2007272452.tif 000280
【図１５】
2007272452.tif 000281
【図１６】
2007272452.tif 000282
【図１７】
2007272452.tif 000283
【図１８】
2007272452.tif 000284
【図１９】
2007272452.tif 000285
【図２０】
2007272452.tif 000286
【図２１】
2007272452.tif 000287
【図２２】
2007272452.tif 000288
【図２３】
2007272452.tif 000289
【図２４】
2007272452.tif 000290
【図２５】
2007272452.tif 000291
【図２６】
2007272452.tif 000292
【図２７】
2007272452.tif 000293
【図２８】
2007272452.tif 000294
【図２９】
2007272452.tif 000295
【図３０】
2007272452.tif 000296
【図３１】
2007272452.tif 000297
【図３２】
2007272452.tif 000298
【図３３】
2007272452.tif 000299
【図３４】
2007272452.tif 000300
【図３５】
2007272452.tif 000301
【図３６】
2007272452.tif 000302
【図３７】
2007272452.tif 000303
【図３８】
2007272452.tif 000304
【図３９】
2007272452.tif 000305
【図４０】
2007272452.tif 000306
【図４１】
2007272452.tif 000307
【図４２】
2007272452.tif 000308
【図４３】
2007272452.tif 000309
【図４４】
2007272452.tif 000310
【図４５】
2007272452.tif 000311
【図４６】
2007272452.tif 000312
【図４７】
2007272452.tif 000313
【図４８】
2007272452.tif 000314
【図４９】
2007272452.tif 000315
【図５０】
2007272452.tif 000316
【図５１】
2007272452.tif 000317
【図５２】
2007272452.tif 000318